(57)【要約】【課題】日本国内の一般的なオフィスで使用されている商用電源を用いて、定着装置等の画像形成動作を行う負荷の立上り時間を短縮することができるとともに、画像形成装置の電源供給部の構成を簡易にでき、画像形成装置の製造コストの低減を図ることができる画像形成装置、電源装置及び制御方法を提供する。【解決手段】降圧回路５０は、商用電源から出力される電圧を降下し、降圧出力制御及び充電制御回路７は、降圧電圧を制御し、出力された降圧電圧に基づいてキャパシタバンク９を充電し、定電圧生成回路１３は、キャパシタバンク９の出力または降圧回路５０の出力に基づいて定電圧を生成し、画像形成装置制御回路１０は、定電圧を、画像形成動作を行う負荷に供給する。【選択図】        図１
2007272170.tif 000002
【特許請求の範囲】
【請求項１】
充放電可能な蓄電手段と、
商用電源から出力される電圧を降下する降圧手段と、
前記降圧手段によって出力される降圧電圧を制御し、出力された降圧電圧に基づいて前記蓄電手段を充電する降圧・充電制御手段と、
前記蓄電手段の出力または前記降圧手段の出力に基づいて定電圧を生成する定電圧生成手段と、
前記定電圧生成手段によって生成された定電圧を、画像形成動作を行う負荷に供給する供電制御手段と、
を備えることを特徴とする画像形成装置。
【請求項２】
前記蓄電手段の充電電圧を検出する充電電圧検出手段、をさらに備え、
前記降圧・充電制御手段は、さらに前記充電電圧検出手段によって検出された電圧に基づいて前記蓄電手段を充電するように制御すること、を特徴とする請求項１に記載の画像形成装置。
【請求項３】
前記供電制御手段は、さらに前記充電電圧検出手段によって検出された電圧に基づいて、前記降圧・充電制御手段に指示することにより前記蓄電手段を充電すること、を特徴とする請求項２に記載の画像形成装置。
【請求項４】
前記降圧手段から出力される電圧を検出する降圧電圧検出手段、をさらに備え、
前記降圧・充電制御手段は、さらに前記降圧電圧検出手段によって検出された電圧に基づいて前記降圧手段から出力される電圧を制御すること、を特徴とする請求項１〜３のいずれか一つに記載の画像形成装置。
【請求項５】
前記供電制御手段は、さらに前記降圧電圧検出手段によって検出された電圧に基づいて、前記降圧・充電制御手段に対して指示することにより前記降圧手段から出力される電圧を制御すること、を特徴とする請求項４に記載の画像形成装置。
【請求項６】
前記降圧・充電制御手段は、さらに前記蓄電手段に充電する電圧を、前記定電圧生成手段に供給される電圧より高い電圧に充電すること、を特徴とする請求項１〜５のいずれか一つに記載の画像形成装置。
【請求項７】
前記供電制御手段は、さらに前記充電電圧検出手段によって検出された電圧に基づいて、前記蓄電手段に供給する電圧を制御すること、を特徴とする請求項２〜６のいずれか一つに記載の画像形成装置。
【請求項８】
前記供電制御手段は、さらに前記充電電圧検出手段によって検出された電圧に基づいて、前記定電圧生成手段に供給する電圧を制御すること、を特徴とする請求項２〜７のいずれか一つに記載の画像形成装置。
【請求項９】
予め定められた画像形成動作における電力使用量テーブルを記憶する電力使用記憶手段、をさらに備え、
前記供電制御手段は、前記電力使用記憶手段に記憶された前記画像形成動作における前記電力使用量テーブルの結果に基づいて、前記蓄電手段からの出力を前記負荷に供給するように制御すること、を特徴とする請求項１〜８のいずれか一つに記載の画像形成装置。
【請求項１０】
前記電力使用記憶手段は、さらに所定の電力を必要とする画像形成動作を示す電力使用条件と、前記蓄電手段から供給される電力量を示す供給電力量とを対応付けて記憶し、
前記供電制御手段は、さらに前記負荷によって行われる画像形成動作が前記電力使用記憶手段に記憶された前記電力使用条件に合致する場合に、前記電力使用記憶手段に記憶された前記電力使用条件に対応する前記供給電力量を前記蓄電手段から供給するように制御すること、を特徴とする請求項９に記載の画像形成装置。
【請求項１１】
前記降圧手段から出力された電圧を前記定電圧生成手段または前記蓄電手段のいずれか一方に入力可能となるよう切替える第１切替手段と、
前記定電圧生成手段に入力する電圧を前記降圧手段または前記蓄電手段のいずれか一方から供給可能となるよう切替える第２切替手段と、をさらに備え、
前記供電制御手段は、さらに前記画像形成動作以外を行う場合は、前記第１切替手段を前記蓄電手段に接続し、前記第２切替手段を前記降圧手段に接続するよう制御すること、を特徴とする請求項１〜１０のいずれか一つに記載の画像形成装置。
【請求項１２】
前記供電制御手段は、さらに前記画像形成動作を行う場合は、前記第１切替手段を前記降圧手段に接続し、前記第２切替手段を前記降圧手段に接続するよう制御すること、を特徴とする請求項１１に記載の画像形成装置。
【請求項１３】
前記供電制御手段は、さらに前記画像形成動作を行う場合は、前記第１切替手段を前記降圧手段に接続し、前記第２切替手段を前記蓄電手段に接続するよう制御すること、を特徴とする請求項１１に記載の画像形成装置。
【請求項１４】
前記供電制御手段は、さらに電源がＯＦＦにされた場合は、前記第１切替手段を前記降圧手段に接続し、前記第２切替手段を前記降圧手段に接続するよう制御すること、を特徴とする請求項１１に記載の画像形成装置。
【請求項１５】
前記降圧手段から出力された電圧を前記蓄電手段に入力可能とし、前記降圧手段と前記蓄電手段の接続を開閉する第１開閉手段と、
前記降圧手段から出力された電圧を前記定電圧生成手段に入力可能とし、前記降圧手段と前記定電圧生成手段の接続を開閉する第２開閉手段と、
前記蓄電手段から出力された電圧を前記定電圧生成手段に入力可能とし、前記蓄電手段と前記定電圧生成手段の接続を開閉する第３開閉手段と、をさらに備え、
前記供電制御手段は、さらに前記画像形成動作以外を行う場合は、前記第１開閉手段を閉鎖し、前記第２開閉手段を開放し、前記第３開閉手段を開放するよう制御すること、を特徴とする請求項１〜１０のいずれか一つに記載の画像形成装置。
【請求項１６】
前記供電制御手段は、さらに前記画像形成動作以外を行う場合は、前記第１開閉手段を閉鎖し、前記第３開閉手段を開放し、前記第２開閉手段を閉鎖するよう制御すること、を特徴とする請求項１５に記載の画像形成装置。
【請求項１７】
前記供電制御手段は、さらに前記画像形成動作を行う場合は、前記第２開閉手段を閉鎖し、前記第３開閉手段を開放するよう制御すること、を特徴とする請求項１５に記載の画像形成装置。
【請求項１８】
前記供電制御手段は、さらに前記画像形成動作を行う場合は、前記第３開閉手段を閉鎖し、前記第２開閉手段を開放し、前記第１開閉手段を開放するよう制御すること、を特徴とする請求項１５に記載の画像形成装置。
【請求項１９】
前記供電制御手段は、さらに前記第２開閉手段を閉鎖し、前記第３開閉手段を閉鎖するよう制御することにより、前記蓄電手段から供給される電圧が所定の電圧以下となった場合に、前記商用電源から電圧が供給されること、を特徴とする請求項１５に記載の画像形成装置。
【請求項２０】
前記供電制御手段は、さらに電源がＯＦＦにされた場合は、前記第１開閉手段を開放し、前記第３開閉手段を開放するよう制御すること、を特徴とする請求項１５に記載の画像形成装置。
【請求項２１】
前記供電制御手段は、さらに前記第２開閉手段を開放する場合は、前記第３開閉手段を閉鎖した後に前記第２開閉手段を開放し、前記第３開閉手段を開放する場合は、前記第２開閉手段を閉鎖した後に前記第３開閉手段を開放すること、を特徴とする請求項１５〜２０のいずれか一つに記載の画像形成装置。
【請求項２２】
前記降圧手段から出力された電圧を前記蓄電手段に入力可能とし、前記降圧手段と前記蓄電手段の接続を開閉する第１開閉手段と、
前記蓄電手段から出力された電圧を前記定電圧生成手段に入力可能とし、前記蓄電手段と前記定電圧生成手段の接続を開閉する第２開閉手段と、をさらに備え、
前記供電制御手段は、さらに前記画像形成動作以外を行う場合は、前記第１開閉手段を閉鎖し、前記第２開閉手段を開放するよう制御すること、を特徴とする請求項１〜１０のいずれか一つに記載の画像形成装置。
【請求項２３】
前記供電制御手段は、さらに前記画像形成動作を行う場合は、前記第１開閉手段を開放し、前記第２開閉手段を開放するよう制御すること、を特徴とする請求項２２に記載の画像形成装置。
【請求項２４】
前記供電制御手段は、さらに前記画像形成動作を行う場合は、前記第２開閉手段を閉鎖し、前記第１開閉手段を開放するよう制御すること、を特徴とする請求項２２に記載の画像形成装置。
【請求項２５】
前記供電制御手段は、さらに前記第２開閉手段を閉鎖し、前記第１開閉手段を開放するよう制御することにより、前記蓄電手段から供給される電圧が所定の電圧以下となった場合に、前記商用電源から電圧が供給されること、を特徴とする請求項２２に記載の画像形成装置。
【請求項２６】
前記供電制御手段は、さらに電源がＯＦＦにされた場合は、前記第１開閉手段を開放し、前記第３開閉手段を開放するよう制御すること、を特徴とする請求項２２に記載の画像
形成装置。
【請求項２７】
充放電可能な蓄電手段と、
商用電源から出力される電圧によって前記蓄電手段を充電する充電手段と、
前記蓄電手段の出力または前記商用電源の出力に基づいて定電圧を生成する定電圧生成手段と、
前記定電圧生成手段によって生成された定電圧を、画像形成動作を行う負荷に供給する供電制御手段と、
を備えることを特徴とする画像形成装置。
【請求項２８】
前記蓄電手段の充電電圧を検出する充電電圧検出手段、をさらに備え、
前記充電手段は、さらに前記充電電圧検出手段によって検出された電圧に基づいて前記蓄電手段を充電するよう制御すること、を特徴とする請求項２７に記載の画像形成装置。
【請求項２９】
前記充電手段は、さらに前記商用電源から出力される電圧より前記蓄電手段を低く充電すること、を特徴とする請求項２７または請求項２８に記載の画像形成装置。
【請求項３０】
前記供電制御手段は、さらに前記充電電圧検出手段によって検出された電圧に基づいて前記蓄電手段から前記定電圧生成手段に供給する電圧を制御すること、を特徴とする請求項２８または請求項２９に記載の画像形成装置。
【請求項３１】
予め定められた画像形成動作における電力使用量テーブルを記憶する電力使用記憶手段、をさらに備え、
前記供電制御手段は、前記電力使用記憶手段に記憶された前記画像形成動作における前記電力使用量テーブルの結果に基づいて、前記蓄電手段からの出力を前記負荷に供給するように制御すること、を特徴とする請求項２７〜３０のいずれか一つに記載の画像形成装置。
【請求項３２】
前記電力使用記憶手段は、さらに所定の電力を必要とする画像形成動作を示す電力使用条件と、前記蓄電手段から供給される電力量を示す供給電力量とを対応付けて記憶し、
前記供電制御手段は、さらに前記負荷によって行われる画像形成動作が前記電力使用記憶手段に記憶された前記電力使用条件に合致する場合に、前記電力使用記憶手段に記憶された前記電力使用条件に対応する前記供給電力量を前記蓄電手段から供給するように制御すること、を特徴とする請求項３１に記載の画像形成装置。
【請求項３３】
前記供電制御手段は、さらに前記充電手段に指示することにより前記蓄電手段を充電すること、を特徴とする請求項２７〜３２のいずれか一つに記載の画像形成装置。
【請求項３４】
前記商用電源から出力された電圧を前記定電圧生成手段に入力可能とし、前記商用電源と前記定電圧生成手段の接続を開閉する第１開閉手段と、
前記蓄電手段から出力された電圧を前記定電圧生成手段に入力可能とし、前記蓄電手段と前記定電圧生成手段の接続を開閉する第２開閉手段と、をさらに備え、
前記供電制御手段は、さらに前記画像形成動作以外を行う場合は、前記第１開閉手段を開放し、前記第２開閉手段を開放するよう制御すること、を特徴とする請求項２７〜３３のいずれか一つに記載の画像形成装置。
【請求項３５】
前記供電制御手段は、さらに前記画像形成動作以外を行う場合は、前記第１開閉手段を閉鎖し、前記第２開閉手段を開放するよう制御すること、を特徴とする請求項３４に記載の画像形成装置。
【請求項３６】
前記供電制御手段は、さらに前記画像形成動作を行う場合は、前記第１開閉手段を閉鎖し、前記第２開閉手段を開放するよう制御すること、を特徴とする請求項３４に記載の画像形成装置。
【請求項３７】
前記供電制御手段は、さらに前記画像形成動作を行う場合は、前記第１開閉手段を開放し、前記第２開閉手段を閉鎖するよう制御すること、を特徴とする請求項３４に記載の画像形成装置。
【請求項３８】
前記商用電源の電圧を検出する電圧検出手段、をさらに備え、
前記供電制御手段は、さらに前記電圧検出手段によって検出された電圧に基づいて前記第２開閉手段を閉鎖し、前記第１開閉手段を開放するよう制御すること、を特徴とする請求項３４に記載の画像形成装置。
【請求項３９】
前記供電制御手段は、さらに前記第１開閉手段を開放する場合は、前記第２開閉手段を閉鎖した後に前記第１開閉手段を開放し、前記第２開閉手段を開放する場合は、前記第１開閉手段を閉鎖した後に前記第２開閉手段を開放すること、を特徴とする請求項３４〜３８のいずれか一つに記載の画像形成装置。
【請求項４０】
前記商用電源から出力された電圧を前記充電手段に入力可能とし、前記商用電源と前記充電手段の接続を開閉する第１開閉手段と、
前記商用電源から出力された電圧を前記定電圧生成手段に入力可能とし、前記商用電源と前記定電圧生成手段の接続を開閉する第２開閉手段と、
前記蓄電手段から出力された電圧を前記定電圧生成手段に入力可能とし、前記蓄電手段と前記定電圧生成手段の接続を開閉する第３開閉手段と、をさらに備え、
前記供電制御手段は、さらに前記画像形成動作以外を行う場合は、前記第１開閉手段を閉鎖し、前記第２開閉手段を開放し、前記第３開閉手段を開放するよう制御すること、を特徴とする請求項２７〜３３のいずれか一つに記載の画像形成装置。
【請求項４１】
前記供電制御手段は、さらに前記画像形成動作以外を行う場合は、前記第１開閉手段を閉鎖し、前記第３開閉手段を開放し、前記第２開閉手段を閉鎖するよう制御すること、を特徴とする請求項４０に記載の画像形成装置。
【請求項４２】
前記供電制御手段は、さらに前記画像形成動作を行う場合は、前記第１開閉手段を開放し、前記第２開閉手段を閉鎖し、前記第３開閉手段を開放するよう制御すること、を特徴とする請求項４０に記載の画像形成装置。
【請求項４３】
前記供電制御手段は、さらに前記画像形成動作を行う場合は、前記第３開閉手段を閉鎖し、前記第２開閉手段を開放し、前記第１開閉手段を開放するよう制御すること、を特徴とする請求項４０に記載の画像形成装置。
【請求項４４】
前記商用電源の電圧を検出する電圧検出手段、をさらに備え、
前記供電制御手段は、さらに前記電圧検出手段によって検出された電圧に基づいて前記第３開閉手段を閉鎖し、前記第１開閉手段を開放し、前記第２開閉手段を開放するよう制御すること、を特徴とする請求項４０に記載の画像形成装置。
【請求項４５】
前記供電制御手段は、さらに前記第２開閉手段を開放する場合は、前記第３開閉手段を閉鎖した後に前記第２開閉手段を開放し、前記第３開閉手段を開放する場合は、前記第２開閉手段を閉鎖した後に前記第３開閉手段を開放すること、を特徴とする請求項４０〜４４のいずれか一つに記載の画像形成装置。
【請求項４６】
充放電可能な蓄電手段と、商用電源から出力される電圧を降下する降圧手段と、前記蓄電手段の出力または前記降圧手段の出力に基づいて定電圧を生成する定電圧生成手段とを備える画像形成装置の制御方法において、
前記降圧手段によって出力される降圧電圧を制御し、出力された降圧電圧に基づいて前記蓄電手段を充電する降圧・充電制御ステップと、
前記定電圧生成手段によって生成された定電圧を、画像形成動作を行う負荷に供給する供電制御ステップと、
を有することを特徴とする制御方法。
【請求項４７】
充放電可能な蓄電手段と、商用電源から出力される電圧によって前記蓄電手段を充電する充電手段と、前記蓄電手段の出力または前記商用電源の出力に基づいて定電圧を生成する定電圧生成手段とを備える画像形成装置の制御方法において、
前記定電圧生成手段によって生成された定電圧を、画像形成動作を行う負荷に供給する供電制御ステップと、
を有することを特徴とする制御方法。
【請求項４８】
外部の負荷に電力を供給する電源装置において、
充放電可能な蓄電手段と、
商用電源から出力される電圧を降下する降圧手段と、
前記降圧手段によって出力される降圧電圧を制御し、出力された降圧電圧に基づいて前記蓄電手段を充電する降圧・充電制御手段と、
前記蓄電手段の出力または前記降圧手段の出力に基づいて定電圧を生成する定電圧生成手段と、
前記降圧手段から出力された電圧を前記定電圧生成手段または前記蓄電手段のいずれか一方に入力可能となるよう切替える第１切替手段と、
前記定電圧生成手段に入力する電圧を前記降圧手段または前記蓄電手段のいずれか一方から供給可能となるよう切替える第２切替手段と、
前記第１切替手段または前記第２切替手段の少なくともいずれか一方を制御する制御信号を外部から受信する制御信号受信手段と、を備え、
前記降圧・充電制御手段は、さらに前記制御信号受信手段によって受信された前記制御信号に基づいて、前記蓄電手段の出力または前記降圧手段の出力から前記定電圧生成手段によって生成された定電圧を前記負荷に供給するように制御すること、
を特徴とする電源装置。
【請求項４９】
外部の負荷に電力を供給する電源装置において、
充放電可能な蓄電手段と、
商用電源から出力される電圧を降下する降圧手段と、
前記降圧手段によって出力される降圧電圧を制御し、出力された降圧電圧に基づいて前記蓄電手段を充電する降圧・充電制御手段と、
前記蓄電手段の出力または前記降圧手段の出力に基づいて定電圧を生成する定電圧生成手段と、
前記降圧手段から出力された電圧を前記蓄電手段に入力可能とし、前記降圧手段と前記蓄電手段の接続を開閉する第１開閉手段と、
前記降圧手段から出力された電圧を前記定電圧生成手段に入力可能とし、前記降圧手段と前記定電圧生成手段の接続を開閉する第２開閉手段と、
前記蓄電手段から出力された電圧を前記定電圧生成手段に入力可能とし、前記蓄電手段と前記定電圧生成手段の接続を開閉する第３開閉手段と、
前記第１開閉手段、前記第２開閉手段および前記第３開閉手段の少なくともいずれか一つを制御する制御信号を外部から受信する制御信号受信手段と、を備え、
前記降圧・充電制御手段は、さらに前記制御信号受信手段によって受信された前記制御信号に基づいて、前記蓄電手段の出力または前記降圧手段の出力から前記定電圧生成手段によって生成された定電圧を前記負荷に供給するように制御すること、
を特徴とする電源装置。
【請求項５０】
外部の負荷に電力を供給する電源装置において、
充放電可能な蓄電手段と、
商用電源から出力される電圧を降下する降圧手段と、
前記降圧手段によって出力される降圧電圧を制御し、出力された降圧電圧に基づいて前記蓄電手段を充電する降圧・充電制御手段と、
前記蓄電手段の出力または前記降圧手段の出力に基づいて定電圧を生成する定電圧生成手段と、
前記降圧手段から出力された電圧を前記蓄電手段に入力可能とし、前記降圧手段と前記蓄電手段の接続を開閉する第１開閉手段と、
前記蓄電手段から出力された電圧を前記定電圧生成手段に入力可能とし、前記蓄電手段と前記定電圧生成手段の接続を開閉する第２開閉手段と、
前記第１開閉手段または前記第２開閉手段の少なくともいずれか一方を制御する制御信号を外部から受信する制御信号受信手段と、を備え、
前記降圧・充電制御手段は、さらに前記制御信号受信手段によって受信された前記制御信号に基づいて、前記蓄電手段の出力または前記降圧手段の出力から前記定電圧生成手段によって生成された定電圧を前記負荷に供給するように制御すること、
を特徴とする電源装置。
【請求項５１】
前記蓄電手段の充電電圧を検出する充電電圧検出手段、をさらに備え、
前記降圧・充電制御手段は、さらに前記充電電圧検出手段によって検出された電圧に基づいて前記蓄電手段を充電するように制御すること、を特徴とする請求項４８〜５０のいずれか一つに記載の電源装置。
【請求項５２】
前記降圧手段から出力される電圧を検出する降圧電圧検出手段、をさらに備え、
前記降圧・充電制御手段は、さらに前記降圧電圧検出手段によって検出された電圧に基づいて前記降圧手段から出力される電圧を制御すること、を特徴とする請求項４８〜５１のいずれか一つに記載の電源装置。
【請求項５３】
前記降圧・充電制御手段は、さらに前記蓄電手段に充電する電圧を、前記定電圧生成手段に供給される電圧より高い電圧に充電すること、を特徴とする請求項４８〜５２のいずれか一つに記載の電源装置。
【請求項５４】
前記蓄電手段は、直列に接続された電気二重層コンデンサであり、
前記電気二重層コンデンサ個々の満充電を検出する単セル満充電検出回路と、
全ての電気二重層コンデンサの満充電を検出する全セル満充電検出回路と、をさらに備え、
前記単セル満充電検出回路出力または全セル満充電検出回路出力に基づいて充電動作を行うこと、を特徴とする請求項４８〜５３のいずれか一つに記載の電源装置。
【請求項５５】
請求項４８〜５４のいずれか一つに記載の電源装置を備えたことを特徴とする画像形成装置。
【請求項５６】
前記電源装置が備える開閉手段または切替手段の少なくともいずれか一つを制御する制御信号を生成する制御信号生成手段と、
前記制御信号生成手段によって生成された前記制御信号を前記電源装置に送信する制御信号送信手段と、をさらに備えたことを特徴とする請求項５５に記載の画像形成装置。
【請求項５７】
前記電源装置が備える前記充電電圧検出手段によって検出された充電電圧を受信する受信手段と、
前記制御信号生成手段は、さらに前記受信手段によって受信された前記充電電圧に基づいて、前記降圧手段から出力された電圧が前記定電圧生成手段に供給されるように制御信号を生成すること、を特徴とする請求項５６に記載の画像形成装置。
【請求項５８】
前記電源装置が備える前記充電電圧検出手段によって検出された充電電圧を受信する受信手段と、
前記制御信号生成手段は、さらに前記受信手段によって受信された前記充電電圧に基づいて、前記蓄電手段から出力された電圧が前記定電圧生成手段に供給されるように制御する制御信号を生成すること、を特徴とする請求項５６に記載の画像形成装置。
【請求項５９】
前記電源装置が備える前記充電電圧検出手段によって検出された充電電圧を受信する受信手段と、
前記制御信号生成手段は、さらに前記受信手段によって受信された前記充電電圧に基づいて、前記降圧手段から出力された電圧が前記蓄電手段に供給されるよう制御する制御信号を生成すること、を特徴とする請求項５６に記載の画像形成装置。
【請求項６０】
外部の負荷に電力を供給する電源装置において、
充放電可能な蓄電手段と、
商用電源から出力される電圧によって前記蓄電手段を充電する充電・制御手段と、
前記蓄電手段の出力または前記商用電源の出力に基づいて定電圧を生成する定電圧生成手段と、
前記商用電源から出力された電圧を前記定電圧生成手段に入力可能とし、前記商用電源と前記定電圧生成手段の接続を開閉する第１開閉手段と、
前記蓄電手段から出力された電圧を前記定電圧生成手段に入力可能とし、前記蓄電手段と前記定電圧生成手段の接続を開閉する第２開閉手段と、
前記第１開閉手段または前記第２開閉手段の少なくともいずれか一方を制御する制御信号を外部から受信する制御信号受信手段と、を備え、
前記充電・制御手段は、さらに前記制御信号受信手段によって受信された前記制御信号に基づいて、前記商用電源の出力または前記蓄電手段の出力から前記定電圧生成手段によって生成された定電圧を前記負荷に供給するように制御すること、
を特徴とする電源装置。
【請求項６１】
外部の負荷に電力を供給する電源装置において、
充放電可能な蓄電手段と、
商用電源から出力される電圧によって前記蓄電手段を充電する充電・制御手段と、
前記蓄電手段の出力または前記商用電源の出力に基づいて定電圧を生成する定電圧生成手段と、
前記商用電源から出力された電圧を前記充電・制御手段に入力可能とし、前記商用電源と前記充電・制御手段の接続を開閉する第１開閉手段と、
前記商用電源から出力された電圧を前記定電圧生成手段に入力可能とし、前記商用電源と前記定電圧生成手段の接続を開閉する第２開閉手段と、
前記蓄電手段から出力された電圧を前記定電圧生成手段に入力可能とし、前記蓄電手段と前記定電圧生成手段の接続を開閉する第３開閉手段と、
前記第１開閉手段、前記第２開閉手段または前記第３開閉手段のうち少なくともいずれか一つを制御する制御信号を外部から受信する制御信号受信手段と、を備え、
前記充電・制御手段は、さらに前記制御信号受信手段によって受信された前記制御信号に基づいて、前記商用電源の出力または前記蓄電手段の出力から前記定電圧生成手段によって生成された定電圧を前記負荷に供給するように制御すること、
を特徴とする電源装置。
【請求項６２】
前記蓄電手段の充電電圧を検出する充電電圧検出手段、をさらに備え、
前記充電・制御手段は、さらに前記充電電圧検出手段によって検出された電圧に基づいて前記蓄電手段を充電するように制御すること、を特徴とする請求項６０または請求項６１に記載の電源装置。
【請求項６３】
前記充電・制御手段は、さらに前記蓄電手段に充電する電圧を、前記商用電源から出力される電圧より低い電圧に充電すること、を特徴とする請求項６０〜６２のいずれか一つに記載の電源装置。
【請求項６４】
前記蓄電手段は、直列に接続された電気二重層コンデンサであり、
前記電気二重層コンデンサ個々の満充電を検出する単セル満充電検出回路と、
全ての電気二重層コンデンサの満充電を検出する全セル満充電検出回路と、をさらに備え、
前記単セル満充電検出回路出力または全セル満充電検出回路出力に基づいて充電動作を行うこと、を特徴とする請求項６０〜６３のいずれか一つに記載の電源装置。
【請求項６５】
請求項６０〜６４のいずれか一つに記載の電源装置を備えたことを特徴とする画像形成装置。
【請求項６６】
前記電源装置が備える開閉手段のうち少なくともいずれか一つを制御する制御信号を生成する制御信号生成手段と、
前記制御信号生成手段によって生成された前記制御信号を前記電源装置に送信する制御信号送信手段と、をさらに備えたことを特徴とする請求項６５に記載の画像形成装置。
【請求項６７】
前記電源装置が備える前記充電電圧検出手段によって検出された充電電圧を受信する受信手段と、
前記制御信号生成手段は、さらに前記受信手段によって受信された前記充電電圧に基づいて、前記商用電源から出力された電圧が前記定電圧生成手段に供給されるように制御信号を生成すること、を特徴とする請求項６６に記載の画像形成装置。
【請求項６８】
前記電源装置が備える前記充電電圧検出手段によって検出された充電電圧を受信する受信手段と、
前記制御信号生成手段は、さらに前記受信手段によって受信された前記充電電圧に基づいて、前記蓄電手段から出力された電圧が前記定電圧生成手段に供給されるように制御する制御信号を生成すること、を特徴とする請求項６６に記載の画像形成装置。
【請求項６９】
前記電源装置が備える前記充電電圧検出手段によって検出された充電電圧を受信する受信手段と、
前記制御信号生成手段は、さらに前記受信手段によって受信された前記充電電圧に基づいて、前記商用電源から出力された電圧が前記蓄電手段に供給されるよう制御する制御信号を生成すること、を特徴とする請求項６６に記載の画像形成装置。
【請求項７０】
前記制御信号生成手段は、さらに前記画像形成動作以外の場合は、商用電源から出力された電圧が前記蓄電手段に供給されるように制御する制御信号を生成すること、を特徴とする請求項６６に記載の画像形成装置。
【請求項７１】
トナー画像が形成された媒体を加圧及び加熱して前記トナー画像の定着を行う定着手段と、
前記定着手段の加熱部の温度を検出する温度検出手段と、
前記制御信号生成手段は、さらに前記温度検出手段によって検出された前記温度に基づいて、前記制御信号を生成すること、を特徴とする請求項５５または請求項６５に記載の画像形成装置。
【請求項７２】
前記制御信号生成手段は、前記温度検出手段によって検出された温度が、予め設定された温度より低い場合に、前記蓄電手段と前記定電圧生成手段との接続を閉鎖するよう制御する制御信号を生成すること、を特徴とする請求項７１に記載の画像形成装置。
【請求項７３】
充放電可能な蓄電手段と、商用電源から出力される電圧を降下する降圧手段と、前記蓄電手段の出力または前記降圧手段の出力に基づいて定電圧を生成する定電圧生成手段と、前記降圧手段から出力された電圧を前記蓄電手段に入力可能とし、前記降圧手段と前記蓄電手段の接続を開閉する第１開閉手段と、前記降圧手段から出力された電圧を前記定電圧生成手段に入力可能とし、前記降圧手段と前記定電圧生成手段の接続を開閉する第２開閉手段と、前記蓄電手段から出力された電圧を前記定電圧生成手段に入力可能とし、前記蓄電手段と前記定電圧生成手段の接続を開閉する第３開閉手段と、を備え、外部の負荷に電力を供給する電源装置の制御方法において、
前記降圧手段によって出力される降圧電圧を制御し、出力された降圧電圧に基づいて前記蓄電手段を充電する降圧・充電制御ステップと、
前記第１開閉手段、前記第２開閉手段および前記第３開閉手段の少なくともいずれか一つを制御する制御信号を外部から受信する制御信号受信ステップと、を有し、
前記降圧・充電制御ステップは、さらに前記制御信号受信ステップによって受信された前記制御信号に基づいて、前記蓄電手段の出力または前記降圧手段の出力から前記定電圧生成手段によって生成された定電圧を前記負荷に供給するように制御すること、
を特徴とする電源装置の制御方法。
【請求項７４】
充放電可能な蓄電手段と、商用電源から出力される電圧を降下する降圧手段と、前記蓄電手段の出力または前記降圧手段の出力に基づいて定電圧を生成する定電圧生成手段と、前記降圧手段から出力された電圧を前記蓄電手段に入力可能とし、前記降圧手段と前記蓄電手段の接続を開閉する第１開閉手段と、前記降圧手段から出力された電圧を前記定電圧生成手段に入力可能とし、前記降圧手段と前記定電圧生成手段の接続を開閉する第２開閉手段と、前記蓄電手段から出力された電圧を前記定電圧生成手段に入力可能とし、前記蓄電手段と前記定電圧生成手段の接続を開閉する第３開閉手段と、外部の負荷に電力を供給する電源装置の制御方法において、
前記降圧手段によって出力される降圧電圧を制御し、出力された降圧電圧に基づいて前記蓄電手段を充電する降圧・充電制御ステップと、
前記第１開閉手段、前記第２開閉手段および前記第３開閉手段の少なくともいずれか一つを制御する制御信号を外部から受信する制御信号受信ステップと、を有し、
前記降圧・充電制御ステップは、さらに前記制御信号受信ステップによって受信された前記制御信号に基づいて、前記蓄電手段の出力または前記降圧手段の出力から前記定電圧生成手段によって生成された定電圧を前記負荷に供給するように制御すること、
を特徴とする電源装置の制御方法。
【請求項７５】
充放電可能な蓄電手段と、商用電源から出力される電圧を降下する降圧手段と、前記蓄電手段の出力または前記降圧手段の出力に基づいて定電圧を生成する定電圧生成手段と、前記降圧手段から出力された電圧を前記蓄電手段に入力可能とし、前記降圧手段と前記蓄電手段の接続を開閉する第１開閉手段と、前記蓄電手段から出力された電圧を前記定電圧生成手段に入力可能とし、前記蓄電手段と前記定電圧生成手段の接続を開閉する第２開閉手段と、を備え、外部の負荷に電力を供給する電源装置において、
前記降圧手段によって出力される降圧電圧を制御し、出力された降圧電圧に基づいて前記蓄電手段を充電する降圧・充電制御ステップと、
前記第１開閉手段または前記第２開閉手段の少なくともいずれか一方を制御する制御信号を外部から受信する制御信号受信ステップと、を有し、
前記降圧・充電制御ステップは、さらに前記制御信号受信ステップによって受信された前記制御信号に基づいて、前記蓄電手段の出力または前記降圧手段の出力から前記定電圧生成手段によって生成された定電圧を前記負荷に供給するように制御すること、
を特徴とする電源装置の制御方法。
【請求項７６】
充放電可能な蓄電手段と、前記蓄電手段の出力または商用電源の出力に基づいて定電圧を生成する定電圧生成手段と、前記商用電源から出力された電圧を前記定電圧生成手段に入力可能とし、前記商用電源と前記定電圧生成手段の接続を開閉する第１開閉手段と、前記蓄電手段から出力された電圧を前記定電圧生成手段に入力可能とし、前記蓄電手段と前記定電圧生成手段の接続を開閉する第２開閉手段とを備え、外部の負荷に電力を供給する電源装置の制御方法において、
商用電源から出力される電圧によって前記蓄電手段を充電する充電・制御ステップと、
前記第１開閉手段または前記第２開閉手段の少なくともいずれか一方を制御する制御信号を外部から受信する制御信号受信ステップと、を有し、
前記充電・制御ステップは、さらに前記制御信号受信ステップによって受信された前記制御信号に基づいて、前記商用電源の出力または前記蓄電手段の出力から前記定電圧生成手段によって生成された定電圧を前記負荷に供給するように制御すること、
を特徴とする電源装置の制御方法。
【請求項７７】
充放電可能な蓄電手段と、前記蓄電手段の出力または商用電源の出力に基づいて定電圧を生成する定電圧生成手段と、前記商用電源から出力された電圧を前記充電手段に入力可能とし、前記商用電源と前記充電手段の接続を開閉する第１開閉手段と、前記商用電源から出力された電圧を前記定電圧生成手段に入力可能とし、前記商用電源と前記定電圧生成手段の接続を開閉する第２開閉手段と、前記蓄電手段から出力された電圧を前記定電圧生成手段に入力可能とし、前記蓄電手段と前記定電圧生成手段の接続を開閉する第３開閉手段と、外部の負荷に電力を供給する電源装置の制御方法において、
商用電源から出力される電圧によって前記蓄電手段を充電する充電・制御ステップと、
前記第１開閉手段、前記第２開閉手段または前記第３開閉手段のうち少なくともいずれか一つを制御する制御信号を外部から受信する制御信号受信ステップと、を有し、
前記充電・制御ステップは、さらに前記制御信号受信手段によって受信された前記制御信号に基づいて、前記商用電源の出力または前記蓄電手段の出力から前記定電圧生成手段によって生成された定電圧を前記負荷に供給するように制御すること、
を特徴とする電源装置の制御方法。
【発明の詳細な説明】
【技術分野】
【０００１】
本発明は、画像形成装置、電源装置及び制御方法に関するものであり、特に蓄電手段を含む電力の制御に関する。
【背景技術】
【０００２】
近年、環境保全活動が高まり、画像形成装置も省エネ化が求められている。トナー画像が形成された紙、フィルムなどの被加熱体を加圧及び加熱するヒートローラ方式の定着装置を有した画像形成装置は、特に多くの電力を必要とする。
【０００３】
画像形成速度が高速である画像形成装置では、画像形成動作時に加熱部の定着ローラの温度落ち込みを防止するため熱容量が大きい定着ローラを採用する場合がある。このような場合、定着ローラが使用可能温度に上昇するまで、数分の長い立上り時間が必要であるため、コピー待ちの時間が長くなってしまう。また、定着ローラの昇温時間を短くするために、熱容量を少なくした定着ローラが採用される場合がある。このような場合は、画像形成動作時に定着ローラの温度落ち込みが発生してしまう。これらの問題は、２００Ｖ電源を使用し、ハロゲンヒータなどの発熱部材の電力容量を大きくしたり、通電電流を大きくしたりすることによって、定着ローラの温度を早く立上ることができれば解決できる。しかし、日本国内の一般的なオフィスの商用電源は、１００Ｖ、１５Ａが一般的であり、２００Ｖに対応させるには、設置場所の電源関連に特別な工事を施す必要があり一般的な解決方法とはいえない。
【０００４】
また、待機時における定着装置の消費電力の低減方法としては、待機時に定着ローラの温度を定着温度よりやや低い一定の温度に保ち、使用時に直ちに使用可能温度まで立上げることによって、使用者の定着ローラの昇温を待つ時間を短縮することが一般的である。この場合、定着装置を使用していないときにもある程度の電力を供給して余分なエネルギを消費しているという問題があった。なお、この待機時の消費エネルギは、機器の消費エネルギの約７割から８割となるといわれている。
【０００５】
このような問題を解決するものとして、商用電源で駆動する定着ヒータと別に補助ヒータを設け、この補助ヒータに大容量コンデンサに蓄電した電力を供給することにより、定着ヒータに大きな電力を投入し、定着装置の立上り時間を短くし、かつ定着装置の温度変化を小さくする技術が開示されている（特許文献１参照）。
【０００６】
また、商用電源から供給された電圧によって蓄電部（キャパシタ）を充電し、充電された電圧を用いて負荷に供給する技術が開示されている（特許文献２参照）。
【０００７】
【特許文献１】特開２００３−２９７５２６号公報
【特許文献２】特開２００４−２６６９８４号公報
【発明の開示】
【発明が解決しようとする課題】
【０００８】
しかしながら、上記特許文献１に記載された技術では、複数のヒータに対応した温度検出部及び温度検出部が検出した温度検出結果に従って複数のヒータを制御する制御部が必要になり、定着装置の構成が複雑になってしまう。
【０００９】
また、上記特許文献２に記載された技術では、電圧の高いで充電する大容量のキャパシタを用いる必要があるため、コストが増大してしまう要因となり、望ましくない。
【００１０】
本発明は、上記に鑑みてなされたものであって、日本国内の一般的なオフィスで使用されている商用電源を用いて、定着装置等の画像形成動作を行う負荷の立上り時間を短縮することができるとともに、画像形成装置の電源供給部の構成を簡易にでき、画像形成装置の製造コストの低減を図ることができる画像形成装置、電源装置及び制御方法を提供することを目的とする。
【課題を解決するための手段】
【００１１】
上述した課題を解決し、目的を達成するために、請求項１にかかる発明は、充放電可能な蓄電手段と、商用電源から出力される電圧を降下する降圧手段と、前記降圧手段によって出力される降圧電圧を制御し、出力された降圧電圧に基づいて前記蓄電手段を充電する降圧・充電制御手段と、前記蓄電手段の出力または前記降圧手段の出力に基づいて定電圧を生成する定電圧生成手段と、前記定電圧生成手段によって生成された定電圧を、画像形成動作を行う負荷に供給する供電制御手段と、を備えることを特徴とする。
【００１２】
また、請求項２にかかる発明は、請求項１に記載の画像形成装置において、前記蓄電手段の充電電圧を検出する充電電圧検出手段、をさらに備え、前記降圧・充電制御手段は、さらに前記充電電圧検出手段によって検出された電圧に基づいて前記蓄電手段を充電するように制御すること、を特徴とする。
【００１３】
また、請求項３にかかる発明は、請求項２に記載の画像形成装置において、前記供電制御手段は、さらに前記充電電圧検出手段によって検出された電圧に基づいて、前記降圧・充電制御手段に指示することにより前記蓄電手段を充電すること、を特徴とする。
【００１４】
また、請求項４にかかる発明は、請求項１〜３のいずれか一つに記載の画像形成装置において、前記降圧手段から出力される電圧を検出する降圧電圧検出手段、をさらに備え、前記降圧・充電制御手段は、さらに前記降圧電圧検出手段によって検出された電圧に基づいて前記降圧手段から出力される電圧を制御すること、を特徴とする。
【００１５】
また、請求項５にかかる発明は、請求項４に記載の画像形成装置において、前記供電制御手段は、さらに前記降圧電圧検出手段によって検出された電圧に基づいて、前記降圧・充電制御手段に対して指示することにより前記降圧手段から出力される電圧を制御すること、を特徴とする。
【００１６】
また、請求項６にかかる発明は、請求項１〜５のいずれか一つに記載の画像形成装置において、前記降圧・充電制御手段は、さらに前記蓄電手段に充電する電圧を、前記定電圧生成手段に供給される電圧より高く充電すること、を特徴とする。
【００１７】
また、請求項７にかかる発明は、請求項２〜６のいずれか一つに記載の画像形成装置において、前記供電制御手段は、さらに前記充電電圧検出手段によって検出された電圧に基づいて、前記蓄電手段に供給する電圧を制御すること、を特徴とする。
【００１８】
また、請求項８にかかる発明は、請求項２〜７のいずれか一つに記載の画像形成装置において、前記供電制御手段は、さらに前記充電電圧検出手段によって検出された電圧に基づいて、前記定電圧生成手段に供給する電圧を制御すること、を特徴とする。
【００１９】
また、請求項９にかかる発明は、請求項１〜８のいずれか一つに記載の画像形成装置において、予め定められた画像形成動作における電力使用量テーブルを記憶する電力使用記憶手段、をさらに備え、前記供電制御手段は、前記電力使用記憶手段に記憶された前記画像形成動作における前記電力使用量テーブルの結果に基づいて、前記蓄電手段からの出力を前記負荷に供給するように制御すること、を特徴とする。
【００２０】
また、請求項１０にかかる発明は、請求項９に記載の画像形成装置において、前記電力使用記憶手段は、さらに所定の電力を必要とする画像形成動作を示す電力使用条件と、前記蓄電手段から供給される電力量を示す供給電力量とを対応付けて記憶し、前記供電制御手段は、さらに前記負荷によって行われる画像形成動作が前記電力使用記憶手段に記憶された前記電力使用条件に合致する場合に、前記電力使用記憶手段に記憶された前記電力使用条件に対応する前記供給電力量を前記蓄電手段から供給するように制御すること、を特徴とする。
【００２１】
また、請求項１１にかかる発明は、請求項１〜１０のいずれか一つに記載の画像形成装置において、前記降圧手段から出力された電圧を前記定電圧生成手段または前記蓄電手段のいずれか一方に入力可能となるよう切替える第１切替手段と、前記定電圧生成手段に入力する電圧を前記降圧手段または前記蓄電手段のいずれか一方から供給可能となるよう切替える第２切替手段と、をさらに備え、前記供電制御手段は、さらに前記画像形成動作以外を行う場合は、前記第１切替手段を前記蓄電手段に接続し、前記第２切替手段を前記降圧手段に接続するよう制御すること、を特徴とする。
【００２２】
また、請求項１２にかかる発明は、請求項１１に記載の画像形成装置において、前記供電制御手段は、さらに前記画像形成動作を行う場合は、前記第１切替手段を前記降圧手段に接続し、前記第２切替手段を前記降圧手段に接続するよう制御すること、を特徴とする。
【００２３】
また、請求項１３にかかる発明は、請求項１１に記載の画像形成装置において、前記供電制御手段は、さらに前記画像形成動作を行う場合は、前記第１切替手段を前記降圧手段に接続し、前記第２切替手段を前記蓄電手段に接続するよう制御すること、を特徴とする。
【００２４】
また、請求項１４にかかる発明は、請求項１１に記載の画像形成装置において、前記供電制御手段は、さらに電源がＯＦＦにされた場合は、前記第１切替手段を前記降圧手段に接続し、前記第２切替手段を前記降圧手段に接続するよう制御すること、を特徴とする。
【００２５】
また、請求項１５にかかる発明は、請求項１〜１０のいずれか一つに記載の画像形成装置において、前記降圧手段から出力された電圧を前記蓄電手段に入力可能とし、前記降圧手段と前記蓄電手段の接続を開閉する第１開閉手段と、前記降圧手段から出力された電圧を前記定電圧生成手段に入力可能とし、前記降圧手段と前記定電圧生成手段の接続を開閉する第２開閉手段と、前記蓄電手段から出力された電圧を前記定電圧生成手段に入力可能とし、前記蓄電手段と前記定電圧生成手段の接続を開閉する第３開閉手段と、をさらに備え、前記供電制御手段は、さらに前記画像形成動作以外を行う場合は、前記第１開閉手段を閉鎖し、前記第２開閉手段を開放し、前記第３開閉手段を開放するよう制御すること、を特徴とする。
【００２６】
また、請求項１６にかかる発明は、請求項１５に記載の画像形成装置において、前記供電制御手段は、さらに前記画像形成動作以外を行う場合は、前記第１開閉手段を閉鎖し、前記第３開閉手段を開放し、前記第２開閉手段を閉鎖するよう制御すること、を特徴とする。
【００２７】
また、請求項１７にかかる発明は、請求項１５に記載の画像形成装置において、前記供電制御手段は、さらに前記画像形成動作を行う場合は、前記第２開閉手段を閉鎖し、前記第３開閉手段を開放するよう制御すること、を特徴とする。
【００２８】
また、請求項１８にかかる発明は、請求項１５に記載の画像形成装置において、前記供電制御手段は、さらに前記画像形成動作を行う場合は、前記第３開閉手段を閉鎖し、前記第２開閉手段を開放し、前記第１開閉手段を開放するよう制御すること、を特徴とする。
【００２９】
また、請求項１９にかかる発明は、請求項１５に記載の画像形成装置において、前記供電制御手段は、さらに前記第２開閉手段を閉鎖し、前記第３開閉手段を閉鎖するよう制御することにより、前記蓄電手段から供給される電圧が所定の電圧以下となった場合に、前記商用電源から電圧が供給されること、を特徴とする。
【００３０】
また、請求項２０にかかる発明は、請求項１５に記載の画像形成装置において、前記供電制御手段は、さらに電源がＯＦＦにされた場合は、前記第１開閉手段を開放し、前記第３開閉手段を開放するよう制御すること、を特徴とする。
【００３１】
また、請求項２１にかかる発明は、請求項１５〜２０のいずれか一つに記載の画像形成装置において、前記供電制御手段は、さらに前記第２開閉手段を開放する場合は、前記第３開閉手段を閉鎖した後に前記第２開閉手段を開放し、前記第３開閉手段を開放する場合は、前記第２開閉手段を閉鎖した後に前記第３開閉手段を開放すること、を特徴とする。
【００３２】
また、請求項２２にかかる発明は、請求項１〜１０のいずれか一つに記載の画像形成装置において、前記降圧手段から出力された電圧を前記蓄電手段に入力可能とし、前記降圧手段と前記蓄電手段の接続を開閉する第１開閉手段と、前記蓄電手段から出力された電圧を前記定電圧生成手段に入力可能とし、前記蓄電手段と前記定電圧生成手段の接続を開閉する第２開閉手段と、をさらに備え、前記供電制御手段は、さらに前記画像形成動作以外を行う場合は、前記第１開閉手段を閉鎖し、前記第２開閉手段を開放するよう制御すること、を特徴とする。
【００３３】
また、請求項２３にかかる発明は、請求項２２に記載の画像形成装置において、前記供電制御手段は、さらに前記画像形成動作を行う場合は、前記第１開閉手段を開放し、前記第２開閉手段を開放するよう制御すること、を特徴とする。
【００３４】
また、請求項２４にかかる発明は、請求項２２に記載の画像形成装置において、前記供電制御手段は、さらに前記画像形成動作を行う場合は、前記第２開閉手段を閉鎖し、前記第１開閉手段を開放するよう制御すること、を特徴とする。
【００３５】
また、請求項２５にかかる発明は、請求項２２に記載の画像形成装置において、前記供電制御手段は、さらに前記第２開閉手段を閉鎖し、前記第１開閉手段を開放するよう制御することにより、前記蓄電手段から供給される電圧が所定の電圧以下となった場合に、前記商用電源から電圧が供給されること、を特徴とする。
【００３６】
また、請求項２６にかかる発明は、請求項２２に記載の画像形成装置において、前記供電制御手段は、さらに電源がＯＦＦにされた場合は、前記第１開閉手段を開放し、前記第３開閉手段を開放するよう制御すること、を特徴とする。
【００３７】
また、請求項２７にかかる発明は、充放電可能な蓄電手段と、商用電源から出力される電圧によって前記蓄電手段を充電する充電手段と、前記蓄電手段の出力または前記商用電源の出力に基づいて定電圧を生成する定電圧生成手段と、前記定電圧生成手段によって生成された定電圧を、画像形成動作を行う負荷に供給する供電制御手段と、を備えることを特徴とする。
【００３８】
また、請求項２８にかかる発明は、請求項２７に記載の画像形成装置において、前記蓄電手段の充電電圧を検出する充電電圧検出手段、をさらに備え、前記充電手段は、さらに前記充電電圧検出手段によって検出された電圧に基づいて前記蓄電手段を充電するよう制御すること、を特徴とする。
【００３９】
また、請求項２９にかかる発明は、請求項２７または請求項２８に記載の画像形成装置において、前記充電手段は、さらに前記商用電源から出力される電圧より前記蓄電手段を低く充電すること、を特徴とする。
【００４０】
また、請求項３０にかかる発明は、請求項２８または請求項２９に記載の画像形成装置において、前記供電制御手段は、さらに前記充電電圧検出手段によって検出された電圧に基づいて前記蓄電手段から前記定電圧生成手段に供給する電圧を制御すること、を特徴とする。
【００４１】
また、請求項３１にかかる発明は、請求項２７〜３０のいずれか一つに記載の画像形成装置において、予め定められた画像形成動作における電力使用量テーブルを記憶する電力使用記憶手段、をさらに備え、前記供電制御手段は、前記電力使用記憶手段に記憶された前記画像形成動作における前記電力使用量テーブルの結果に基づいて、前記蓄電手段からの出力を前記負荷に供給するように制御すること、を特徴とする。
【００４２】
また、請求項３２にかかる発明は、請求項３１に記載の画像形成装置において、前記電力使用記憶手段は、さらに所定の電力を必要とする画像形成動作を示す電力使用条件と、前記蓄電手段から供給される電力量を示す供給電力量とを対応付けて記憶し、前記供電制御手段は、さらに前記負荷によって行われる画像形成動作が前記電力使用記憶手段に記憶された前記電力使用条件に合致する場合に、前記電力使用記憶手段に記憶された前記電力使用条件に対応する前記供給電力量を前記蓄電手段から供給するように制御すること、を特徴とする。
【００４３】
また、請求項３３にかかる発明は、請求項２７〜３２のいずれか一つに記載の画像形成装置において、前記供電制御手段は、さらに前記充電手段に指示することにより前記蓄電手段を充電すること、を特徴とする。
【００４４】
また、請求項３４にかかる発明は、請求項２７〜３３のいずれか一つに記載の画像形成装置において、前記商用電源から出力された電圧を前記定電圧生成手段に入力可能とし、前記商用電源と前記定電圧生成手段の接続を開閉する第１開閉手段と、前記蓄電手段から出力された電圧を前記定電圧生成手段に入力可能とし、前記蓄電手段と前記定電圧生成手段の接続を開閉する第２開閉手段と、をさらに備え、前記供電制御手段は、さらに前記画像形成動作以外を行う場合は、前記第１開閉手段を開放し、前記第２開閉手段を開放するよう制御すること、を特徴とする。
【００４５】
また、請求項３５にかかる発明は、請求項３４に記載の画像形成装置において、前記供電制御手段は、さらに前記画像形成動作以外を行う場合は、前記第１開閉手段を閉鎖し、前記第２開閉手段を開放するよう制御すること、を特徴とする。
【００４６】
また、請求項３６にかかる発明は、請求項３４に記載の画像形成装置において、前記供電制御手段は、さらに前記画像形成動作を行う場合は、前記第１開閉手段を閉鎖し、前記第２開閉手段を開放するよう制御すること、を特徴とする。
【００４７】
また、請求項３７にかかる発明は、請求項３４に記載の画像形成装置において、前記供電制御手段は、さらに前記画像形成動作を行う場合は、前記第１開閉手段を開放し、前記第２開閉手段を閉鎖するよう制御すること、を特徴とする。
【００４８】
また、請求項３８にかかる発明は、請求項３４に記載の画像形成装置において、前記商用電源の電圧を検出する電圧検出手段、をさらに備え、前記供電制御手段は、さらに前記電圧検出手段によって検出された電圧に基づいて前記第２開閉手段を閉鎖し、前記第１開閉手段を開放するよう制御すること、を特徴とする。
【００４９】
また、請求項３９にかかる発明は、請求項３４〜３８のいずれか一つに記載の画像形成装置において、前記供電制御手段は、さらに前記第１開閉手段を開放する場合は、前記第２開閉手段を閉鎖した後に前記第１開閉手段を開放し、前記第２開閉手段を開放する場合は、前記第１開閉手段を閉鎖した後に前記第２開閉手段を開放すること、を特徴とする。
【００５０】
また、請求項４０にかかる発明は、請求項２７〜３３のいずれか一つに記載の画像形成装置において、前記商用電源から出力された電圧を前記充電手段に入力可能とし、前記商用電源と前記充電手段の接続を開閉する第１開閉手段と、前記商用電源から出力された電圧を前記定電圧生成手段に入力可能とし、前記商用電源と前記定電圧生成手段の接続を開閉する第２開閉手段と、前記蓄電手段から出力された電圧を前記定電圧生成手段に入力可能とし、前記蓄電手段と前記定電圧生成手段の接続を開閉する第３開閉手段と、をさらに備え、前記供電制御手段は、さらに前記画像形成動作以外を行う場合は、前記第１開閉手段を閉鎖し、前記第２開閉手段を開放し、前記第３開閉手段を開放するよう制御すること、を特徴とする。
【００５１】
また、請求項４１にかかる発明は、請求項４０に記載の画像形成装置において、前記供電制御手段は、さらに前記画像形成動作以外を行う場合は、前記第１開閉手段を閉鎖し、前記第３開閉手段を開放し、前記第２開閉手段を閉鎖するよう制御すること、を特徴とする。
【００５２】
また、請求項４２にかかる発明は、請求項４０に記載の画像形成装置において、前記供電制御手段は、さらに前記画像形成動作を行う場合は、前記第１開閉手段を開放し、前記第２開閉手段を閉鎖し、前記第３開閉手段を開放するよう制御すること、を特徴とする。
【００５３】
また、請求項４３にかかる発明は、請求項４０に記載の画像形成装置において、前記供電制御手段は、さらに前記画像形成動作を行う場合は、前記第３開閉手段を閉鎖し、前記第２開閉手段を開放し、前記第１開閉手段を開放するよう制御すること、を特徴とする。
【００５４】
また、請求項４４にかかる発明は、請求項４０に記載の画像形成装置において、前記商用電源の電圧を検出する電圧検出手段、をさらに備え、前記供電制御手段は、さらに前記電圧検出手段によって検出された電圧に基づいて前記第３開閉手段を閉鎖し、前記第１開閉手段を開放し、前記第２開閉手段を開放するよう制御すること、を特徴とする。
【００５５】
また、請求項４５にかかる発明は、請求項４０〜４４のいずれか一つに記載の画像形成装置において、前記供電制御手段は、さらに前記第２開閉手段を開放する場合は、前記第３開閉手段を閉鎖した後に前記第２開閉手段を開放し、前記第３開閉手段を開放する場合は、前記第２開閉手段を閉鎖した後に前記第３開閉手段を開放すること、を特徴とする。
【００５６】
また、請求項４６にかかる発明は、充放電可能な蓄電手段と、商用電源から出力される電圧を降下する降圧手段と、前記蓄電手段の出力または前記降圧手段の出力に基づいて定電圧を生成する定電圧生成手段とを備える画像形成装置の制御方法において、前記降圧手段によって出力される降圧電圧を制御し、出力された降圧電圧に基づいて前記蓄電手段を充電する降圧・充電制御ステップと、前記定電圧生成手段によって生成された定電圧を、画像形成動作を行う負荷に供給する供電制御ステップと、を有することを特徴とする。
【００５７】
また、請求項４７にかかる発明は、充放電可能な蓄電手段と、商用電源から出力される電圧によって前記蓄電手段を充電する充電手段と、前記蓄電手段の出力または前記商用電源の出力に基づいて定電圧を生成する定電圧生成手段とを備える画像形成装置の制御方法において、前記定電圧生成手段によって生成された定電圧を、画像形成動作を行う負荷に供給する供電制御ステップと、を有することを特徴とする。
【００５８】
また、請求項４８にかかる発明は、外部の負荷に電力を供給する電源装置において、充放電可能な蓄電手段と、商用電源から出力される電圧を降下する降圧手段と、前記降圧手段によって出力される降圧電圧を制御し、出力された降圧電圧に基づいて前記蓄電手段を充電する降圧・充電制御手段と、前記蓄電手段の出力または前記降圧手段の出力に基づいて定電圧を生成する定電圧生成手段と、前記降圧手段から出力された電圧を前記定電圧生成手段または前記蓄電手段のいずれか一方に入力可能となるよう切替える第１切替手段と、前記定電圧生成手段に入力する電圧を前記降圧手段または前記蓄電手段のいずれか一方から供給可能となるよう切替える第２切替手段と、前記第１切替手段または前記第２切替手段の少なくともいずれか一方を制御する制御信号を外部から受信する制御信号受信手段と、を備え、前記降圧・充電制御手段は、さらに前記制御信号受信手段によって受信された前記制御信号に基づいて、前記蓄電手段の出力または前記降圧手段の出力から前記定電圧生成手段によって生成された定電圧を前記負荷に供給するように制御すること、を特徴とする。
【００５９】
また、請求項４９にかかる発明は、外部の負荷に電力を供給する電源装置において、充放電可能な蓄電手段と、商用電源から出力される電圧を降下する降圧手段と、前記降圧手段によって出力される降圧電圧を制御し、出力された降圧電圧に基づいて前記蓄電手段を充電する降圧・充電制御手段と、前記蓄電手段の出力または前記降圧手段の出力に基づいて定電圧を生成する定電圧生成手段と、前記降圧手段から出力された電圧を前記蓄電手段に入力可能とし、前記降圧手段と前記蓄電手段の接続を開閉する第１開閉手段と、前記降圧手段から出力された電圧を前記定電圧生成手段に入力可能とし、前記降圧手段と前記定電圧生成手段の接続を開閉する第２開閉手段と、前記蓄電手段から出力された電圧を前記定電圧生成手段に入力可能とし、前記蓄電手段と前記定電圧生成手段の接続を開閉する第３開閉手段と、前記第１開閉手段、前記第２開閉手段および前記第３開閉手段の少なくともいずれか一つを制御する制御信号を外部から受信する制御信号受信手段と、を備え、前記降圧・充電制御手段は、さらに前記制御信号受信手段によって受信された前記制御信号に基づいて、前記蓄電手段の出力または前記降圧手段の出力から前記定電圧生成手段によって生成された定電圧を前記負荷に供給するように制御すること、を特徴とする。
【００６０】
また、請求項５０にかかる発明は、外部の負荷に電力を供給する電源装置において、充放電可能な蓄電手段と、商用電源から出力される電圧を降下する降圧手段と、前記降圧手段によって出力される降圧電圧を制御し、出力された降圧電圧に基づいて前記蓄電手段を充電する降圧・充電制御手段と、前記蓄電手段の出力または前記降圧手段の出力に基づいて定電圧を生成する定電圧生成手段と、前記降圧手段から出力された電圧を前記蓄電手段に入力可能とし、前記降圧手段と前記蓄電手段の接続を開閉する第１開閉手段と、前記蓄電手段から出力された電圧を前記定電圧生成手段に入力可能とし、前記蓄電手段と前記定電圧生成手段の接続を開閉する第２開閉手段と、前記第１開閉手段または前記第２開閉手段の少なくともいずれか一方を制御する制御信号を外部から受信する制御信号受信手段と、を備え、前記降圧・充電制御手段は、さらに前記制御信号受信手段によって受信された前記制御信号に基づいて、前記蓄電手段の出力または前記降圧手段の出力から前記定電圧生成手段によって生成された定電圧を前記負荷に供給するように制御すること、を特徴とする。
【００６１】
また、請求項５１にかかる発明は、請求項４８〜５０のいずれか一つに記載の電源装置において、前記蓄電手段の充電電圧を検出する充電電圧検出手段、をさらに備え、前記降圧・充電制御手段は、さらに前記充電電圧検出手段によって検出された電圧に基づいて前記蓄電手段を充電するように制御すること、を特徴とする。
【００６２】
また、請求項５２にかかる発明は、請求項４８〜５１のいずれか一つに記載の電源装置において、前記降圧手段から出力される電圧を検出する降圧電圧検出手段、をさらに備え、前記降圧・充電制御手段は、さらに前記降圧電圧検出手段によって検出された電圧に基づいて前記降圧手段から出力される電圧を制御すること、を特徴とする。
【００６３】
また、請求項５３にかかる発明は、請求項４８〜５２のいずれか一つに記載の電源装置において、前記降圧・充電制御手段は、さらに前記蓄電手段に充電する電圧を、前記定電圧生成手段に供給される電圧より高い電圧に充電すること、を特徴とする。
【００６４】
また、請求項５４にかかる発明は、請求項４８〜５３のいずれか一つに記載の電源装置において、前記蓄電手段は、直列に接続された電気二重層コンデンサであり、前記電気二重層コンデンサ個々の満充電を検出する単セル満充電検出回路と、全ての電気二重層コンデンサの満充電を検出する全セル満充電検出回路と、をさらに備え、前記単セル満充電検出回路出力または全セル満充電検出回路出力に基づいて充電動作を行うこと、を特徴とする。
【００６５】
また、請求項５５にかかる発明は、請求項４８〜５４のいずれか一つに記載の電源装置を備えたことを特徴とする。
【００６６】
また、請求項５６にかかる発明は、請求項５５に記載の画像形成装置において、前記電源装置が備える開閉手段または切替手段の少なくともいずれか一つを制御する制御信号を生成する制御信号生成手段と、前記制御信号生成手段によって生成された前記制御信号を前記電源装置に送信する制御信号送信手段と、をさらに備えたことを特徴とする。
【００６７】
また、請求項５７にかかる発明は、請求項５６に記載の画像形成装置において、前記電源装置が備える前記充電電圧検出手段によって検出された充電電圧を受信する受信手段と、前記制御信号生成手段は、さらに前記受信手段によって受信された前記充電電圧に基づいて、前記降圧手段から出力された電圧が前記定電圧生成手段に供給されるように制御信号を生成すること、を特徴とする。
【００６８】
また、請求項５８にかかる発明は、請求項５６に記載の画像形成装置において、前記電源装置が備える前記充電電圧検出手段によって検出された充電電圧を受信する受信手段と、前記制御信号生成手段は、さらに前記受信手段によって受信された前記充電電圧に基づいて、前記蓄電手段から出力された電圧が前記定電圧生成手段に供給されるように制御する制御信号を生成すること、を特徴とする。
【００６９】
また、請求項５９にかかる発明は、請求項５６に記載の画像形成装置において、前記電源装置が備える前記充電電圧検出手段によって検出された充電電圧を受信する受信手段と、前記制御信号生成手段は、さらに前記受信手段によって受信された前記充電電圧に基づいて、前記降圧手段から出力された電圧が前記蓄電手段に供給されるよう制御する制御信号を生成すること、を特徴とする。
【００７０】
また、請求項６０にかかる発明は、外部の負荷に電力を供給する電源装置において、充放電可能な蓄電手段と、商用電源から出力される電圧によって前記蓄電手段を充電する充電・制御手段と、前記蓄電手段の出力または前記商用電源の出力に基づいて定電圧を生成する定電圧生成手段と、前記商用電源から出力された電圧を前記定電圧生成手段に入力可能とし、前記商用電源と前記定電圧生成手段の接続を開閉する第１開閉手段と、前記蓄電手段から出力された電圧を前記定電圧生成手段に入力可能とし、前記蓄電手段と前記定電圧生成手段の接続を開閉する第２開閉手段と、前記第１開閉手段または前記第２開閉手段の少なくともいずれか一方を制御する制御信号を外部から受信する制御信号受信手段と、を備え、前記充電・制御手段は、さらに前記制御信号受信手段によって受信された前記制御信号に基づいて、前記商用電源の出力または前記蓄電手段の出力から前記定電圧生成手段によって生成された定電圧を前記負荷に供給するように制御すること、を特徴とする。
【００７１】
また、請求項６１にかかる発明は、外部の負荷に電力を供給する電源装置において、充放電可能な蓄電手段と、商用電源から出力される電圧によって前記蓄電手段を充電する充電・制御手段と、前記蓄電手段の出力または前記商用電源の出力に基づいて定電圧を生成する定電圧生成手段と、前記商用電源から出力された電圧を前記充電・制御手段に入力可能とし、前記商用電源と前記充電・制御手段の接続を開閉する第１開閉手段と、前記商用電源から出力された電圧を前記定電圧生成手段に入力可能とし、前記商用電源と前記定電圧生成手段の接続を開閉する第２開閉手段と、前記蓄電手段から出力された電圧を前記定電圧生成手段に入力可能とし、前記蓄電手段と前記定電圧生成手段の接続を開閉する第３開閉手段と、前記第１開閉手段、前記第２開閉手段または前記第３開閉手段のうち少なくともいずれか一つを制御する制御信号を外部から受信する制御信号受信手段と、を備え、前記充電・制御手段は、さらに前記制御信号受信手段によって受信された前記制御信号に基づいて、前記商用電源の出力または前記蓄電手段の出力から前記定電圧生成手段によって生成された定電圧を前記負荷に供給するように制御すること、を特徴とする。
【００７２】
また、請求項６２にかかる発明は、請求項６０または請求項６１に記載の電源装置において、前記蓄電手段の充電電圧を検出する充電電圧検出手段、をさらに備え、前記充電・制御手段は、さらに前記充電電圧検出手段によって検出された電圧に基づいて前記蓄電手段を充電するように制御すること、を特徴とする。
【００７３】
また、請求項６３にかかる発明は、請求項６０〜６２のいずれか一つに記載の電源装置において、前記充電・制御手段は、さらに前記蓄電手段に充電する電圧を、前記商用電源から出力される電圧より低い電圧に充電すること、を特徴とする。
【００７４】
また、請求項６４にかかる発明は、請求項６０〜６３のいずれか一つに記載の電源装置において、前記蓄電手段は、直列に接続された電気二重層コンデンサであり、前記電気二重層コンデンサ個々の満充電を検出する単セル満充電検出回路と、全ての電気二重層コンデンサの満充電を検出する全セル満充電検出回路と、をさらに備え、前記単セル満充電検出回路出力または全セル満充電検出回路出力に基づいて充電動作を行うこと、を特徴とする。
【００７５】
また、請求項６５にかかる発明は、請求項６０〜６４のいずれか一つに記載の電源装置を備えたことを特徴とする。
【００７６】
また、請求項６６にかかる発明は、請求項６５に記載の画像形成装置において、前記電源装置が備える開閉手段のうち少なくともいずれか一つを制御する制御信号を生成する制御信号生成手段と、前記制御信号生成手段によって生成された前記制御信号を前記電源装置に送信する制御信号送信手段と、をさらに備えたことを特徴とする。
【００７７】
また、請求項６７にかかる発明は、請求項６６に記載の画像形成装置において、前記電源装置が備える前記充電電圧検出手段によって検出された充電電圧を受信する受信手段と、前記制御信号生成手段は、さらに前記受信手段によって受信された前記充電電圧に基づいて、前記商用電源から出力された電圧が前記定電圧生成手段に供給されるように制御信号を生成すること、を特徴とする。
【００７８】
また、請求項６８にかかる発明は、請求項６６に記載の画像形成装置において、前記電源装置が備える前記充電電圧検出手段によって検出された充電電圧を受信する受信手段と、前記制御信号生成手段は、さらに前記受信手段によって受信された前記充電電圧に基づいて、前記蓄電手段から出力された電圧が前記定電圧生成手段に供給されるように制御する制御信号を生成すること、を特徴とする。
【００７９】
また、請求項６９にかかる発明は、請求項６６に記載の画像形成装置において、前記電源装置が備える前記充電電圧検出手段によって検出された充電電圧を受信する受信手段と、前記制御信号生成手段は、さらに前記受信手段によって受信された前記充電電圧に基づいて、前記商用電源から出力された電圧が前記蓄電手段に供給されるよう制御する制御信号を生成すること、を特徴とする。
【００８０】
また、請求項７０にかかる発明は、請求項６６に記載の画像形成装置において、前記制御信号生成手段は、さらに前記画像形成動作以外の場合は、商用電源から出力された電圧が前記蓄電手段に供給されるように制御する制御信号を生成すること、を特徴とする。
【００８１】
また、請求項７１にかかる発明は、請求項５５または請求項６５に記載の画像形成装置において、トナー画像が形成された媒体を加圧及び加熱して前記トナー画像の定着を行う定着手段と、前記定着手段の加熱部の温度を検出する温度検出手段と、前記制御信号生成手段は、さらに前記温度検出手段によって検出された前記温度に基づいて、前記制御信号を生成すること、を特徴とする。
【００８２】
また、請求項７２にかかる発明は、請求項７１に記載の画像形成装置において、前記制御信号生成手段は、前記温度検出手段によって検出された温度が、予め設定された温度より低い場合に、前記蓄電手段と前記定電圧生成手段との接続を閉鎖するよう制御する制御信号を生成すること、を特徴とする。
【００８３】
また、請求項７３にかかる発明は、充放電可能な蓄電手段と、商用電源から出力される電圧を降下する降圧手段と、前記蓄電手段の出力または前記降圧手段の出力に基づいて定電圧を生成する定電圧生成手段と、前記降圧手段から出力された電圧を前記蓄電手段に入力可能とし、前記降圧手段と前記蓄電手段の接続を開閉する第１開閉手段と、前記降圧手段から出力された電圧を前記定電圧生成手段に入力可能とし、前記降圧手段と前記定電圧生成手段の接続を開閉する第２開閉手段と、前記蓄電手段から出力された電圧を前記定電圧生成手段に入力可能とし、前記蓄電手段と前記定電圧生成手段の接続を開閉する第３開閉手段と、を備え、外部の負荷に電力を供給する電源装置の制御方法において、前記降圧手段によって出力される降圧電圧を制御し、出力された降圧電圧に基づいて前記蓄電手段を充電する降圧・充電制御ステップと、前記第１開閉手段、前記第２開閉手段および前記第３開閉手段の少なくともいずれか一つを制御する制御信号を外部から受信する制御信号受信ステップと、を有し、前記降圧・充電制御ステップは、さらに前記制御信号受信ステップによって受信された前記制御信号に基づいて、前記蓄電手段の出力または前記降圧手段の出力から前記定電圧生成手段によって生成された定電圧を前記負荷に供給するように制御すること、を特徴とする。
【００８４】
また、請求項７４にかかる発明は、充放電可能な蓄電手段と、商用電源から出力される電圧を降下する降圧手段と、前記蓄電手段の出力または前記降圧手段の出力に基づいて定電圧を生成する定電圧生成手段と、前記降圧手段から出力された電圧を前記蓄電手段に入力可能とし、前記降圧手段と前記蓄電手段の接続を開閉する第１開閉手段と、前記降圧手段から出力された電圧を前記定電圧生成手段に入力可能とし、前記降圧手段と前記定電圧生成手段の接続を開閉する第２開閉手段と、前記蓄電手段から出力された電圧を前記定電圧生成手段に入力可能とし、前記蓄電手段と前記定電圧生成手段の接続を開閉する第３開閉手段と、外部の負荷に電力を供給する電源装置の制御方法において、前記降圧手段によって出力される降圧電圧を制御し、出力された降圧電圧に基づいて前記蓄電手段を充電する降圧・充電制御ステップと、前記第１開閉手段、前記第２開閉手段および前記第３開閉手段の少なくともいずれか一つを制御する制御信号を外部から受信する制御信号受信ステップと、を有し、前記降圧・充電制御ステップは、さらに前記制御信号受信ステップによって受信された前記制御信号に基づいて、前記蓄電手段の出力または前記降圧手段の出力から前記定電圧生成手段によって生成された定電圧を前記負荷に供給するように制御すること、を特徴とする。
【００８５】
また、請求項７５にかかる発明は、充放電可能な蓄電手段と、商用電源から出力される電圧を降下する降圧手段と、前記蓄電手段の出力または前記降圧手段の出力に基づいて定電圧を生成する定電圧生成手段と、前記降圧手段から出力された電圧を前記蓄電手段に入力可能とし、前記降圧手段と前記蓄電手段の接続を開閉する第１開閉手段と、前記蓄電手段から出力された電圧を前記定電圧生成手段に入力可能とし、前記蓄電手段と前記定電圧生成手段の接続を開閉する第２開閉手段と、を備え、外部の負荷に電力を供給する電源装置において、前記降圧手段によって出力される降圧電圧を制御し、出力された降圧電圧に基づいて前記蓄電手段を充電する降圧・充電制御ステップと、前記第１開閉手段または前記第２開閉手段の少なくともいずれか一方を制御する制御信号を外部から受信する制御信号受信ステップと、を有し、前記降圧・充電制御ステップは、さらに前記制御信号受信ステップによって受信された前記制御信号に基づいて、前記蓄電手段の出力または前記降圧手段の出力から前記定電圧生成手段によって生成された定電圧を前記負荷に供給するように制御すること、を特徴とする。
【００８６】
また、請求項７６にかかる発明は、充放電可能な蓄電手段と、前記蓄電手段の出力または商用電源の出力に基づいて定電圧を生成する定電圧生成手段と、前記商用電源から出力された電圧を前記定電圧生成手段に入力可能とし、前記商用電源と前記定電圧生成手段の接続を開閉する第１開閉手段と、前記蓄電手段から出力された電圧を前記定電圧生成手段に入力可能とし、前記蓄電手段と前記定電圧生成手段の接続を開閉する第２開閉手段とを備え、外部の負荷に電力を供給する電源装置の制御方法において、商用電源から出力される電圧によって前記蓄電手段を充電する充電・制御ステップと、前記第１開閉手段または前記第２開閉手段の少なくともいずれか一方を制御する制御信号を外部から受信する制御信号受信ステップと、を有し、前記充電・制御ステップは、さらに前記制御信号受信ステップによって受信された前記制御信号に基づいて、前記商用電源の出力または前記蓄電手段の出力から前記定電圧生成手段によって生成された定電圧を前記負荷に供給するように制御すること、を特徴とする。
【００８７】
また、請求項７７にかかる発明は、充放電可能な蓄電手段と、前記蓄電手段の出力または商用電源の出力に基づいて定電圧を生成する定電圧生成手段と、前記商用電源から出力された電圧を前記充電手段に入力可能とし、前記商用電源と前記充電手段の接続を開閉する第１開閉手段と、前記商用電源から出力された電圧を前記定電圧生成手段に入力可能とし、前記商用電源と前記定電圧生成手段の接続を開閉する第２開閉手段と、前記蓄電手段から出力された電圧を前記定電圧生成手段に入力可能とし、前記蓄電手段と前記定電圧生成手段の接続を開閉する第３開閉手段と、外部の負荷に電力を供給する電源装置の制御方法において、商用電源から出力される電圧によって前記蓄電手段を充電する充電・制御ステップと、前記第１開閉手段、前記第２開閉手段または前記第３開閉手段のうち少なくともいずれか一つを制御する制御信号を外部から受信する制御信号受信ステップと、を有し、前記充電・制御ステップは、さらに前記制御信号受信手段によって受信された前記制御信号に基づいて、前記商用電源の出力または前記蓄電手段の出力から前記定電圧生成手段によって生成された定電圧を前記負荷に供給するように制御すること、を特徴とする。
【発明の効果】
【００８８】
本発明によれば、降圧手段によって、商用電源から出力される電圧を降下し、降圧・充電制御手段によって、降圧電圧を制御し、出力された降圧電圧に基づいて蓄電手段を充電し、定電圧生成手段によって、蓄電手段の出力または降圧手段の出力に基づいて定電圧を生成し、供電制御手段によって、定電圧を、画像形成動作を行う負荷に供給することにより、商用電源によって充電される蓄電手段から電圧を負荷に供給することができるため、日本国内の一般的なオフィスで使用されている商用電源に用いて、画像形成動作を行う負荷の立上り時間を短縮することができるという効果を奏する。また、蓄電手段から出力された電圧または商用電源から出力された電圧のいずれであっても、１つの定電圧生成手段によって定電圧を生成することができるため、電源供給部を含んだ画像形成装置、電源装置の構成を簡易にできるという効果を奏する。さらに、画像形成装置、電源装置の構成を簡易にすることができるため、画像形成装置、電源装置の製造コストの低減を図ることができるという効果を奏する。
【発明を実施するための最良の形態】
【００８９】
以下に添付図面を参照して、本発明にかかる画像形成装置、電源装置及び制御方法の最良な実施の形態を詳細に説明する。なお、本発明はこれらの実施の形態に限定されるものではない。
【００９０】
（第１の実施の形態）
第１の実施の形態について、添付図面を参照して説明する。第１の実施の形態にかかる画像形成装置のエンジン電源部は、商用電源から出力された電圧を降圧して蓄電部を充電するとともに、商用電源から出力された電圧または蓄電部から出力された電圧を定電圧生成回路によって定電圧化することによって負荷に供給するものである。
【００９１】
まず、本発明が適用される画像形成装置の一例としてのプリンタのエンジン電源部の構成例について、図１、図２を用いて説明する。本実施の形態では、画像形成装置としてプリンタを例にとって説明する。なお、プリンタ以外の複写機、ファクシミリ装置、及び複写機能、プリンタ機能、ファクシミリ機能を組み合わせた複合機（ＭＦＰ：Multi Function Peripherals）などの画像形成装置に本発明を適用することができ、また何らかの負荷部に電力を供給する電源装置に本発明を適用することができる。
【００９２】
図１は、第１の実施の形態にかかるプリンタのエンジン電源部の回路構成を示す回路図である。図２は、第１の実施の形態にかかるプリンタのエンジン電源部の詳細な回路構成を示す詳細回路図である。
【００９３】
本実施の形態にかかるプリンタのエンジン電源部１００は、フィルタ１と、全波整流回路２と、降圧回路５０と、降圧電圧検出回路１９と、蓄電部９（以下、キャパシタバンク９という）と、充電電圧検出回路１６と、定電圧生成回路１３と、充電電流検出回路１２と、画像形成装置制御回路１０（以下、エンジン制御部１０）と、降圧出力制御及び充電制御回路７と、負荷２０と、ＡＣ定着ヒータ２９、３０と、加熱部温度検出回路３３、３４と、ＡＣ定着ヒータ制御回路３９と、第１切替回路５５と、第２切替回路５６とを備えている。
【００９４】
商用電源は、主電源スイッチ３（図２参照）を介してフィルタ１に入力され、フィルタ１の出力は全波整流回路２に接続され、全波整流される。全波整流された出力は、平滑コンデンサＣ２に接続され、平滑コンデンサＣ２によってリップル成分等は除去される。全波整流回路２の直流出力は、降圧チョッパ回路（降圧回路）５０のＦＥＴ（Field Effect Transistor）５１のドレイン側に接続される。
【００９５】
降圧チョッパ回路５０は、商用電源から出力を降圧するものである。降圧チョッパ回路５０は、入力側に設けたＦＥＴ５１と、ＦＥＴ５１の出力側、すなわちソース側に接続されたチョークコイル５２と、ＦＥＴ５１の出力とチョークコイル５２との間に設けた電流帰還用ダイオード５３と、チョークコイル５２の出力側に設けた平滑コンデンサ５４とで構成され、第１切替回路５５を介して、キャパシタバンク９の端子間に並列に接続されている。
【００９６】
降圧チョッパ回路５０は、後述する降圧出力制御及び充電制御回路７のＰＷＭ発生回路７ｅから出力されるＰＷＭ信号（パルス幅変調信号）によってＦＥＴ５１がＯＮにされると、チョークコイル５２に電流が流れる。入力電力の一部は、チョークコイル５２に蓄えられる。続いて、ＰＷＭ信号によってＦＥＴ５１がＯＦＦにされると、ＯＮ期間にチョークコイル５２に蓄積した電力が電流帰還用ダイオード５３を経由して放出される。
【００９７】
この動作が繰り返されることによって降圧が行われ、降圧された電圧は平滑用コンデンサ５４により平滑化される。平滑化された電圧は、第１切替回路５５を介してキャパシタバンク９に供給され、キャパシタバンク９の個々のキャパシタセルが充電される。キャパシタバンク９の出力は、第２切替回路５６を介して定電圧生成回路１３の入力に供給され、定電圧化される。定電圧生成回路１３によって定電圧化された出力は、負荷２０及び後処理装置２２に入力される。
【００９８】
また、降圧チョッパ回路５０の出力は、ＦＥＴ５１のＯＮ期間とＯＦＦ期間の比（デューティ比Ｄ／Ｔ）と降圧チョッパ回路５０への入力電圧で決まる。デューティ比Ｄ／Ｔが１００％のときは、出力電圧と入力電圧とは等しくなる。デューティ比Ｄ／Ｔが５０％のときは、出力電圧は入力電圧の５０％になる。ＦＥＴ５１のデューティ比（ＰＷＭ）を制御することにより、降圧チョッパ回路５０の出力を制御することができる。
【００９９】
また、降圧チョッパ回路５０によって降圧された電圧は、抵抗Ｒ４と抵抗Ｒ５により分圧された降圧電圧検出回路１９によって検出され、降圧出力制御及び充電制御回路７にフィードバックされる。また、エンジン制御部１０のＡ／Ｄコンバータ１０ｂにも入力される。降圧チョッパ回路５０によって降圧・平滑された電圧は、降圧出力制御及び充電制御回路７により監視され、ＰＷＭ信号のＯＮデューティを変えることにより制御される。
【０１００】
キャパシタバンク９は、電力を蓄電するものである。キャパシタバンク９は、満充電時に２．５Ｖになるキャパシタセル（電気二重層コンデンサセル）が１４個直列に接続されている。従って、１４個のキャパシタセルが満充電になると、３５Ｖの電圧が蓄電される。
【０１０１】
充電電圧検出回路１６は、キャパシタバンク９の充電電圧を検出するものである。キャパシタバンク９の端子間電圧は、抵抗Ｒ２と抵抗Ｒ３により分圧回路を構成した充電電圧検出回路１６によって検出される。その出力は、降圧出力制御及び充電制御回路７のＡ／Ｄコンバータ７ｃ及びエンジン制御部１０のＡ／Ｄコンバータ１０ｂに入力される。
【０１０２】
充電電流検出回路１２は、キャパシタバンク９の充電電流を検出するものである。キャパシタバンク９の充電電流の検出は、キャパシタバンク９と直列に接続された抵抗Ｒ１を流れる電流を端子間電圧として検出する。その出力は、降圧出力制御及び充電制御回路７の充電電流検出回路７ｄに入力される。
【０１０３】
均等化回路１７は、キャパシタセル個々の満充電を検出し、バイパス回路１７ａを動作させ、各キャパシタセルの充電電圧を均等化するものである。キャパシタセル９ａは、降圧出力制御及び充電制御回路７によって充電される。キャパシタセル９ａが満充電の２．５Ｖに充電されると、均等化回路１７ａは充電電流をバイパスする。他のキャパシタセルに並列に接続されたバイパス回路も同様な動作を行ない、各キャパシタセルの充電電圧は均等化される。均等化回路１７は、何れかのキャパシタセルの満充電を検知し、バイパス回路を動作させると、降圧出力制御及び充電制御回路７に単セル満充電信号５を出力する。また、均等化回路１７は、全てのキャパシタセルの満充電を検知し、全てのバイパス回路を動作させると、降圧出力制御及び充電制御回路７に全てのキャパシタセルの満充電信号６を出力する。
【０１０４】
降圧出力制御及び充電制御回路７は、キャパシタバンク９の充電電圧の検出、充電電流の検出およびバイパス回路の動作を検出し、キャパシタバンク９に定電流充電または定電力充電を行うものである。また、降圧出力制御及び充電制御回路７は、キャパシタバンク９に定電流充電及び定電力充電を行うためのＰＷＭ信号を発生させる機能と、第１切替回路５５及び第２切替回路５６を介して定電圧生成回路１３に降圧電圧を供給するＰＷＭ信号を発生する機能を有している。なお、降圧出力制御及び充電制御回路７は、ＣＰＵ７ａ、シリアルコントローラ（ＳＩＣ）７ｂ、Ａ／Ｄコンバータ７ｃ、充電電流検出回路７ｄ、ＰＷＭ信号発生回路７ｅ、ＲＯＭ、ＲＡＭ、タイマ、割り込み制御回路及び入出力ポートを備えている。
【０１０５】
降圧出力制御及び充電制御回路７は、キャパシタバンク９の端子間電圧を充電電圧検出回路１６の出力によって検出する。降圧出力制御及び充電制御回路７は、キャパシタバンク９の端子間電圧が予め設定された値より低い場合には、キャパシタバンク９と直列に接続された抵抗Ｒ１の端子間電圧を逐次検出する。降圧出力制御及び充電制御回路７は、予め設定された定電流充電を行うために、検出された端子間電圧に対応したＰＷＭ信号をＦＥＴ５１のゲートに出力する。なお、予め設定された定電流充電を行うためのＰＷＭ信号は、抵抗Ｒ１の端子間電圧とＰＷＭ信号のＯＮデューティとを関係付けたテーブルを使用してもよい。また、演算により算出してもよい。また、充電電流のみを参照して予め設定された充電電流になるように、ＰＷＭ信号を制御してもよい。また、キャパシタバンク９が充電されてない場合は、大きな突入電流がキャパシタバンク９に流れるのを防止しするために、降圧電圧を低くし、徐々に降圧電圧を高くするようにＰＷＭ信号を出力してもよい。
【０１０６】
キャパシタバンク９の端子間電圧が予め設定された値以上になると、降圧出力制御及び充電制御回路７は、定電力充電を行うために、キャパシタバンク９の充電電流とキャパシタバンク９の端子間電圧の検出を逐次行なう。降圧出力制御及び充電制御回路７は、検出した充電電流と充電電圧から、予め設定された定電力充電を行うためのＰＷＭ信号をＦＥＴ５１のゲートに出力する。なお、降圧出力制御及び充電制御回路７は、キャパシタバンク９の充電電流の検出とキャパシタバンク９の端子間電圧の検出を行い、検出された充電電流と充電電圧から予め設定された定電力充電を行うためのＰＷＭ信号を演算して決定する。
【０１０７】
次に、降圧出力制御及び充電制御回路７は、何れかの単セル満充電信号５を検出すると、再び予め設定された定電流充電をするＰＷＭ信号を、ＦＥＴ５１のゲートに出力する。降圧出力制御及び充電制御回路７は、全てのキャパシタセルの満充電信号６を検出すると、充電動作を停止する信号をＦＥＴ５０のゲートに出力する。
【０１０８】
次に、降圧回路５０が定電圧生成回路１３を介して負荷２０及び後処理装置２２に電力を供給する場合の処理を説明する。降圧出力制御及び充電制御回路７は、ＣＰＵ７ａに対してエンジン制御部のＣＰＵ１０ａから負荷２０に電力を供給する信号が出力されると、ＰＷＭ信号発生回路７ｅによって予め設定されているＰＷＭ信号をＦＥＴ５０のゲートに出力する。降圧回路５０は、出力されたＰＷＭ信号によって降圧電圧を生成し、第１切替回路５５と第２切替回路５６を介して、定電圧生成回路１３の入力に供給する。降圧回路５０には、固定されたデューティ比のＰＷＭ信号を出力してもよい。また、降圧電圧検出回路１９によって降圧電圧を検出し、降圧出力制御及び充電制御回路７にフィードバックして一定電圧を生成するようにしてもよい。また、降圧する電圧値は、エンジン制御部１０のＣＰＵ１０ａから降圧出力制御及び充電制御回路７のＣＰＵ７ａに出力して決定してもよい。
【０１０９】
図３は、他の降圧回路の回路構成を示す詳細回路図である。降圧回路５０は、図３に示すような構成で降圧電圧を生成してもよい。これは、高周波トランス５０ａの一次コイル５０ｂをＦＥＴ５０ｄによりスイッチングして、２次コイル５０ｃに誘起する電圧を整流回路して降圧電圧を生成する。
【０１１０】
エンジン制御部１０は、第１切替回路、第２切替回路に対して信号を出力することによって、回路を切替えて電力の供給を制御するものである。エンジン制御部１０は、本発明にかかる供電制御手段を構成する。エンジン制御部１０は、ＣＰＵ１０ａに接続されたシリアルコントローラ（ＳＣＩ）１０ｄ、入出力ポート１０ｃ、Ａ／Ｄコンバータ１０ｂ及びＲＯＭ、ＲＡＭ、タイマ、割り込み制御回路（ＩＮＴ）等で構成されている。
【０１１１】
ＣＰＵ１０ａのＡ／Ｄポート１０ｂには、定着装置（図示せず）の定着ローラの表面温度（定着温度）を検出する温度検出回路３３、３４が接続されている。温度検出回路３３は、ＡＣヒータ用サーミスタ３３ａと直列に接続された抵抗Ｒ１１とで構成され、ＡＣ定着ヒータ２９に対応する測定領域の温度を検出する回路である。また、温度検出回路３４は、ＡＣヒータ用サーミスタ３４ａと直列に接続された抵抗Ｒ１２とで構成され、ＡＣ定着ヒータ３０に対応する測定領域の温度を検出する回路である。
【０１１２】
入出力ポート１０ｃには、温度検出回路３３、温度検出回路３４の温度検出結果によって、ＡＣ定着ヒータ２９、３０に電力を供給するＡＣヒータ制御回路３９、画像形成動作を行うために必要なモータ、ソレノイド、クラッチ等の負荷２０、２１、画像形成動作を行うために必要なセンサ、スイッチ回路１５等が接続されている。なお、負荷２１は、搬送モータ、現像モータ等の大きな電力を必要とするパワー系の負荷である。負荷２０は、別電源から供給される負荷で、常時電源供給が必要な表示用ＬＥＤ、パルスモータの回転を保持する必要がある負荷である。勿論、充電時も負荷に電力を供給することが可能な回路構成の場合は、別電源から供給する必要はない。
【０１１３】
また、ＣＰＵ１０ａは、降圧出力制御及び充電制御回路７とシリアルコントローラ（ＳＣＩ）１０ｄを介して信号の送受信を行なう。ＣＰＵ１０ａは、放電中ではない時、待機時、または省エネモード時等に、降圧出力制御及び充電制御回路７に充電許可信号、充電する為の充電電流、またはＰＷＭ信号のパターン等を送信する。また、ＣＰＵ１０ａは、充電電圧検出回路１６によってキャパシタバンク９の端子間電圧を検出し、キャパシタバンク９の電力放電が可能か否かを判断する。また、ＣＰＵ１０ａは、降圧電圧検出回路１９によって降圧電圧を検出し、降圧出力制御及び充電制御回路７に降圧電圧制御の指示を行う。
【０１１４】
ＣＰＵ１０ａは、温度検出回路３３、温度検出回路３４が予め設定された温度以下の温度を検出すると、フォトトライアックドライブ回路３５、３６にフォトトライアック３５ａ、３６ａをＯＮにする信号をポート１及びポート３から出力する。これにより、定着ヒータ２９、３０に電力が供給される。ＣＰＵ１０ａは、温度検出回路３３、温度検出回路３４が予め設定された温度以上の温度を検出すると、フォトトライアックドライブ回路３５、３６にフォトトライアック３５、３６をＯＦＦにする信号をポート１及びポート３から出力する。これにより、定着ヒータ３０、２９への電力供給は停止される。
【０１１５】
次に、第１切替回路５５及び第２切替回路５６の動作について説明を行う。第１切替回路５５は、リレー５５ａで構成され、第２切替回路５６は、リレー５６ａで構成される。本実施の形態にかかる第１切替回路、第２切替回路は、リレーで構成される。勿論、ＦＥＴ、ＩＧＢＴ（Insulated Gate Bipolar Transistor）等を使用した開閉回路を用いてもよい。リレー５５ａ及び５６ａは、ノーマルクローズ状態（コイルが通電されない状態）で商用電源（降圧回路５０）側に接続されるよう設定されている。従って、主電源がＯＦＦである場合は、キャパシタバンク９からの放電は停止する。
【０１１６】
ＣＰＵ１０ａは、ポート５から出力された信号によってリレー５５ａに通電または通電の停止を行い、第１切替回路５５の切替えを制御する。また、ＣＰＵ１０ａは、ポート６から出力された信号によってリレー５６ａに通電または通電の停止を行い、第２切替回路５６の切替えを制御する。
【０１１７】
ＣＰＵ１０ａは、待機時または省エネモード時等であって電力を必要としない時に、キャパシタバンク９に充電するために、リレー５５ａに通電する信号をポート５から出力し、リレー５６ａの通電を停止にする信号をポート６から出力する。ＣＰＵ１０ａは、商用電源のＡＣ電力定格を超えるような場合、または画像形成装置側の急激な負荷の変動によってフリッカーが発生するような場合は、キャパシタバンク９の蓄電力を使用するために、リレー５５ａの通電を停止する信号をポート５から出力し、リレー５６ａを通電する信号をポート６から出力する。
【０１１８】
ＣＰＵ１０ａは、充電または放電以外の通常時はリレー５５ａの通電を停止する信号をポート５から出力し、リレー５６ａの通電を停止する信号をポート６から出力する。これにより、降圧回路５０の出力は、定電圧生成回路１３の入力に接続される。ＣＰＵ１０ａは、画像形成動作が終了後、一定時間が経過すると省エネモードに入るため、ＤＣ／ＤＣコンバータ１４にポート２から一部の電源出力停止信号を出力する。省エネ解除ＳＷ２４（圧版開放ＳＷ，ＡＤＦの原稿検知ＳＷ等）が通電することによって、ＤＣ／ＤＣコンバータ１４が通常の動作に復帰し、省エネモードが解除される。
【０１１９】
次に、エンジン制御部１０のＲＯＭに格納されている電力使用テーブル１および電力使用テーブルについて説明する。電力使用テーブル１は、商用電源からの供給電力では賄えない画像形成動作と、その処理を行うために必要な蓄電力使用時間を規定する。図４は、電力使用テーブル１のデータ構成の一例を示す説明図である。電力使用テーブル１は、通常の供給電力以上の電力を必要とする画像形成動作と、蓄電力使用時間とを対応付けて記憶している。通常の供給電力以上の電力を必要とする画像形成動作とは、例えば商用電源から通常の電力の供給によって複数枚の画像形成動作を行った場合に、定着装置の温度が低下するために連続して画像形成動作を行うことができなくなる用紙のサイズと枚数の組合せなどである。蓄電力使用時間とは、通常の供給電力を超える条件の画像形成処理を行うためにキャパシタバンク９から電力を供給する時間である。電力使用テーブル１を参照することによって、通常の電力で賄いきれない画像形成動作を行う前に、必要な電力をキャパシタバンク９から供給することができ、待ち時間の少ない画像形成動作を実施できる。また、定着温度の低下を防止することができるため、画像形成の品質が向上でき、フリッカーを防止することができる。
【０１２０】
電力使用テーブル２は、電力供給が必要な後処理を規定する。図５は、電力使用テーブル２のデータ構成の一例を示す説明図である。電力使用テーブル２は、電力供給が必要な後処理種別を記憶している。電力使用テーブル２を参照することによって、これから実行する後処理に電力供給が必要であるか否かを判断することができ、後処理を行う際に電力を供給することができる。
【０１２１】
コントロール回路８は、画像形成装置の全体を制御するものである。コントロール回路８は、画像形成装置の全体を制御するＣＰＵ８ａ、ＣＰＵ８ａに接続されたシリアルコントローラ（ＳＣＩ）８ｄ、ＲＯＭ、ＲＡＭ、プリンタで使用する画像展開用のワークメモリ、書き込み画像のイメージデータを一時蓄えるフレームメモリ、ＣＰＵ周辺を制御する機能を搭載したＡＳＩＣ及びそのインタフェース回路等で構成される。ＣＰＵ８ａには、パネルを操作して使用者がシステム設定の入力を行う入力部と、使用者にシステムの設定内容状態を表示する表示部および入力部の制御を行う操作部制御回路、エンジン制御部１０が、シリアルコントローラ（ＳＣＩ）を介して接続されている。
【０１２２】
次に、上述したように構成されている画像形成装置による動作モード制御処理、充電制御処理について説明する。図６−１〜図６−４は、画像形成装置のエンジン制御部が行う動作モード制御処理手順を示すフローチャートである。
【０１２３】
エンジン制御部１０のＣＰＵ１０ａは、主電源ＯＮまたは省エネモード解除によってＤＣ電源が供給されると、エンジン制御部１０のＣＰＵ１０ａ、その周辺回路及びメモリ関連の初期設定を行う（ステップＳ６０１）。ＣＰＵ１０ａは、充電電圧検出回路１６の検出結果から充電電圧が３５Ｖか否か、すなわち満充電の状態か否かを判断する（ステップＳ６０２）。満充電であると判断した場合は（ステップＳ６０２：Ｙｅｓ）、開閉回路制御処理１を行う（ステップＳ６０３）。これにより、商用電源からの電力供給を停止し、キャパシタバンク９に蓄電された蓄電力を定電圧生成回路１３に供給することができる。その結果、余った電力が定着装置の加熱部に供給される（ステップＳ６０４）。なお、通常動作時は、１００％ディーティで供給することはしない。また、定着ヒータ３０を補助ヒータとして立ち上げ時または定着温度落ち込み時のみに供給するようにしてもよい。満充電でないと判断した場合は（ステップＳ６０２：Ｎｏ）、ステップＳ６０４に進む。
【０１２４】
次に、ＣＰＵ１０ａは、充電電圧検出回路１６の検出結果から充電電圧が２８Ｖ以上か否かを判断する（ステップＳ６０５）。２８Ｖ以上であると判断した場合は（ステップＳ６０５：Ｙｅｓ）、蓄電力が使用できると判断し、加熱部温度が予め設定された温度以上（例として１７５℃）か否かを判断する（ステップＳ６０６）。予め設定された温度に達してないと判断した場合は（ステップＳ６０６：Ｎｏ）、ステップＳ６０４に戻り、引き続き定着ヒータ２９、３０にヒータ定格の最大電力を供給する。
【０１２５】
次に、加熱部温度が予め設定された温度以上であると判断した場合は（ステップＳ６０６：Ｙｅｓ）、またはキャパシタバンク９の充電電圧が２８Ｖ未満であると判断した場合は（ステップＳ６０５：Ｎｏ）、ＣＰＵ１０ａは開閉回路制御処理２を行う（ステップＳ６０７）。これにより、商用電源（降圧回路５０）から負荷に電力が供給される。
【０１２６】
次に、ＣＰＵ１０ａは定着装置の定着ヒータ２９、３０に予め設定された通常時の電力供給を行う(ステップＳ６０８)。ＣＰＵ１０ａは、加熱部がリロード温度（例えば１８０℃）か否かを判断する（ステップＳ６０９）。リロード温度でないと判断した場合は（ステップＳ６０９：Ｎｏ）、ステップＳ６０８に戻り、定着ヒータ２９、３０に予め設定された通常時の電力供給が継続される。リロード温度であると判断した場合は（ステップＳ６０９：Ｙｅｓ）、待機状態となり、予め設定された通常時の電力が定着ヒータに供給され、通常の温度制御が実施される（ステップＳ６１０）。
【０１２７】
ＣＰＵ１０ａは、再度待機状態か否かを判断する（ステップＳ６１１）。待機状態であると判断した場合は（ステップＳ６１１：Ｙｅｓ）、ＣＰＵ１０ａは充電電圧が３５Ｖ未満か否か、すなわち満充電の状態か否かを判断する（ステップＳ６１２）。３５Ｖ未満である、すなわち満充電の状態でないと判断した場合は（ステップＳ６１２：Ｙｅｓ）、ＣＰＵ１０ａは開閉回路制御処理３を行い（ステップＳ６１３）、ステップＳ６１０に戻る。これにより、キャパシタバンク９が充電される。３５Ｖ未満でない、すなわち満充電の状態であると判断した場合は（ステップＳ６１２：Ｎｏ）、ＣＰＵ１０ａは開閉回路制御処理２を行い（ステップＳ６１４）、ステップＳ６１０に戻る。これにより、商用電源（降圧回路５０）から負荷に電力が供給される。
【０１２８】
ステップＳ６１１において、待機状態でないと判断した場合は（ステップＳ６１１：Ｎｏ）、ＣＰＵ１０ａは動作モード、画像形成動作過程毎に蓄電力を使用する電力使用テーブル１、２を参照し、蓄電力を使用する動作モードまたは動作条件を設定する（ステップＳ６１５）。例えば、連続コピー枚数により、加熱部の温度が低下するコピー枚数設定と、最大電力を定着ヒータに供給、すなわちキャパシタバンク９の蓄電力を使用する場合に加熱部の温度が回復する時間のタイマカウントと、電力供給が必要な後処理を電力使用テーブル１、２から取得し、設定する。
【０１２９】
次に、ＣＰＵ１０ａは、コピー動作中か否かを判断する（ステップＳ６１６）。コピー動作中であると判断した場合は（ステップＳ６１６：Ｙｅｓ）、ＣＰＵ１０ａは電力使用テーブル１、２から取得したコピー枚数設定があるか否かを判断する（ステップＳ６１７）。コピー枚数設定があると判断した場合には（ステップＳ６１７：Ｙｅｓ）、ＣＰＵ１０ａは複数コピー処理を行う（ステップＳ６１８）。詳細は後述する。
【０１３０】
次に、ＣＰＵ１０ａは、開閉回路制御処理２を行う（ステップＳ６１９）。これにより、商用電源（降圧回路５０）から負荷に電力を供給される。負荷は、継続して画像形成動作を行い、定着ヒータに通常の電力が供給される（ステップＳ６２０）。ＣＰＵ１０ａは、１ジョブに対応する枚数の用紙を排出したか否かを判断する（ステップＳ６２１）。１ジョブに対応する枚数の用紙を排出していないと判断した場合には（ステップＳ６２１：Ｎｏ）、ステップＳ６２０に戻り、負荷は画像形成動作を継続する。１ジョブに対応する枚数の用紙を排出したと判断した場合には（ステップＳ６２１：Ｙｅｓ）、ＣＰＵ１０ａは後処理に電力供給が必要か否かを判断する（ステップＳ６２２）。
【０１３１】
後処理に電力供給が必要であると判断した場合には（ステップＳ６２２：Ｙｅｓ）。ＤＣ電源の出力増加をするため、ＣＰＵ１０ａは開閉回路制御処理１を行う（ステップＳ６２３）。これにより、キャパシタバンク９に蓄電された蓄電力が定電圧生成回路１３に供給される。電力が供給された後処理周辺機は、後処理動作を実施し(ステップＳ６２４)、ステップＳ６１０に戻る。後処理に電力供給が必要でないと判断した場合は（ステップＳ６２２：Ｎｏ）、コピー動作は終了したので、ステップＳ６１０に戻る。
【０１３２】
ステップＳ６１６において、コピー動作中でないと判断した場合は（ステップＳ６１６：Ｎｏ）、ＣＰＵ１０ａは省エネモード中か否かを判断する（ステップＳ６２５）。省エネモード中でないと判断した場合は（ステップＳ６２５：Ｎｏ）、ステップＳ６１０に戻る。省エネモード中であると判断した場合は（ステップＳ６２５：Ｙｅｓ）、ＣＰＵ１０ａは充電電圧が３５Ｖ未満か否か、すなわち満充電状態か否かを判断する（ステップＳ６２６）。充電電圧が３５Ｖ未満である、すなわち満充電状態でないと判断した場合は（ステップＳ６２６：Ｙｅｓ）、キャパシタバンク９に充電するため、ＣＰＵ１０ａは開閉回路制御処理３を行い（ステップＳ６２７）、ステップＳ６２５に戻る。なお、本フローチャートには示さないが、この充電動作が終了すると、画像形成装置制御部も省エネモードに移行する。充電電圧が３５未満でない、すなわち満充電状態であると判断した場合は（ステップＳ６２６：Ｎｏ）、ＣＰＵ１０ａは第１切替回路を商用電源側に切替え（ステップＳ６２８）、第２切替回路を商用電源側に切替え（ステップＳ６２９）、ステップＳ６２５に戻る。
【０１３３】
プリンタのエンジン制御部１０による複数コピー制御処理について説明する。図７は、プリンタのエンジン制御部が行う複数コピー制御処理手順を示すフローチャートである。
【０１３４】
まず、エンジン制御部１０のＣＰＵ１０ａは、開閉回路制御処理２を行う（ステップＳ７０１）。これにより、商用電源（降圧回路５０）から負荷に電源が供給される。次に、負荷は画像形成動作を実施し、定着ヒータ２９、３０に通常の電力が供給される（ステップＳ７０２）。ＣＰＵ１０ａは、電力使用テーブルから取得されたコピー枚数Ｎのコピーを実施したか否かを判断する（ステップＳ７０３）。コピー枚数Ｎのコピーを実施していないと判断した場合には（ステップＳ７０３：Ｎｏ）、ステップＳ７０２に戻り、負荷は画像形成動作を繰り返す。コピー枚数Ｎのコピーを実施したと判断した場合には（ステップＳ７０３：Ｙｅｓ）、ＣＰＵ１０ａは開閉回路制御処理１を行う（ステップＳ７０４）。これにより、商用電源からの電力供給を停止し、キャパシタバンク９に蓄電された蓄電力が定電圧生成回路１３に供給され、余った電力が定着装置の加熱部に供給される。その結果、定着ヒータ２９、３０にヒータ定格の最大電力の供給が可能となり、加熱部の温度が定着画像保証温度より低下するのを防止することができる。
【０１３５】
ＣＰＵ１０ａは、定着ヒータ２９、３０に最大電力を供給した状態を継続し、画像形成動作を継続する（ステップＳ７０５）。ＣＰＵ１０ａは、タイマカウンタがＭか否かを判断する（ステップＳ７０６）。タイマカウンタがＭでないと判断した場合には（ステップＳ７０６：Ｎｏ）、ステップＳ７０６に戻る。タイマカウンタがＭであると判断した場合には（ステップＳ７０６：Ｙｅｓ）、処理を抜ける。
【０１３６】
なお、定着装置の加熱部の温度の低下は、通紙を開始することによって定着の加圧ロータの熱が用紙に移動するために生じるものである。従ってこの加圧ローラが暖まれば、温度低下は解消される。加圧ローラが暖まるまでの時間Ｍは、電力使用テーブル２から取得され、タイマカウントとして設定されているので、その時間Ｍになるまで、定着ヒータにヒータ定格の最大電力を供給することができる。
【０１３７】
次に、エンジン制御部１０による開閉回路制御処理１について説明する。図８は、画像形成装置のエンジン制御部が行う開閉回路制御処理１の手順を示すフローチャートである。この処理により、キャパシタバンク９から電力が供給され、定電圧生成回路１３は定電圧を出力し、負荷に電力を供給する。
【０１３８】
ＣＰＵ１０ａは、蓄電部の電力を使用する信号を降圧出力制御及び充電制御回路７のＣＰＵ７ａに送信する(ステップＳ８０１)。ＣＰＵ１０ａは、第１切替回路を商用電源側に切替え（ステップＳ８０２）、第２切替回路を蓄電部側に切替える（ステップＳ８０３）。
【０１３９】
このように、蓄電手段から電力を供給することができるため、商用電源から供給される電力の不足を補助することができる。
【０１４０】
次に、エンジン制御部１０による開閉回路制御処理２について説明する。図９は、画像形成装置のエンジン制御部が行う開閉回路制御処理２の手順を示すフローチャートである。この処理により、商用電源（降圧回路５０）から負荷に電力が供給される。
【０１４１】
ＣＰＵ１０ａは、負荷に電力を供給する信号を降圧出力制御及び充電制御回路７のＣＰＵ７ａに送信する (ステップＳ９０１)。ＣＰＵ１０ａは、第１切替回路を商用電源側に切替え（ステップＳ９０２）、第２切替回路を商用電源側に切替える（ステップＳ９０３）。
【０１４２】
このように、商用電源から電力が供給される場合には蓄電手段からの電力供給を遮断することができるため、蓄電手段の蓄電力を有効に活用することができる。
【０１４３】
次に、エンジン制御部１０による開閉回路制御処理３について説明する。図１０は、画像形成装置のエンジン制御部が行う開閉回路制御処理３の手順を示すフローチャートである。この処理により、キャパシタバンク９に充電する。
【０１４４】
ＣＰＵ１０ａは、第１切替回路を蓄電部側に切替え(ステップＳ１００１)、第２切替回路を商用電源側に切替える（ステップＳ１００２）。ＣＰＵ１０ａは、充電許可信号を送信する（ステップＳ１００３）。
【０１４５】
このように、負荷に電力が必要でないときに蓄電手段に充電することができるため、電力使用の平準化を行うことができる。
【０１４６】
次に、降圧出力制御及び充電制御回路７による降圧電圧制御及び充電制御処理について説明する。図１１−１、図１１−２は、画像形成装置の降圧出力制御及び充電制御回路による降圧電圧制御及び充電制御処理手順を示すフローチャートである。この処理によってキャパシタバンク９が充電され、降圧回路５０による商用電源の出力が降圧される。
【０１４７】
降圧出力制御及び充電制御回路７のＣＰＵ７ａは、エンジン制御部１０のＣＰＵ１０ａから充電許可信号が送信されているか否かを判断する（ステップＳ１１０１）。充電許可信号が送信されていると判断した場合は（ステップＳ１１０１：Ｙｅｓ）、ＣＰＵ７ａは充電電圧が３５Ｖに達しているか否かを判断する（ステップＳ１１０２）。具体的には、充電電圧検出回路１６の検出結果から充電電圧を確認し、満充電状態か否かを判断する。充電電圧が３５Ｖに達していると判断した場合は（ステップＳ１１０２：Ｙｅｓ）、充電する必要はないので、ＣＰＵ７ａは満充電電圧信号をエンジン制御部１０のＣＰＵ１０ａに送信し（ステップＳ１１０３）、処理は終了する。
【０１４８】
充電電圧が３５Ｖに達していないと判断した場合は（ステップＳ１１０２:Ｎｏ）、充電動作を行うために、ＣＰＵ７ａは充電動作中信号をエンジン制御部１０のＣＰＵ１０ａに送信する（ステップＳ１１０４）。次に、ＣＰＵ７ａは充電電圧が２４Ｖ以下か否かを判断する（ステップＳ１１０５）。充電電圧が２４Ｖ以下であると判断した場合は（ステップＳ１１０５：Ｙｅｓ）、ＣＰＵ７ａは蓄電部、すなわちキャパシタバンク９の充電電流を検出する（ステップＳ１１０６）。ＣＰＵ７ａは、定電流充電するため検出した充電電流に対応したＰＷＭ信号を降圧回路５０のＦＥＴ５１ゲートに出力する（ステップＳ１１０７）。ステップＳ１１０５に戻り、ＣＰＵ７ａは充電電圧が２４Ｖ以下か否かを判断する。充電電圧が２４Ｖ以下であると判断された場合は、上述した充電動作を繰り返す。
【０１４９】
ステップＳ１１０５において、充電電圧が２４Ｖ以下でないと判断した場合（ステップＳ１１０５：Ｎｏ）、ＣＰＵ７ａは蓄電部、すなわちキャパシタバンク９の充電電流と充電電圧の検出を行う（ステップＳ１１０８）。ＣＰＵ７ａは、定電力充電を行うため、検出した充電電流と充電電圧に対応したＰＷＭ信号をＦＥＴ５１ゲートに出力する（ステップＳ１１０９）。次に、ＣＰＵ７ａは、何れかの単セル満充電信号があるか否かを判断する（ステップＳ１１１０）。何れも単セル満充電信号がないと判断した場合には（ステップＳ１１１０：Ｎｏ）、ステップＳ１１０８に戻る。
【０１５０】
何れかの単セル満充電信号があると判断した場合には（ステップＳ１１１０：Ｙｅｓ）、ＣＰＵ７ａは定電流充電を実施する（ステップＳ１１１１）。ＣＰＵ７ａは、全セル満充電信号があるか否かを判断する（ステップＳ１１１２）。全セル満充電信号があると判断した場合は（ステップＳ１１１２：Ｙｅｓ）、ＣＰＵ７ａは充電動作を停止するためにＰＷＭ信号をＦＥＴ５１のゲートに出力する（ステップＳ１１１３）。ＣＰＵ７ａは、全セル満充電信号をＣＰＵ１０ａに送信し（ステップＳ１１１４）、処理は終了する。全セル満充電信号がないと判断した場合は（ステップＳ１１１２：Ｎｏ）、ステップＳ１１１１に戻り、ＣＰＵ７ａは定電流充電を行う。
【０１５１】
ステップＳ１１０１において、充電許可信号が送信されていないと判断した場合は（ステップＳ１１０１：Ｎｏ）、ＣＰＵ７ａは画像形成動作中信号があるか否か、すなわちＣＰＵ１０ａから画像形成動作中信号が出力されているか否かを判断する（ステップＳ１１１５）。画像形成動作中信号があると判断した場合には（ステップＳ１１１５：Ｙｅｓ）、降圧電圧検出回路１９によって降圧回路５０から出力された電圧を検出する（ステップＳ１１１６）。ＣＰＵ７ａは、降圧回路５０から出力された電圧が３０Ｖか否かを判断する（ステップＳ１１１７）。なお、この降圧電圧は、キャパシタバンク９の充電電圧より低くなるように予め設定されている。また、個々のキャパシタセルに満充電する場合は、キャパシタバンク９の電圧が降圧電圧の３０Ｖより高くなるセル構成を採っている。
【０１５２】
降圧回路５０から出力された電圧が３０Ｖでないと判断した場合には（ステップＳ１１１７：Ｎｏ）、降圧電圧が３０Ｖになるように、検出した降圧電圧に対応するＰＷＭ信号をＰＷＭ信号発生回路７ｅから出力する（ステップＳ１１１８）。なお、このＰＷＭ信号は、検出した降圧電圧に対応付けたＰＷＭ信号を予めテーブルに設定しておいてもよい。また、比較信号発生回路（三角波）と、予め設定されたアナログ電圧（３０Ｖを出力するための電圧）とを比較してアナログ回路によってＰＷＭ信号を生成してもよい。
【０１５３】
降圧回路５０から出力された電圧が３０Ｖであると判断した場合には（ステップＳ１１１７：Ｎｏ）、ステップＳ１１１６に戻る。このような動作を繰り返し、ＰＷＭ信号発生回路７ｅによって降圧電圧を３０Ｖに維持する。
【０１５４】
ステップＳ１１１５において、画像形成動作中信号がないと判断した場合には（ステップＳ１１１５：Ｎｏ）、負荷電力供給信号があるか否か、すなわちＣＰＵ１０ａから負荷電力供給信号が出力されているか否かを判断する（ステップＳ１１１９）。負荷電力供給信号がないと判断した場合には（ステップＳ１１１９：Ｎｏ）、ステップＳ１１１６に進む。負荷電力供給信号があると判断した場合には（ステップＳ１１１９：Ｙｅｓ）、蓄電部の電力使用信号があるか否か、すなわちＣＰＵ１０ａから蓄電部の電力使用信号が出力されているか否かを判断する（ステップＳ１１２０）。蓄電部の電力使用信号がないと判断した場合には（ステップＳ１１２０：Ｎｏ）、処理を終了する。
【０１５５】
蓄電部の電力使用信号があると判断した場合には（ステップＳ１１２０：Ｙｅｓ）、降圧電圧検出回路１９によって降圧回路５０から出力された電圧を検出する（ステップＳ１１２１）。ＣＰＵ７ａは、降圧回路５０から出力された電圧が２８Ｖか否かを判断する（ステップＳ１１２２）。なお、この降圧電圧は、キャパシタバンク９が放電を開始し、２８Ｖ以下になると、自動的に降圧回路５０の出力が定電圧生成回路１３の入力になるように設定された電圧である。
【０１５６】
降圧回路５０から出力された電圧が２８Ｖでないと判断した場合には（ステップＳ１１２２：Ｎｏ）、降圧電圧が２８Ｖになるように、検出した降圧電圧に対応するＰＷＭ信号をＰＷＭ信号発生回路７ｅから降圧回路５０のＦＥＴ５１ゲートに出力する（ステップＳ１１２３）。なお、このＰＷＭ信号は、検出した降圧電圧に対応付けたＰＷＭ信号をテーブルに予め設定しておいてもよい。また、比較信号発生回路（三角波）と、予め設定されたアナログ電圧（２８Ｖを出力するための電圧）とを比較してアナログ回路によってＰＷＭ信号を生成してもよい。降圧回路５０から出力された電圧が２８Ｖであると判断した場合には（ステップＳ１１２２：Ｙｅｓ）、ステップＳ１１２１に戻る。このような動作を繰り返し、ＰＷＭ信号発生回路７ｅによって降圧電圧を２８Ｖに維持する。
【０１５７】
このように、商用電源で充電されたキャパシタバンク９の出力または商用電源の出力を定電圧生成回路１３によって定電圧が生成され、生成された定電圧を負荷に供給する構成を採るため、従来複数の回路によって実現されていた複数の機能を１つの定電圧生成回路１３によって実現することができ、プリンタのエンジン電源部の回路構成が簡易な構成とすることができる。これにより、日本国内の一般的なオフィスの商用電源を用い、電源関連の特別な工事を施すことなく、定着装置の立上り時間を短縮することができ、蓄電部を設けた電源装置の回路構成を簡略化することができる。また、蓄電部を設けた電源装置の回路構成を簡略化されたため、画像形成装置の製造コストを低減することができる。また、電源装置の回路構成が複雑な構成を採らないため、装置の品質の向上やメンテナンスの容易性の向上を図ることができる。
【０１５８】
また、商用電源を降圧し、降圧した電圧によってキャパシタバンク９に充電するため、直列に接続するキャパシタセルの個数を少なくすることができる。また、定着装置（ハロゲンヒータ）の電圧として問題がない蓄電量（ＤＣ３０Ｖ以上）を蓄電することができる。
【０１５９】
図１２は、キャパシタバンクを用いた場合の立上げ時及びコピー時の定着装置の温度特性を示す説明図である。本実施の形態は、上述したような構成を採ることにより、画像形成装置の起動時における定着装置が所定の温度に到達するまでの立上り時間は、キャパシタがない場合よりも短くなっている。また、画像形成処理を行うことによって温度の落ち込みが小さくなっている。このように、商用電源で充電するキャパシタバンクを用いた構成を採ることによって、日本国内の一般的なオフィスで使用されている商用電源を用いて、画像形成処理が不可能な時間を短縮することができる。
【０１６０】
また、本発明は上述した実施の形態に限定されるものではない。他の実施の形態として、第２〜第５の実施の形態を説明する。
【０１６１】
（第２の実施の形態）
第２の実施の形態について、添付図面を参照して説明する。第２の実施の形態にかかる画像形成装置のエンジン電源部は、第１の実施の形態と同様に、商用電源から出力された電圧を降圧して蓄電部を充電するとともに、商用電源から出力された電圧および蓄電部から出力された電圧を定電圧生成回路によって定電圧化することによって負荷に供給するものである。第１の実施の形態とは、第１切替回路に代えて第１開閉回路を用い、第２切替回路に代えて第２開閉回路および第３開閉回路を用いている点が異なる。
【０１６２】
本発明が適用されるエンジン電源部２００の構成例について、第１の実施の形態を異なる部分を説明する。他の部分については第１の実施の形態と同様であるので、上述した説明を参照し、ここでの説明を省略する。図１３は、第２の実施の形態にかかるプリンタのエンジン電源部の回路構成を示す回路図である。図１４は、第２の実施の形態にかかるプリンタのエンジン電源部の詳細な回路構成を示す詳細回路図である。
【０１６３】
本実施の形態にかかるプリンタのエンジン電源部２００は、フィルタ１と、全波整流回路２と、降圧回路５０と、降圧電圧検出回路１９と、キャパシタバンク９と、充電電圧検出回路１６と、定電圧生成回路１３と、充電電流検出回路１２と、エンジン制御部１０と、降圧出力制御及び充電制御回路７と、負荷２０と、ＡＣ定着ヒータ２９、３０と、加熱部温度検出回路３３、３４と、ＡＣ定着ヒータ制御回路３９と、第１開閉回路４０と、第２開閉回路４１と、第３開閉回路４２とを備えている。
【０１６４】
ここで、フィルタ１と、全波整流回路２と、降圧回路５０と、降圧電圧検出回路１９と、キャパシタバンク９と、充電電圧検出回路１６と、定電圧生成回路１３と、充電電流検出回路１２と、エンジン制御部１０と、降圧出力制御及び充電制御回路７と、負荷２０と、ＡＣ定着ヒータ２９、３０と、加熱部温度検出回路３３、３４と、ＡＣ定着ヒータ制御回路３９の構成、機能は、第１の実施の形態と同様であるので、説明を省略する。
【０１６５】
第１開閉回路４０は、降圧回路５０の出力と、キャパシタバンク９の接続を開閉するものである。第２開閉回路４１は、降圧回路５０の出力と、定電圧生成回路１３の入力とを接続するものである。第３開閉回路４２は、定電圧生成回路１３の入力とキャパシタバンク９の接続を開閉するものである。第２開閉回路４１を閉じることにより、充電時にも定電圧生成回路１３に電圧を供給することができる。また、省エネモード時等の負荷に電源供給が必要としない時に充電する場合は、第２開閉回路４１を開放すれば、電力の削減が可能である。本実施の形態にかかる第１開閉回路〜第３開閉回路は、ＦＥＴで構成される。勿論、リレー、ＩＧＢＴ等を使用した開閉回路を用いてもよい。
【０１６６】
また、第２開閉回路４１及び第３開閉回路４２をリレーとした場合には、第２開閉回路４１をＯＮにする信号を出力した後、一定時間後に第３開閉回路４２を開放する信号を出力すれば、定電圧生成回路１３に継続して電源を供給することができる。また、第２開閉回路４１をＯＦＦにする場合に、第３開閉回路４２をＯＮにする信号を出力した後、一定時間後に第２開閉回路４１を開放する信号を出力すれば、定電圧生成回路１３に継続して電源を供給することができる。
【０１６７】
第１開閉回路４０は、エンジン制御部１０のポート６から第１開閉回路４０のＦＥＴ４０ａのゲートに、ＦＥＴ４０ａをＯＮ／ＯＦＦにする信号を出力することによって開閉が制御される。第２開閉回路４１は、エンジン制御部１０のポート４からＦＥＴ４１ａのゲートに、ＦＥＴ４１ａをＯＮ／ＯＦＦにする信号を出力することによって開閉が制御される。第３開閉回路４２は、エンジン制御部１０のポート５からＦＥＴ４２ａのゲートに、ＦＥＴ４２ａをＯＮ／ＯＦＦにする信号を出力することによって開閉が制御される。また、ノーマルクローズ状態では、第１開閉回路４０および第３開閉回路４２は開放されるよう設定されている。従って、主電源がＯＦＦである場合は、キャパシタバンク９からの放電は停止する。
【０１６８】
上述ように構成されている画像形成装置による動作モード制御処理、充電制御処理について説明する。動作モード制御処理は、第１の実施の形態で説明した図６−１〜図６−４に示すフローチャートとほぼ同様であるので、異なる部分のみ説明する。
【０１６９】
ステップＳ６２８およびステップＳ６２９に代えて、本実施の形態では、第１開閉回路に開放信号を出力し、第２開閉回路に開放信号を出力し、第３開閉回路に開放信号を出力する処理を行う。
【０１７０】
また、図６−１〜図６−４に示すフローチャート中の開閉回路制御処理１は、図１５に示す開閉回路制御処理１に代え、開閉回路制御処理２は、図１６に示す開閉回路制御処理２に代え、開閉回路制御処理３は、図１７に示す開閉回路制御処理３に代える。
【０１７１】
本実施の形態におけるエンジン制御部１０による開閉回路制御処理１について説明する。図１５は、画像形成装置のエンジン制御部が行う開閉回路制御処理１の手順を示すフローチャートである。この処理により、定電圧生成回路１３はキャパシタバンク９の蓄電力を使用して定電圧を生成し、負荷へ電力を供給する。
【０１７２】
ＣＰＵ１０ａは、蓄電部の電力を使用する信号を降圧出力及び充電制御回路７のＣＰＵ７ａに送信する(ステップＳ１５０１)。ＣＰＵ１０ａは、ポート６から第１開閉回路に閉鎖信号を出力し（ステップＳ１５０２）、ポート５から第３開閉回路に閉鎖信号を出力する（ステップＳ１５０３）。また、第２、第３開閉回路にリレーを使用した場合には、ＣＰＵ１０ａはタイマカウンタで時間Ｎをカウントする（ステップＳ１５０４）。次に、ＣＰＵ１０ａは、ポート４から第２開閉回路に開放信号を出力する（ステップＳ１５０５）。
【０１７３】
本実施の形態におけるエンジン制御部１０による開閉回路制御処理２について説明する。図１６は、画像形成装置のエンジン制御部が行う開閉回路制御処理２の手順を示すフローチャートである。この処理により、定電圧生成回路１３は商用電源から出力された電圧を使用して定電圧を生成し、負荷へ電力を供給する。
【０１７４】
ＣＰＵ１０ａは、負荷電力供給信号を降圧出力及び充電制御回路７のＣＰＵ７ａに送信する(ステップＳ１６０１)。ＣＰＵ１０ａは、ポート６から第１開閉回路に開放信号を出力し（ステップＳ１６０２）、ポート４から第２開閉回路に閉鎖信号を出力する（ステップＳ１６０３）。また、第２、第３開閉回路にリレーを使用した場合には、ＣＰＵ１０ａはタイマカウンタで時間Ｎをカウントする（ステップＳ１６０４）。次に、ＣＰＵ１０ａは、ポート５から第３開閉回路に開放信号を出力する（ステップＳ１６０５）。
【０１７５】
本実施の形態におけるエンジン制御部１０による開閉回路制御処理３について説明する。図１７は、画像形成装置のエンジン制御部が行う開閉回路制御処理３の手順を示すフローチャートである。この処理により、商用電源から出力された電圧を降下し、降圧電圧によって蓄電部を充電する。
【０１７６】
ＣＰＵ１０ａは、ポート６から第１開閉回路に閉鎖信号を出力し（ステップＳ１７０１）、ポート４から第２開閉回路に閉鎖信号を出力する（ステップＳ１７０２）。次に、ＣＰＵ１０ａは、ポート５から第３開閉回路に開放信号を出力する（ステップＳ１７０３）。ＣＰＵ１０ａは、充電許可信号を降圧出力及び充電制御回路７のＣＰＵ７ａに送信する(ステップＳ１７０４)。
【０１７７】
このように、本実施の形態では、第１の実施の形態で奏する効果に加え、第２開閉回路を閉じることによって充電時も負荷に電力を供給することができる。また、省エネモード時等のように負荷に電力を供給する必要がない場合は、第２開閉回路を開放することにより、電力を削減することができる。
【０１７８】
また、本実施の形態において、第２開閉回路４１及び第３開閉回路４２を閉鎖した場合において、降圧出力制御及び充電制御回路７は、キャパシタバンク９の電圧を放電する場合は（第３開閉回路４２を介して定電圧生成回路１３に供給する場合は）、定電圧生成回路１３が定格電圧を生成することができる入力電圧まで電圧を降下させるＰＷＭ信号を降圧回路５０のＦＥＴ５１のゲートに出力する。これにより、キャパシタバンク９が放電を開始し、キャパシタバンク９から定電圧生成回路１３に電圧が供給される。キャパシタバンク９から供給される電圧が定電圧生成回路１３において定格電圧を生成することができる入力電圧まで降下すると、定電圧生成回路１３に供給される電圧は降圧回路５０から出力される電圧に切替わることとなる。
【０１７９】
（第３の実施の形態）
第３の実施の形態について、添付図面を参照して説明する。第３の実施の形態にかかる画像形成装置のエンジン電源部は、第１の実施の形態と同様に、商用電源から出力された電圧を降圧して蓄電部を充電するとともに、商用電源から出力された電圧および蓄電部から出力された電圧を定電圧生成回路によって定電圧化することによって負荷に供給するものである。第１の実施の形態とは、第１切替回路に代えて第１開閉回路を用い、第２切替回路に代えて第２開閉回路を用いている点が異なる。
【０１８０】
本発明が適用されるエンジン電源部３００の構成例について、第１の実施の形態を異なる部分を説明する。他の部分については第１の実施の形態と同様であるので、上述した説明を参照し、ここでの説明を省略する。図１８は、第３の実施の形態にかかるプリンタのエンジン電源部の回路構成を示す回路図である。図１９は、第３の実施の形態にかかるプリンタのエンジン電源部の詳細な回路構成を示す詳細回路図である。
【０１８１】
本実施の形態にかかるプリンタのエンジン電源部３００は、フィルタ１と、全波整流回路２と、降圧回路５０と、降圧電圧検出回路１９と、キャパシタバンク９と、充電電圧検出回路１６と、定電圧生成回路１３と、充電電流検出回路１２と、エンジン制御部１０と、降圧出力制御及び充電制御回路７と、負荷２０と、ＡＣ定着ヒータ２９、３０と、加熱部温度検出回路３３、３４と、ＡＣ定着ヒータ制御回路３９と、第１開閉回路４０と、第２開閉回路４３とを備えている。
【０１８２】
ここで、フィルタ１と、全波整流回路２と、降圧回路５０と、降圧電圧検出回路１９と、キャパシタバンク９と、充電電圧検出回路１６と、定電圧生成回路１３と、充電電流検出回路１２と、エンジン制御部１０と、降圧出力制御及び充電制御回路７と、負荷２０と、ＡＣ定着ヒータ２９、３０と、加熱部温度検出回路３３、３４と、ＡＣ定着ヒータ制御回路３９の構成、機能は、第１の実施の形態と同様であるので、説明を省略する。
【０１８３】
第１開閉回路４０は、降圧回路５０の出力と、キャパシタバンク９の接続を開閉するものである。第２開閉回路４３は、定電圧生成回路１３の入力とキャパシタバンク９の接続を開閉するものである。本実施の形態にかかる回路は、ダイオードを介して常時定電圧生成回路１３に電圧を供給していることに特徴がある。また、キャパシタバンク９から放電する時は、降圧回路５０の電圧をキャパシタバンク９の電圧より低くすれば、キャパシタバンク９から定電圧生成回路１３に電圧が供給されることはない。本実施の形態にかかる第１開閉回路、第２開閉回路は、ＦＥＴで構成される。勿論、リレー、ＩＧＢＴ等を使用した開閉回路を用いてもよい。
【０１８４】
第１開閉回路４０は、エンジン制御部１０のポート６から第１開閉回路４０のＦＥＴ４０ａのゲートにＦＥＴ４０ａをＯＮ／ＯＦＦにする信号が出力することによって開閉が制御される。第２開閉回路４３は、エンジン制御部１０のポート５からＦＥＴ４３ａのゲートにＦＥＴ４３ａをＯＮ／ＯＦＦにする信号を出力することによって開閉が制御される。また、ノーマルクローズ状態では、第１開閉回路４０および第２開閉回路４３は開放されるよう設定されている。従って、主電源がＯＦＦである場合は、キャパシタバンク９からの放電は停止する。
【０１８５】
上述したように構成されている画像形成装置による動作モード制御処理、充電制御処理について説明する。図２０−１、図２０−２は、画像形成装置のエンジン制御部が行う動作モード制御処理手順を示すフローチャートである。動作モード制御処理は、第１の実施の形態で説明した図６−１〜図６−４に示すフローチャートと一部同様であるので、異なる部分のみ説明する。ステップＳ２００１以前の処理は、図６−１のステップＳ６０１〜ステップＳ６０９と同様であるので図６−１での説明を参照し、ここでの説明を省略する。
【０１８６】
図６−１のステップＳ６０９において、エンジン制御部１０のＣＰＵ１０ａがリロード温度であると判断した場合は待機状態となり、予め設定された通常時の電力が定着ヒータに供給され、通常の温度制御が実施される（ステップＳ２００１）。
【０１８７】
次に、ＣＰＵ１０ａは再度待機状態か否かを判断する（ステップＳ２００２）。待機状態であると判断した場合は（ステップＳ２００２：Ｙｅｓ）、ＣＰＵ１０ａは充電電圧が３５Ｖ未満か否か、すなわち満充電の状態か否かを判断する（ステップＳ２００３）。３５Ｖ未満である、すなわち満充電の状態でないと判断した場合は（ステップＳ２００３：Ｙｅｓ）、ＣＰＵ１０ａは開閉回路制御処理３を行う（ステップＳ２００４）。これにより、キャパシタバンク９が充電される。その後ステップＳ２００１に戻る。３５Ｖ未満でない、すなわち充電電圧が満充電であると判断した場合は（ステップＳ２００３：Ｎｏ）、ＣＰＵ１０ａは開閉回路制御処理２を行う（ステップＳ２００５）。これにより、商用電源から入力された電力が定電圧生成回路１３を介して負荷に供給される。その後ステップＳ２００１に戻る。
【０１８８】
ステップＳ２００２において、待機状態でないと判断した場合は（ステップＳ２００２：Ｎｏ）、ＣＰＵ１０ａはコピー動作中か否かを判断する（ステップＳ２００６）。コピー動作中であると判断した場合は（ステップＳ２００６：Ｙｅｓ）、ＣＰＵ１０ａは開閉回路制御処理２を行う（ステップＳ２００７）。これにより、商用電源から入力された電力が定電圧生成回路１３を介して負荷に供給される。負荷は、画像形成動作を行い、定着ヒータ２９、３０に通常の電力が供給される（ステップＳ２００８）。
【０１８９】
次に、ＣＰＵ１０ａはジョブが終了しているか否かを判断する（ステップＳ２００９）。ジョブが終了していると判断した場合は（ステップＳ２００９：Ｙｅｓ）、後述する省エネモードの処理を実施する。ジョブが終了していないと判断した場合は（ステップＳ２００９：Ｎｏ）、ＣＰＵ１０ａは電力使用テーブル１から使用電力が通常の電力以上となる現在の用紙サイズに対応するコピー枚数Ｎ及び蓄電力使用時間Ｍを取得する（ステップＳ２０１０）。
【０１９０】
次に、ＣＰＵ１０ａは現在のコピー枚数がＮか否かを判断する（ステップＳ２０１１）。コピー枚数Ｎでないと判断した場合は（ステップＳ２０１１：Ｎｏ）、ステップＳ２００８に戻り、画像形成動作が継続される。現在のコピー枚数がＮであると判断した場合は（ステップＳ２０１１：Ｙｅｓ）、加熱部の温度が定着画像保証温度より低下するのを防止するため、ＣＰＵ１０ａは開閉回路制御処理１を行う（ステップＳ２０１２）。これにより、商用電源からの電力供給が停止される。さらに、キャパシタバンク９に蓄電された蓄電力が定電圧生成回路１３に供給され、余った電力を定着装置の加熱部に供給することができる。その結果、定着ヒータ２９、３０にヒータ定格の最大電力の供給が可能となる。
【０１９１】
ＣＰＵ１０ａは、定着ヒータ２９、３０に最大電力を供給した状態を継続し、コピー動作を継続する（ステップＳ２０１３）。なお、定着装置の加熱部の温度の低下は、通紙を開始することによって定着の加圧ローラの熱が用紙に移動したために生じるものである。従って、加圧ローラが暖まれば温度低下は解消される。ＣＰＵ１０ａは、加圧ローラが暖まるまでの時間である蓄電力使用時間Ｍをタイマでカウントとする(ステップＳ２０１４)。タイマカウントがＭでないと判断した場合は（ステップＳ２０１４：Ｎｏ）、ステップＳ２０１３に戻り、蓄電力使用時間Ｍが経過するまで、定着ヒータにヒータ定格の最大電力が供給される。
【０１９２】
タイマカウントがＭであると判断した場合は（ステップＳ２０１４：Ｙｅｓ）、ＣＰＵ１０ａは開閉回路制御処理２を行う（ステップＳ２０１５）。これにより、商用電源から入力された電力が負荷に供給される。負荷は、継続して画像形成動作を行い、ＣＰＵ１０ａは定着ヒータに通常の電力を供給する（ステップＳ２０１６）。ＣＰＵ１０ａは、１ジョブで排出すべき枚数の用紙を排出したか否かを判断する（ステップＳ２０１７）。１ジョブで排出すべき枚数の用紙を排出しないと判断した場合は（ステップＳ２０１７：Ｎｏ）、ステップＳ２０１６に戻り、画像形成動作を継続する。１ジョブで排出すべき枚数の用紙を排出したと判断した場合は（ステップＳ２０１７：Ｙｅｓ）、ＣＰＵ１０ａは電力使用テーブル２から電力供給が必要な後処理を取得する（ステップＳ２０１８）。
【０１９３】
次に、ＣＰＵ１０ａは、これから実施する後処理に電力供給が必要であるか否かを判断する（ステップＳ２０１９）。後処理に電力供給が必要であると判断した場合は（ステップＳ２０１９：Ｙｅｓ）、ＣＰＵ１０ａは開閉回路制御処理１を行う（ステップＳ２０２０）。これにより、キャパシタバンク９に蓄電された蓄電力が定電圧生成回路１３に供給され、ＤＣ電源の出力を増加することができる。例えば、後処理としてステープル処理の綴じ動作を行う場合などに電力供給を行う。電力を供給された後処理周辺機は、後処理動作を実施する(ステップＳ２０２１)。その後、ステップ２００１に戻る。後処理に電力供給必要が必要でないと判断した場合は（ステップＳ２０１９：Ｎｏ）、コピー動作は終了しているので、ステップＳ２００１に戻る。
【０１９４】
ステップＳ２００６において、コピー動作中でないと判断した場合は（ステップＳ２００６：Ｎｏ）、またはステップＳ２００９において、ジョブが終了していないと判断した場合は（ステップＳ２００９：Ｎｏ）、その処理の手順は図６−４のステップＳ６２５〜ステップＳ６２８に示すフローチャートとほぼ同様であるので、図６−４での説明を参照し、ここでの説明を省略し、異なる部分のみ説明する。
【０１９５】
ステップＳ６２８およびステップＳ６２９に代えて、本実施の形態では降圧出力停止信号を送信する処理を行う。
【０１９６】
また、図６−１〜図６−４に示すフローチャート中の開閉回路制御処理１は、図２１に示す開閉回路制御処理１に代え、開閉回路制御処理２は、図２２に示す開閉回路制御処理２に代え、開閉回路制御処理３は、図２３に示す開閉回路制御処理３に代える。
【０１９７】
本実施の形態におけるエンジン制御部１０による開閉回路制御処理１について説明する。図２１は、画像形成装置のエンジン制御部が行う開閉回路制御処理１の手順を示すフローチャートである。この処理により、定電圧生成回路１３はキャパシタバンク９の蓄電力を使用して定電圧を生成し、負荷へ電力を供給する。
【０１９８】
ＣＰＵ１０ａは、蓄電部の電力を使用する信号を降圧出力及び充電制御回路７のＣＰＵ７ａに送信する(ステップＳ２１０１)。ＣＰＵ１０ａは、ポート６から第１開閉回路に開放信号を出力し（ステップＳ２１０２）、ポート５から第２開閉回路に閉鎖信号を出力する（ステップＳ２１０３）。
【０１９９】
本実施の形態におけるエンジン制御部１０による開閉回路制御処理２について説明する。図２２は、画像形成装置のエンジン制御部が行う開閉回路制御処理２の手順を示すフローチャートである。この処理により、定電圧生成回路１３は商用電源から出力された電圧を使用して定電圧を生成し、負荷へ電力を供給する。
【０２００】
ＣＰＵ１０ａは、負荷電力供給信号を降圧出力及び充電制御回路７のＣＰＵ７ａに送信する(ステップＳ２２０１)。ＣＰＵ１０ａは、ポート６から第１開閉回路に開放信号を出力し（ステップＳ２２０２）、ポート５から第２開閉回路に開放信号を出力する（ステップＳ２２０３）。
【０２０１】
本実施の形態におけるエンジン制御部１０による開閉回路制御処理３について説明する。図２３は、画像形成装置のエンジン制御部が行う開閉回路制御処理３の手順を示すフローチャートである。この処理により、商用電源から出力された電圧を降下し、降圧電圧によって蓄電部を充電する。
【０２０２】
ＣＰＵ１０ａは、ポート６から第１開閉回路に閉鎖信号を出力し（ステップＳ２３０１）、ポート５から第２開閉回路に開放信号を出力する（ステップＳ２３０２）。次に、ＣＰＵ１０ａは、充電許可信号を降圧出力及び充電制御回路７のＣＰＵ７ａに送信する(ステップＳ２３０３)。
【０２０３】
このように、本実施の形態では、開閉回路が簡略化することができ、負荷に常時電力が供給される。また、放電時に降圧回路５０の出力を低下することにより、放電によりキャパシタ９の電圧が低くなると自動的に降圧回路５０側に、定電圧生成回路１３の入力が切り替えることができる。すなわち、本実施の形態にかかる降圧出力制御及び充電制御回路７は、キャパシタバンク９の電圧を放電する場合は（第２開閉回路４３を介して定電圧生成回路１３に供給する場合は）、定電圧生成回路１３が定格電圧を生成することができる入力電圧まで、電圧を降下させるＰＷＭ信号を降圧回路５０のＦＥＴ５１のゲートに出力する。これにより、キャパシタバンク９が放電を開始し、定電圧生成回路１３が定格電圧を生成することができる入力電圧まで降下すると、自動的に定電圧生成回路１３の入力が降圧回路５０側に切り替わる。
【０２０４】
（第４の実施の形態）
第４の実施の形態について、添付図面を参照して説明する。第４の実施の形態にかかる画像形成装置のエンジン電源部は、商用電源から出力された電圧を、充電回路を用いて蓄電部を充電するとともに、商用電源から出力された電圧および蓄電部から出力された電圧を定電圧生成回路によって定電圧化することによって負荷に供給するものである。第１の実施の形態とは、降圧回路がなく、充電回路によって蓄電部を充電する点が異なる。
【０２０５】
本発明が適用されるエンジン電源部４００の構成例について、第１の実施の形態を異なる部分を説明する。他の部分については第１の実施の形態と同様であるので、上述した説明を参照し、ここでの説明を省略する。図２４は、第４の実施の形態にかかるプリンタのエンジン電源部の回路構成を示す回路図である。図２５は、第４の実施の形態にかかるプリンタのエンジン電源部の詳細な回路構成を示す詳細回路図である。
【０２０６】
本実施の形態にかかるプリンタのエンジン電源部４００は、フィルタ１と、全波整流回路２と、電圧検出回路７０と、充電回路６０と、キャパシタバンク９と、充電電圧検出回路１６と、定電圧生成回路１３と、充電電流検出回路１２と、エンジン制御部１０と、降圧出力制御及び充電制御回路７と、負荷２０と、ＡＣ定着ヒータ２９、３０と、加熱部温度検出回路３３、３４と、ＡＣ定着ヒータ制御回路３９と、第１開閉回路６６と、第２開閉回路６６とを備えている。
【０２０７】
ここで、フィルタ１と、全波整流回路２と、キャパシタバンク９と、充電電圧検出回路１６と、定電圧生成回路１３と、充電電流検出回路１２と、エンジン制御部１０と、降圧出力制御及び充電制御回路７と、負荷２０と、ＡＣ定着ヒータ２９、３０と、加熱部温度検出回路３３、３４と、ＡＣ定着ヒータ制御回路３９の構成、機能は、第１の実施の形態と同様であるので、説明を省略する。
【０２０８】
充電回路６０は、キャパシタバンク９を充電するものである。充電回路６０は、図２５に示すように充電電圧検出回路１６及び充電制御回路７を備えている。
【０２０９】
充電回路６０は、全波整流回路２から出力された直流電圧が平滑コンデンサＣ２と並列に配置された高周波トランス６１の一次コイル６１ａに入力されるように接続されている。一次コイル６１ａには、スイッチング手段としてＦＥＴ６４が直列に接続されている。ＦＥＴ６４で構成されるスイッチング回路は、充電制御回路７のＰＷＭ発生回路７ｅから出力されるＰＷＭ信号によってＦＥＴ６４がスイッチング（ＯＮ、ＯＦＦ動作）すると、一次コイル６１ａにスイッチング電流が流れる。
【０２１０】
この一次側のスイッチング電流によって、トランス６１の二次コイル６１ｂにスイッチング電圧が誘起する。このスイッチング周波数の導通期間を変えれば、出力電圧を制御することができる。トランス６１の二次コイル６１ｂには、整流回路としてダイオード６２、６５が接続されている。スイッチング電圧は、この整流回路で整流され、チュークコイル６３及びコンデンサＣ１により平滑され、直流出力に変換される。この直流出力は、ダイオードＤ１を介してキャパシタバンク９に供給される。また、この平滑された直流電圧は、第１開閉回路６６（ＦＥＴ６６ａ）を介して、定電圧生成回路１３（ＤＣ／ＤＣコンバータ）に供給される。この充電電圧は、充電制御回路７により監視され、ＰＷＭ発生回路７ｅによってＰＷＭ信号のＯＮデューティを変えることにより制御される。
【０２１１】
充電制御回路７は、キャパシタバンク９の充電電圧検出、充電電流の検出およびバイパス回路の動作を検出し、キャパシタバンク９に定電流充電または定電力充電を行うものである。また、充電制御回路７は、キャパシタバンク９に定電流充電及び定電力充電を行うためのＰＷＭ信号を発生させるものである。充電制御回路７は、ＣＰＵ７ａ、シリアルコントローラ（ＳＩＣ）７ｂ、Ａ／Ｄコンバータ７ｃ、充電電流検出回路７ｄ、ＰＷＭ信号発生回路７ｅ、ＲＯＭ、ＲＡＭ、タイマ、割り込み制御回路及び入出力ポートを備えている。
【０２１２】
充電制御回路７は、キャパシタバンク９の端子間電圧を充電電圧検出回路１６の出力によって検出する。キャパシタバンク９の端子間電圧が予め設定された値より低い場合には、キャパシタバンク９と直列に接続された抵抗Ｒ１の端子間電圧を逐次検出し、定電流充電にするために、この端子間電圧に対応して予め設定されたＰＷＭ信号をＦＥＴ６４のゲートに出力する。なお、定電流充電にするためのＰＷＭ信号は、抵抗Ｒ１の端子間電圧と、ＰＷＭ信号のＯＮデューティとの関係に基づいて、予め作成したテーブルを使用してもよい。また、演算により算出してもよい。
【０２１３】
また、充電電流のみを参照し、予め設定された充電電流になるようにＰＷＭ信号を制御してもよい。キャパシタバンク９が充電されてない場合は、大きな突入電流がキャパシタバンク９に流れるのを防止しするために、充電電圧を低くし、徐々に充電電圧を高くするようにＰＷＭ信号を出力してもよい。充電制御回路７は、キャパシタバンク９の端子間電圧が予め設定された値以上になった場合は、定電力充電を行うためにキャパシタバンク９の充電電流と、キャパシタバンク９の端子間電圧の検出を逐次行なう。充電制御回路７は、検出した充電電流と充電電圧に基づいて予め設定された定電力充電を行うためのＰＷＭ信号を、ＦＥＴ６４のゲートに出力する。なお、ＰＷＭ信号は、キャパシタバンク９の充電電流の検出と、キャパシタバンク９の端子間電圧の検出を行い、この検出した充電電流と充電電圧に基づいて予め設定された定電力充電を行うためＰＷＭ信号を演算して決定する。
【０２１４】
充電制御回路７は、何れかの単セル満充電信号５を検出すると、再び予め設定された定電流充電にするためのＰＷＭ信号を、ＦＥＴ６４のゲートに出力する。次に、充電制御回路７は、全てのキャパシタセルの満充電信号６を検出すると、充電動作を停止する信号をＦＥＴ６４のゲートに出力する。
【０２１５】
本実施の形態にかかるキャパシタバンク９は、満充電時に２．５Ｖになるキャパシタセル（電気二重層コンデンサセル）が直列に３６個接続されている。従って、１６個のキャパシタセルが満充電になると、９０Ｖの電圧が蓄電される。このキャパシタバンク９の蓄電力は、第２開閉回路６７を介して、定電圧生成回路１３に供給される。
【０２１６】
次に、第１開閉回路６６及び第２開閉回路６７の動作説明を行う。第１開閉回路６６及び第２開閉回路６７はＦＥＴで構成される。ＣＰＵ１０ａは、ポート４からの信号によってＦＥＴ６６ａのＯＮ／ＯＦＦ制御を行う。第１開閉回路６６（ＦＥＴ６６ａ）は、ＯＮにする信号を出力されると閉じられ、ＯＦＦにする信号が出力されると開放される。また、第２開閉回路（ＦＥＴ６７ａ）は、ＣＰＵ１０ａのポート５から出力される信号によってＦＥＴ６７ａのＯＮ／ＯＦＦが制御され、閉鎖または開放が制御される。
【０２１７】
ＣＰＵ１０ａは、待機時または省エネモード時等の電力を必要としない時に、キャパシタバンク９に充電するために、ＦＥＴ６７ａをＯＦＦにする信号をポート５から出力し、ポート４からＦＥＴ６６ａをＯＦＦにする信号、またはＦＥＴ６６ａをＯＮにする信号を出力する。なお、ＦＥＴ６６ａをＯＮにした時には、負荷側にも電源が供給される。
【０２１８】
ＣＰＵ１０ａは、商用電源のＡＣ電力定格を超えるような場合、または画像形成装置側の急激な負荷変動によってフリッカーが発生するような場合は、キャパシタバンク９の蓄電力を使用するために、ポート５からＦＥＴ６７ａをＯＮにする信号を出力し、ポート４からＦＥＴ６６ａをＯＦＦにする信号を出力する。
【０２１９】
ＣＰＵ１０ａは、充電または放電以外の通常時に放電を停止するために、ポート５からＦＥＴ６７ａをＯＦＦにする信号を出力し、ポート４からＦＥＴ６６ａをＯＮにする信号を出力する。これにより、商用電源が定電圧生成回路１３の入力に接続される。
【０２２０】
ＣＰＵ１０ａは、画像形成動作が終了後一定時間が経過すると省エネモードに入るため、ＤＣ／ＤＣコンバータ１４に一部の電源出力停止信号をポート２から出力する。省エネ解除ＳＷ２４（圧版開放ＳＷ、ＡＤＦの原稿検知ＳＷ等）がＯＮされることによって、ＤＣ／ＤＣコンバータ１４は省エネモードが解除され、通常の動作に復帰する。なお、ＣＰＵ１０ａは、ＤＣ化された商用電源の電圧を検出することによって商用電源の低下を検出し、第１開閉回路６６を開放し、第２開閉回路６７を閉鎖することによってキャパシタバンク９から蓄電力を供給し、ＡＣ電力を補充する機能も有している。
【０２２１】
上述したように構成されている画像形成装置による動作モード制御処理、充電制御処理について説明する。図２６−１〜図２６−４は、画像形成装置のエンジン制御部が行う動作モード制御処理手順を示すフローチャートである。
【０２２２】
エンジン制御部１０のＣＰＵ１０ａは、主電源ＯＮまたは省エネモード解除によってＤＣ電源が供給されると、エンジン制御部１０のＣＰＵ１０ａ、その周辺回路及びメモリ関連の初期設定を行う（ステップＳ２６０１）。ＣＰＵ１０ａは、充電電圧検出回路１６の検出結果から充電電圧が９０Ｖか否か、すなわち満充電の状態か否かを判断する（ステップＳ２６０２）。満充電であると判断した場合は（ステップＳ２６０２：Ｙｅｓ）、開閉回路制御処理１を行う（ステップＳ２６０３）。これにより、商用電源からの電力供給を停止し、キャパシタバンク９に蓄電された蓄電力を定電圧生成回路１３に供給することができる。その結果、余った電力が定着装置の加熱部に供給される（ステップＳ２６０４）。満充電でないと判断した場合は（ステップＳ２６０２：Ｎｏ）、ステップＳ２６０４に進む。
【０２２３】
次に、ＣＰＵ１０ａは、充電電圧検出回路１６の検出結果から充電電圧が６０Ｖ以上か否かを判断する（ステップＳ２６０５）。６０Ｖ以上であると判断した場合は（ステップＳ２６０５：Ｙｅｓ）、蓄電力が使用できると判断し、加熱部温度が予め設定された温度以上（例として１７５℃）か否かを判断する（ステップＳ２６０６）。予め設定された温度に達してないと判断した場合は（ステップＳ２６０６：Ｎｏ）、ステップＳ２６０４に戻り、引き続き定着ヒータ２９、３０にヒータ定格の最大電力を供給する。
【０２２４】
次に、加熱部温度が予め設定された温度以上であると判断した場合は（ステップＳ２６０６：Ｙｅｓ）、またはキャパシタバンク９の充電電圧が６０Ｖ未満であると判断した場合は（ステップＳ２６０５：Ｎｏ）、ＣＰＵ１０ａは開閉回路制御処理２を行う（ステップＳ２６０７）。これにより、商用電源から負荷に電力が供給される。
【０２２５】
次に、ＣＰＵ１０ａは定着装置の定着ヒータ２９、３０に予め設定された通常時の電力供給を行う(ステップＳ２６０８)。ＣＰＵ１０ａは、加熱部がリロード温度（例えば１８０℃）か否かを判断する（ステップＳ２６０８）。リロード温度でないと判断した場合は（ステップＳ２６０９：Ｎｏ）、ステップＳ２６０８に戻り、定着ヒータ２９、３０に予め設定された通常時の電力供給が継続される。リロード温度であると判断した場合は（ステップＳ２６０９：Ｙｅｓ）、待機状態となり、予め設定された通常時の電力供給が継続される（ステップＳ２６１０）。
【０２２６】
次に、ＣＰＵ１０ａは再度待機状態か否かを判断する（ステップＳ２６１１）。待機状態であると判断した場合は（ステップＳ２６１１：Ｙｅｓ）、ＣＰＵ１０ａは充電電圧が９０Ｖ未満か否か、すなわち満充電の状態か否かを判断する（ステップＳ２６１２）。９０Ｖ未満である、すなわち満充電の状態でないと判断した場合は（ステップＳ２６１２：Ｙｅｓ）、ＣＰＵ１０ａは開閉回路制御処理３を行う（ステップＳ２６１３）。これにより、キャパシタバンク９が充電される。その後ステップＳ２６１０に戻る。９０Ｖ未満でない、すなわち充電電圧が満充電であると判断した場合は（ステップＳ２６１２：Ｎｏ）、ＣＰＵ１０ａは開閉回路制御処理２を行う（ステップＳ２６１４）。これにより、商用電源から入力された電力が定電圧生成回路１３を介して負荷に供給される。その後ステップＳ２６１０に戻る。
【０２２７】
ステップＳ２６１１において、待機状態でないと判断した場合は（ステップＳ２６１１：Ｎｏ）、ＣＰＵ１０ａはコピー動作中か否かを判断する（ステップＳ２６１５）。コピー動作中であると判断した場合は（ステップＳ２６１５：Ｙｅｓ）、ＣＰＵ１０ａは開閉回路制御処理２を行う（ステップＳ２６１６）。これにより、商用電源から入力された電力が定電圧生成回路１３を介して負荷に供給される。負荷は、画像形成動作を行い、定着ヒータ２９、３０に通常の電力が供給される（ステップＳ２６１７）。
【０２２８】
次に、ＣＰＵ１０ａはジョブが終了しているか否かを判断する（ステップＳ２６１８）。ジョブが終了していると判断した場合は（ステップＳ２６１８：Ｙｅｓ）、後述する省エネモードの処理を実施する。ジョブが終了していないと判断した場合は（ステップＳ２６１８：Ｎｏ）、ＣＰＵ１０ａは電力使用テーブル１から使用電力が通常の電力以上となる現在の用紙サイズに対応するコピー枚数Ｎ及び蓄電力使用時間Ｍを取得する（ステップＳ２６１９）。
【０２２９】
次に、ＣＰＵ１０ａは現在のコピー枚数がＮか否かを判断する（ステップＳ２６２０）。コピー枚数がＮでないと判断した場合は（ステップＳ２６２０：Ｎｏ）、ステップＳ２６１７に戻り、画像形成動作が継続される。現在のコピー枚数がＮであると判断した場合は（ステップＳ２６２０：Ｙｅｓ）、加熱部の温度が定着画像保証温度より低下することを防止するため、ＣＰＵ１０ａは開閉回路制御処理１を行う（ステップＳ２６２１）。これにより、商用電源からの電力供給が停止される。さらに、キャパシタバンク９に蓄電された蓄電力が定電圧生成回路１３に供給され、余った電力を定着装置の加熱部に供給することができる。その結果、定着ヒータ２９、３０にヒータ定格の最大電力の供給が可能となる。
【０２３０】
ＣＰＵ１０ａは、定着ヒータ２９、３０に最大電力を供給した状態を継続し、コピー動作を継続する（ステップＳ２６２２）。なお、定着装置の加熱部の温度の低下は、通紙を開始することによって定着の加圧ローラの熱が用紙に移動したために生じるものである。従って、加圧ローラが暖まれば温度低下は解消される。ＣＰＵ１０ａは、加圧ローラが暖まるまでの時間である蓄電力使用時間Ｍをタイマでカウントとする(ステップＳ２６２３)。タイマカウントがＭでないと判断した場合は（ステップＳ２６２３：Ｎｏ）、ステップＳ２６２２に戻り、蓄電力使用時間Ｍが経過するまで、定着ヒータにヒータ定格の最大電力が供給される。
【０２３１】
タイマカウントがＭであると判断した場合は（ステップＳ２６２３：Ｙｅｓ）、ＣＰＵ１０ａは開閉回路制御処理２を行う（ステップＳ２６２４）。これにより、商用電源から入力された電力が負荷に供給される。負荷は、継続して画像形成動作を行い、ＣＰＵ１０ａは定着ヒータに通常の電力を供給する（ステップＳ２６２５）。ＣＰＵ１０ａは、１ジョブで排出すべき枚数の用紙を排出したか否かを判断する（ステップＳ２６２６）。１ジョブで排出すべき枚数の用紙を排出しないと判断した場合は（ステップＳ２６２６：Ｎｏ）、ステップＳ２６２５に戻り、画像形成動作を継続する。１ジョブで排出すべき枚数の用紙を排出したと判断した場合は（ステップＳ２６２６：Ｙｅｓ）、ＣＰＵ１０ａは電力使用テーブル２から電力供給が必要な後処理を取得する（ステップＳ２６２７）。
【０２３２】
次に、ＣＰＵ１０ａは、これから実施する後処理に電力供給が必要であるか否かを判断する（ステップＳ２６２８）。後処理に電力供給が必要であると判断した場合は（ステップＳ２６２８：Ｙｅｓ）、ＣＰＵ１０ａは開閉回路制御処理１を行う（ステップＳ２６２９）。これにより、キャパシタバンク９に蓄電された蓄電力が定電圧生成回路１３に供給され、ＤＣ電源の出力を増加することができる。例えば、後処理としてステープル処理の綴じ動作を行う場合などに電力供給を行う。電力を供給された後処理周辺機は、後処理動作を実施する(ステップＳ２６３０)。その後、ステップＳ２６１０に戻る。後処理に電力供給必要が必要でないと判断した場合は（ステップＳ２６２８：Ｎｏ）、コピー動作は終了しているので、ステップＳ２６１０に戻る。
【０２３３】
ステップＳ２６１５において、コピー動作中でないと判断した場合は（ステップＳ２６１５：Ｎｏ）、またはステップＳ２６１８においてジョブが終了したと判断した場合は（ステップＳ２６１８：Ｙｅｓ）、ＣＰＵ１０ａは省エネモード中か否かを判断する（ステップＳ２６３１）。省エネモード中でないと判断した場合は（ステップＳ２６３１：Ｎｏ）、ステップＳ２６１０に戻る。省エネモード中であると判断した場合は（ステップＳ２６３１：Ｙｅｓ）、ＣＰＵ１０ａは充電電圧が３５Ｖ未満か否か、すなわち満充電状態か否かを判断する（ステップＳ２６３２）。充電電圧が３５Ｖ未満である、すなわち満充電状態でないと判断した場合は（ステップＳ２６３２：Ｙｅｓ）、キャパシタバンク９に充電するため、ＣＰＵ１０ａは開閉回路制御処理３を行い（ステップＳ２６３３）、ステップＳ２６３１に戻る。なお、本フローチャートには示さないが、この充電動作が終了すると、画像形成装置制御部も省エネモードに移行する。充電電圧が３５Ｖ未満でない、すなわち満充電状態であると判断した場合は（ステップＳ２６３２：Ｎｏ）、ＣＰＵ１０ａは降圧出力停止信号を送信し（ステップＳ２６３４）、ステップＳ２６３１に戻る。
【０２３４】
次に、エンジン制御部１０による開閉回路制御処理１について説明する。図２７は、画像形成装置のエンジン制御部が行う開閉回路制御処理１の手順を示すフローチャートである。この処理により、定電圧生成回路１３はキャパシタバンク９の蓄電力を使用して定電圧出力制御を行う。
【０２３５】
ＣＰＵ１０ａは、蓄電部の電力を使用する信号を送信する(ステップＳ２７０１)。ＣＰＵ１０ａは、第１開閉回路を開放する信号を出力し（ステップＳ２７０２）。第２開閉回路を閉鎖する信号を出力する（ステップＳ２７０３）。
【０２３６】
次に、エンジン制御部１０による開閉回路制御処理２について説明する。図２８は、画像形成装置のエンジン制御部が行う開閉回路制御処理２の手順を示すフローチャートである。この処理により、定電圧生成回路１３は商用電源より負荷に電源が供給される。
【０２３７】
ＣＰＵ１０ａは、負荷に電力供給する信号を送信する(ステップＳ２８０１)。ＣＰＵ１０ａは、第１開閉回路を閉鎖する信号を出力し（ステップＳ２８０２）、第２開閉回路を開放する信号を出力する（ステップＳ２８０３）。
【０２３８】
次に、エンジン制御部１０による開閉回路制御処理３について説明する。図２９は、画像形成装置のエンジン制御部が行う開閉回路制御処理３の手順を示すフローチャートである。この処理によってキャパシタバンク９が充電される。
【０２３９】
ＣＰＵ１０ａは、第１開閉回路を閉鎖する信号を出力し（ステップＳ２９０１）、第２開閉回路を開放する信号を出力する（ステップＳ２９０２）。ＣＰＵ１０ａは、充電許可信号を送信する（ステップＳ２９０３）。
【０２４０】
次に、充電制御回路７による充電処理について説明する。図３０−１、図３０−２は、画像形成装置の充電制御回路が行う充電処理手順を示すフローチャートである。この処理によってキャパシタバンク９が充電される。
【０２４１】
充電制御回路７は、エンジン制御部１０のＣＰＵ１０ａから充電許可信号が送信されているか否かを判断する（ステップＳ３００１）。充電許可信号が送信されていないと判断した場合は（ステップＳ３００１：Ｎｏ）、処理は終了する。充電許可信号が送信されていると判断した場合は（ステップＳ３００１：Ｙｅｓ）、充電制御回路７は充電電圧が９０Ｖに達しているか否かを判断する（ステップＳ３００２）。具体的には、充電電圧検出回路１６の検出結果から充電電圧を確認し、満充電状態か否かを判断する。充電電圧が９０Ｖに達していると判断した場合は（ステップＳ３００２：Ｙｅｓ）、充電する必要は無いので、充電制御回路７は満充電電圧信号をエンジン制御部１０のＣＰＵ１０ａに送信し（ステップＳ３００３）、処理は終了する。
【０２４２】
充電電圧が９０Ｖに達していないと判断した場合は（ステップＳ３００２:Ｎｏ）、充電動作を行うために、充電制御回路７は充電動作中信号をエンジン制御部１０のＣＰＵ１０ａに送信する（ステップＳ３００４）。充電制御回路７は、充電電圧が２４Ｖ以下か否かを判断する（ステップＳ３００５）。充電電圧が２４Ｖ以下であると判断した場合は（ステップＳ３００５：Ｙｅｓ）、充電制御回路７は蓄電部、すなわちキャパシタバンク９の充電電流を検出する（ステップＳ３００６）。充電制御回路７は、定電流充電するため検出した充電電流に対応したＰＷＭ信号をＦＥＴ６４のゲートに出力する（ステップＳ３００７）。ステップＳ３００５に戻り、充電制御回路７は充電電圧が２４Ｖ以下か否かを判断する。充電電圧が２４Ｖ以下であると判断された場合は、上述した充電動作を繰り返す。
【０２４３】
ステップＳ３００５において、充電電圧が２４Ｖ以下でないと判断した場合（ステップＳ３００５：Ｎｏ）、充電制御回路７は蓄電部、すなわちキャパシタバンク９の充電電流と充電電圧の検出を行う（ステップＳ３００８）。充電制御回路７は定電力充電を行うため、検出した充電電流と充電電圧に対応したＰＷＭ信号をＦＥＴ６４のゲートに出力する（ステップＳ３００９）。次に、充電制御回路７は、何れかの単セル満充電信号があるか否かを判断する（ステップＳ３０１０）。何れも単セル満充電信号がないと判断した場合には（ステップＳ３０１０：Ｎｏ）、ステップＳ３００８に戻る。
【０２４４】
何れかの単セル満充電信号があると判断した場合には（ステップＳ３０１０：Ｙｅｓ）、充電制御回路７は定電流充電を実施する（ステップＳ３０１１）。充電制御回路７は、全セル満充電信号があるか否かを判断する（ステップＳ３０１２）。全セル満充電信号があると判断した場合は（ステップＳ３０１２：Ｙｅｓ）、充電制御回路７は充電動作を停止するためにＰＷＭ信号をＦＥＴ６４のゲートに出力する（ステップＳ３０１３）。充電制御回路７は、全セル満充電信号をＣＰＵ１０ａに送信し（ステップＳ３０１４）、処理は終了する。全セル満充電信号がないと判断した場合は（ステップＳ３０１２：Ｎｏ）、ステップＳ３０１１に戻り、充電制御回路７は定電流充電を行う。
【０２４５】
このように、本実施の形態にかかる回路構成は、充電時に負荷に電源を供給することも可能であるが、省エネモード時のように電力を削減したい場合は負荷への電源を遮断することもできる。なお、キャパシタセルを直列に接続する使用個数を少なくするためには、定電圧電源の制御入力電圧範囲を広くすることによって可能となる。
【０２４６】
（第５の実施の形態）
第５の実施の形態について、添付図面を参照して説明する。第５の実施の形態にかかる画像形成装置のエンジン電源部は、商用電源から出力された電圧を、充電回路を用いて蓄電部を充電するとともに、商用電源から出力された電圧および蓄電部から出力された電圧を定電圧生成回路によって定電圧化することによって負荷に供給するものである。第４の実施の形態とは、降圧回路とキャパシタバンクの間に開閉回路を設けた点が異なる。
【０２４７】
本発明が適用されるエンジン電源部５００の構成例について、第４の実施の形態を異なる部分を説明する。他の部分については第４の実施の形態と同様であるので、上述した説明を参照し、ここでの説明を省略する。図３１は、第５の実施の形態にかかるプリンタのエンジン電源部の回路構成を示す回路図である。図３２は、第５の実施の形態にかかるプリンタのエンジン電源部の詳細な回路構成を示す詳細回路図である。
【０２４８】
本実施の形態にかかるプリンタのエンジン電源部５００は、フィルタ１と、全波整流回路２と、電圧検出回路７０と、充電回路６０と、キャパシタバンク９と、充電電圧検出回路１６と、定電圧生成回路１３と、充電電流検出回路１２と、エンジン制御部１０と、負荷２０と、ＡＣ定着ヒータ２９、３０と、加熱部温度検出回路３３、３４と、ＡＣ定着ヒータ制御回路３９と、第１開閉回路７６と、第２開閉回路７７と、第３開閉回路７８とを備えている。
【０２４９】
ここで、フィルタ１と、全波整流回路２と、電圧検出回路７０と、充電回路６０と、キャパシタバンク９と、充電電圧検出回路１６と、定電圧生成回路１３と、充電電流検出回路１２と、エンジン制御部１０と、負荷２０と、ＡＣ定着ヒータ２９、３０と、加熱部温度検出回路３３、３４と、ＡＣ定着ヒータ制御回路３９の構成、機能は、第１および第４の実施の形態と同様であるので、説明を省略する。第４の実施の形態とは、第１開閉回路６６と、第２開閉回路６７とに代えて、第１開閉回路７６と、第２開閉回路７７と、第３開閉回路７８とを備える点が異なる。
【０２５０】
第１開閉回路７６は、商用電源と充電回路６０との接続を開閉するものである。第２開閉回路７７は、前記商用電源と前記定電圧電源手段との接続を開閉するものである。また、第３開閉回路７８は、キャパシタバンク９と定電圧生成回路１３との接続を開閉するものである。定電圧生成回路１３は、第２開閉回路または第３開閉回路の出力を入力とし、定電圧を生成する。
【０２５１】
次に、第１開閉回路７６、第２開閉回路７７、第３開閉回路７８の動作について説明する。ＣＰＵ１０ａは、キャパシタバンク９に充電する時は、第１開閉回路７６を閉じる（ＦＥＴ７６ａをＯＮにする）。第２開閉回路７７は、開放（ＦＥＴ７７ａをＯＦＦにする）、または閉鎖する（ＦＥＴ７７ａをＯＮにする）。第３開閉回路７８は開放する（ＦＥＴ７８ａをＯＦＦにする）。このように、第２開閉回路７７を閉じることにより、充電時にも定電圧生成回路１３に電圧を供給することができる。また、省エネモード時等の負荷に電源を供給する必要がない時に充電する場合は、第２開閉回路７７を開放することによって電力を削減することができる。
【０２５２】
また、ＣＰＵ１０ａは、キャパシタバンク９の電力を使用する場合、第１開閉回路７６を開放する（ＦＥＴ７６ａをＯＦＦにする）。第２開閉回路７７は、開放し（ＦＥＴ７７ａをＯＦＦにする）、第３開閉回路７８は閉鎖する（ＦＥＴ７８ａをＯＮにする）。
【０２５３】
また、ＣＰＵ１０ａは、商用電源を定電圧生成回路１３に供給する場合は、第１開閉回路７６を開放し（ＦＥＴ７６ａをＯＦＦにする）、第２開閉回路７７を閉鎖し（ＦＥＴ７７ａをＯＮにする）、第３開閉回路７８を開放する（ＦＥＴ７８ａをＯＦＦにする）。また、第３開閉回路７８を開放する場合に、第２開閉回路７７を閉じた後に第３開閉回路７８を開放すれば、定電圧生成回路１３には電源が継続して供給される。第２開閉回路７７を開放する場合に、第３開閉回路７８を閉じた後に第２開閉回路７７を開放すれば、定電圧生成回路１３には電源が継続して供給される。
【０２５４】
上述したように構成されているプリンタによる動作モード制御処理について説明する。図３３−１、図３３−２は、画像形成装置のエンジン制御部が行う動作モード制御処理手順を示すフローチャートである。
【０２５５】
本実施の形態にかかる動作モード制御処理の手順は、図２６−１〜図２６−４に示すフローチャートの一部と同様であるので、異なる部分のみ説明する。ステップＳ３３０１以前の処理は、図２６−１のステップＳ２６０１〜ステップＳ２６０９と同様であるので図２６−１での説明を参照し、ここでの説明を省略する。
【０２５６】
図２６−１のステップＳ２６０９において、エンジン制御部１０のＣＰＵ１０ａがリロード温度であると判断した場合は待機状態となり、予め設定された通常時の電力が定着ヒータに供給され、通常の温度制御が実施される（ステップＳ３３０１）。
【０２５７】
ＣＰＵ１０ａは、再度待機状態か否かを判断する（ステップＳ３３０２）。待機状態であると判断した場合は（ステップＳ３３０２：Ｙｅｓ）、ＣＰＵ１０ａは充電電圧が９０Ｖ未満か否か、すなわち満充電の状態か否かを判断する（ステップＳ３３０３）。９０Ｖ未満である、すなわち満充電の状態でないと判断した場合は（ステップＳ３３０３：Ｙｅｓ）、ＣＰＵ１０ａは開閉回路制御処理３を行い（ステップＳ３３０４）、ステップＳ３３０１に戻る。これにより、キャパシタバンク９が充電される。９０Ｖ未満でない、すなわち満充電の状態であると判断した場合は（ステップＳ３３０３：Ｎｏ）、ＣＰＵ１０ａは開閉回路制御処理２を行い（ステップＳ３３０５）、ステップＳ３３０１に戻る。これにより、商用電源から負荷に電力が供給される。
【０２５８】
ステップＳ３３０２において、待機状態でないと判断した場合は（ステップＳ３３０２：Ｎｏ）、ＣＰＵ１０ａは動作モード、画像形成動作過程毎に蓄電力を使用する電力使用テーブル１、２を参照し、蓄電力を使用する動作モードまたは動作条件を設定する（ステップＳ３３０６）。例えば、連続コピー枚数により、加熱部の温度が低下するコピー枚数設定と、最大電力を定着ヒータに供給、すなわちキャパシタバンク９の蓄電力を使用する場合に加熱部の温度が回復する時間のタイマカウントと、電力供給が必要な後処理を電力使用テーブル１、２から取得し、設定する。
【０２５９】
次に、ＣＰＵ１０ａは、コピー動作中か否かを判断する（ステップＳ３３０７）。コピー動作中であると判断した場合は（ステップＳ３３０７：Ｙｅｓ）、ＣＰＵ１０ａは電力使用テーブル１、２から取得したコピー枚数設定があるか否かを判断する（ステップＳ３３０８）。コピー枚数設定があると判断した場合には（ステップＳ３３０８：Ｙｅｓ）、商用電源から負荷に電力を供給するために、ＣＰＵ１０ａは複数コピー処理を行う（ステップＳ３３０９）。複数コピー処理は、第１の実施の形態での図７と同様であるため、図７とその説明を参照し、ここでの説明を省略する。
【０２６０】
次に、ＣＰＵ１０ａは、開閉回路制御処理２を行う（ステップＳ３３１０）。負荷は、継続して画像形成動作を行い、定着ヒータに通常の電力が供給される（ステップＳ３３１１）。ＣＰＵ１０ａは、１ジョブに対応する枚数の用紙を排出したか否かを判断する（ステップＳ３３１２）。１ジョブに対応する枚数の用紙を排出していないと判断した場合には（ステップＳ３３１２：Ｎｏ）、ステップＳ３３１１に戻り、負荷は画像形成動作を継続する。１ジョブに対応する枚数の用紙を排出したと判断した場合には（ステップＳ３３１２：Ｙｅｓ）、ＣＰＵ１０ａは後処理に電力供給が必要か否かを判断する（ステップＳ３３１３）。
【０２６１】
後処理に電力供給が必要であると判断した場合には（ステップＳ３３１３：Ｙｅｓ）。ＤＣ電源の出力増加をするため、ＣＰＵ１０ａは開閉回路制御処理１を行う（ステップＳ３３１４）。これにより、キャパシタバンク９に蓄電された蓄電力が定電圧生成回路１３に供給される。電力が供給された後処理周辺機は、後処理動作を実施し(ステップＳ３３１５)、ステップＳ３３０１に戻る。後処理に電力供給が必要でないと判断した場合は（ステップＳ３３１３：Ｎｏ）、コピー動作は終了したので、ステップＳ３３０１に戻る。
【０２６２】
ステップＳ３３０７において、コピー動作中でないと判断した場合は（ステップＳ３３０７：Ｎｏ）、その処理の手順は図２６−４のステップＳ２６３１〜ステップＳ２６３４に示すフローチャートと同様であるので、図２６−４での説明を参照し、ここでの説明を省略する。
【０２６３】
次に、エンジン制御部１０による開閉回路制御処理１について説明する。図３４は、画像形成装置のエンジン制御部が行う開閉回路制御処理１の手順を示すフローチャートである。この処理により、定電圧生成回路１３はキャパシタバンク９の蓄電力を使用して定電圧出力制御を行う。
【０２６４】
ＣＰＵ１０ａは、蓄電部の電力を使用する信号を送信する(ステップＳ３４０１)。ＣＰＵ１０ａは、第１開閉回路を開放する信号を出力し（ステップＳ３４０２）。第３開閉回路を閉鎖する信号を出力する（ステップＳ３４０３）。また、第２、第３開閉回路にリレーを使用した場合には、ＣＰＵ１０ａはタイマカウンタで時間Ｎをカウントする（ステップＳ３４０４）。次に、ＣＰＵ１０ａは、第２開閉回路を開放する信号を出力する（ステップＳ３４０５）。
【０２６５】
次に、エンジン制御部１０による開閉回路制御処理２について説明する。図３５は、画像形成装置のエンジン制御部が行う開閉回路制御処理２の手順を示すフローチャートである。この処理により、定電圧生成回路１３は商用電源より負荷に電源が供給される。
【０２６６】
ＣＰＵ１０ａは、負荷電力供給信号を送信する(ステップＳ３５０１)。ＣＰＵ１０ａは、第１開閉回路を開放する信号を出力し（ステップＳ３５０２）、第２開閉回路を閉鎖する信号を出力する（ステップＳ３５０３）。また、第２、第３開閉回路にリレーを使用した場合には、ＣＰＵ１０ａはタイマカウンタで時間Ｎをカウントする（ステップＳ３５０４）。次に、ＣＰＵ１０ａは第３開閉回路を開放する信号を出力する（ステップＳ３５０５）。
【０２６７】
次に、エンジン制御部１０による開閉回路制御処理３について説明する。図３６は、画像形成装置のエンジン制御部が行う開閉回路制御処理３の手順を示すフローチャートである。この処理によってキャパシタバンク９が充電される。
【０２６８】
ＣＰＵ１０ａは、第１開閉回路を閉鎖する信号を出力し（ステップＳ３６０１）、第２開閉回路を閉鎖する信号を出力する（ステップＳ３６０２）。ＣＰＵ１０ａは、第３開閉回路を開放する信号を出力し（ステップＳ３６０３）、充電許可信号を送信する（ステップＳ３６０４）。
【０２６９】
このように、上述した第４の実施の形態に記載した効果に加え、本実施の形態にかかる回路構成は、負荷に電源を供給している時には、第１開閉回路を開放することにより、充電回路との接続を遮断できる。また待機時のような軽負荷には場合には、第１開閉回路を閉じて、第２開閉回路を閉じることにより、充電時も負荷に電力供給が可能になる。また、省エネモード時等のように負荷に電力供給が不要な場合は、第２開閉回路を開放することにより、電力の削減が可能になる。
【０２７０】
本発明を第１〜第５の実施の形態を用いて説明してきたが、上述した実施の形態に多様な変更または改良を加えることができる。なお、上述した第１〜第５の実施の形態において説明した構成や機能は、自由に組み合わせることができる。
【０２７１】
また、本実施の形態において上述した各回路は、組込まれたプログラムとして構成されてもよい。本実施の形態にかかるプリンタで実行される制御プログラムは、ＲＯＭ等に予め組み込まれて提供される。
【０２７２】
本実施の形態にかかるプリンタで実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０２７３】
さらに、本実施の形態にかかるプリンタで実行される制御プログラムを、インターネット等のネットワークに接続されたコンピュータ上に格納し、ネットワーク経由でダウンロードさせることにより提供するように構成してもよい。また、本実施の形態にかかるプリンタで実行される制御プログラムをインターネット等のネットワーク経由で提供または配布するように構成してもよい。
【０２７４】
本実施の形態にかかるプリンタで実行される制御プログラムは、上述した各部（エンジン制御部など）を含むモジュール構成となっており、実際のハードウェアとしてはＣＰＵ（プロセッサ）が上記ＲＯＭから制御プログラムを読み出して実行することにより上記各部が主記憶装置上にロードされ、エンジン制御部などが主記憶装置上に生成されるようになっている。
【０２７５】
なお、電力使用テーブル１及び電力使用テーブル２は、ＲＯＭに予め格納されていてもよく、またＨＤＤ（Hard Disk Drive）、光ディスク、メモリカードなどの一般的に利用されているあらゆる記憶媒体により構成することができる。
【０２７６】
図３７は、本実施の形態にかかるプリンタの概略構成の一例を示す説明図である。上述した第１〜第５の実施の形態にかかる画像形成装置の機構部の概要を示したものである。画像形成装置であるプリンタには、中央に中間転写ユニットがあり、該中間転写ユニットには、無端ベルトである中間転写ベルト１１０がある。中間転写ベルト１１０は、例えば伸びの少ないフッ素樹脂や伸びの大きなゴム材料に帆布など伸びにくい材料で構成された基層に、弾性層を設けた複層ベルトである。弾性層は、例えばフッ素系ゴムやアクリロニトリル−ブタジエン共重合ゴムの表面に、例えばフッ素系樹脂をコーティングして平滑性のよいコート層を形成したものである。
【０２７７】
中間転写ベルト１１０は、３つの支持ローラ１１４〜１１６に掛け廻されており、時計廻りに回動駆動される。第２の支持ローラ１１５の左に、画像転写後に中間転写ベルト１１０上に残留する残留トナーを除去する中間転写体クリーニングユニット１１７がある。
【０２７８】
第１の支持ローラ１１４と第２の支持ローラ１１５との間の中間転写ベルト１１０には、その移動方向に沿って、ブラック（Ｋ）、イエロー（Ｙ）、マゼンタ（Ｍ）及びシアン（Ｃ）の各色の感光体ユニット１４０、チャージャユニット１１８、現像ユニット及びクリーニングユニットからなる作像装置１２０がある。作像装置１２０は、ＩＣタグを備え、プリンタ本体に対して脱着可能に装着されている。作像装置１２０の上方には、各色感光体ユニットの各感光体ドラムに画像形成のためのレーザ光を照射する書き込みユニット１２１がある。
【０２７９】
中間転写ベルト１１０の下方には、２次転写ユニット１２２がある。２次転写ユニット１２２は、２つのローラ１２３間に、無端ベルトである２次転写ベルト１２４を掛け渡して、中間転写ベルト１１０を押し上げて第３の支持ローラ１１６に押当てるように配置したものである。この２次転写ベルト１２４は、中間転写ベルト１１０上の画像を、用紙上に転写する。２次転写装置１２２の横には、用紙上の転写画像を定着する定着ユニット１２５があり、トナー像が転写された用紙がそこに送り込まれる。定着ユニット１２５は、無端ベルトである定着ベルト１２６に加熱、加圧ローラ１２７を押し当てたものである。２次転写ユニット１２２及び定着ユニット１２５の下方に、表面に画像を形成した直後の用紙を、裏面にも画像を記録するために表裏を反転して送り出すシート反転ユニット１２８がある。
【０２８０】
操作部ユニット（図示せず）のスタートスイッチが押されると、原稿自動搬送装置（ＡＤＦ）１７０の原稿給紙台１３０上に原稿があるときは、それをコンタクトガラス１３２上に搬送する。ＡＤＦに原稿が無いときにはコンタクトガラス１３２上の手置きの原稿を読むために、画像読み取りユニット１７１のスキャナを駆動し、第１キャリッジ１３３及び第２キャリッジ１３４を、読み取り走査駆動する。そして、第１キャリッジ１３３上の光源からコンタクトガラスに光を発射するとともに原稿面からの反射光を第１キャリッジ１３３上の第１ミラーで反射して第２キャリッジ１３４に向け、第２キャリッジ１３４上のミラーで反射して結像レンズ１３５を通して読取りセンサであるＣＣＤ１３６に結像する。読取りセンサ１３６で得た画像信号に基づいてＫ、Ｙ、Ｍ、Ｃ各色記録データが生成される。
【０２８１】
また、スタートスイッチが押されたときに、中間転写ベルト１１０の回動駆動が開始されるとともに、作像装置１２０の各ユニットの作像準備が開始され、そして各色作像の作像シーケンスが開始されて、各色用の感光体ドラムに各色記録データに基づいて変調された露光レーザが投射され、各色作像プロセスにより、各色トナー像が中間転写ベルト１１０上に一枚の画像として、重ね転写される。このトナー画像の先端が２次転写ユニット１２２に進入するときに同時に先端が２次転写ユニット１２２に進入するようにタイミングをはかって用紙が２次転写ユニット１２２に送り込まれ、これにより中間転写ベルト１１０上のトナー像が用紙に転写する。トナー像が移った用紙は定着ユニット１２５に送り込まれ、そこでトナー像が用紙に定着される。
【０２８２】
なお、上述の用紙は、給紙テーブル１７２の給紙ローラ１４２の１つを選択回転駆動し、給紙ユニット１４３に多段に備える給紙トレイ１４４の１つからシートを繰り出し、分離ローラ１４５で１枚だけ分離して、搬送コロユニット１４６に入れ、搬送ローラ１４７で搬送してプリンタ１００内の搬送コロユニット１４８に導き、搬送コロユニット１４８のレジストローラ１４９に突き当てて止めてから、前述のタイミングで２次転写ユニット１２２に送り出されるものである。手差しトレイ１５１上に用紙を差し込んで給紙することもできる。ユーザが手差しトレイ１５１上に用紙を差し込んでいるときには、プリンタ１００が給紙ローラ１５０を回転駆動して手差しトレイ１５１上のシートの一枚を分離して手差し給紙路１５３に引き込み、同じくレジストローラ１４９に突き当てて止める。
【０２８３】
定着ユニット１２５で定着処理を受けて排出される用紙は、切換爪１５５で排出ローラ１５６に案内して排紙トレイ１５７上にスタックする。または、切換爪１５５でシート反転ユニット１２８に案内して、そこで反転して再び転写位置へと導き、裏面にも画像を記録して後、排出ローラ１５６で排紙トレイ１５７上に排出する。一方、画像転写後の中間転写ベルト１１０上に残留する残留トナーは、中間転写体クリーニングユニット１１７で除去し、再度の画像形成に備える。
【０２８４】
レジストローラ１４９は一般的には接地されて使用されることが多いが、用紙の紙粉除去のためにバイアス電圧を印加することも可能である。例えば、導電性ゴムローラを用いバイアスを印加する。直径１８ｍｍで、表面を１ｍｍ厚みの導電性ＮＢＲゴムとする。電気抵抗はゴム材の体積抵抗で１０９Ωcm程度である。このようにバイアスを印加したレジストローラ１４９を通過した後の紙表面は、若干マイナス側に帯電している。よって、中間転写ベルト１１０からシートへの転写では、レジストローラ１４９に電圧を印加しなかった場合に比べて転写条件が変わり転写条件を変更する場合がある。中間転写ベルト１１０には、トナーを転写する側（表側）には−８００Ｖ程度の電圧を印加し、紙裏面側には転写ローラ１６２によって＋２００Ｖ程度の電圧を印加する。
【０２８５】
図３８は、定着装置の概略構成を示す縦断側面図である。図３８に示すように、定着ユニット１２５は、定着部材である定着ローラ１２９、加圧部材である加圧ローラ１２７、及び加圧ローラ１２７を一定の加圧力で定着ローラ１２９に押し当てる加圧手段（図示せず）を備えている。定着ローラ１２９及び加圧ローラ１２７は、駆動機構（図示せず）により回転駆動される。
【０２８６】
また、定着装置には、主ヒータ２９と補助ヒータ３０の２つと、定着ローラ１２９の表面温度検出用サーミスタ３３ａ、３４ａが設けられている。これらの定着ヒータ２９、３０は、定着ローラ１２９の内部に配置されており、その定着ローラ１２９を内部から加熱して定着ローラ１２９に熱を供給する。また、サーミスタ３３ａ、３４ａは、定着ローラ１２９の表面にそれぞれ当接され、定着ローラ１２９の表面温度（定着温度）を検出する。なお、サーミスタ３３ａは主定着ヒータ２９に対応する測定領域に配置され、サーミスタ３４ａは補助定着ヒータ３０に対応する測定領域に配置されている。
【０２８７】
主定着ヒータ２９は、定着ローラ１２９の温度が目標温度に達していないときにＯＮされて定着ローラ１２９を加熱するヒータである。補助定着ヒータ３０は、画像形成装置の主電源投入の時や省エネのためのオフモード時からコピー可能となるまでの立上げ時等、すなわち定着装置のウォームアップ時に蓄電部の蓄電力を使用し定着装置の立上げを補助する補助的なヒータ（補助ヒータ）の機能も備える。従って、補助定着ヒータ３０は、通常時はヒータの定格電力より、少なめに使用され定着装置の立上げ時または連続コピー時の温度落ち込み時に、定格電力まで使用する。
【０２８８】
このような定着ユニット１２５では、トナー画像を担持したシートが定着ローラ１２９と加圧ローラ１２７とのニップ部を通過する際に定着ローラ１２９及び加圧ローラ１２７によって加熱及び加圧される。これにより、シートにはトナー画像が定着される。
【０２８９】
図３９は、後処理装置の概略構成図である。分岐部は、上分岐爪１８０、ステープル分岐爪１８２、及びプレスタック分岐爪１８３を用いてシフトモード１（上排紙）、シフトモード２（下排紙）、プレスタックモード、ステープルモード（下排紙）への用紙の分岐を行う。
【０２９０】
複数部のステープルモードの場合、ステープル動作時の待機時間を減らすために、２部目の１枚目のプリントをプレスタックトレイ１８４に待機させておき、２枚目のプリントが来た場合に２枚一緒にステープルトレイ１８６に送る。
【０２９１】
上トレイ１８７及び下トレイ１８８は、ソートモード時のトレイのサイドシフト動作と、プリント排出枚数（部数）による上昇、下降動作を行う。ステープルを行う場合には、ステープルトレイ１８６に用紙を寄せコロ、ジョガーフェンスによって揃え、ステープラ１８５によってステープルを行う。パンチユニット１８１は、パンチモータによって２穴のパンチ穴あけを行う。
【０２９２】
図４０は、ステープラ部分の概略構成図である。ステープルトレイ１８６は、用紙を集積し、集積された用紙または用紙束はステープラ１８５によってステープル綴じ処理が行われる。
【０２９３】
（第６の実施の形態）
第６の実施の形態について、添付図面を参照して説明する。第６の実施の形態にかかる電源装置は、商用電源から出力された電圧を降圧して蓄電部を充電するとともに、商用電源から出力された電圧または蓄電部から出力された電圧を定電圧生成回路によって定電圧化することによって負荷に供給するものである。なお、本実施の形態にかかる電源装置は、上述した第１の実施の形態にかかるエンジン電源部において電源部のみを１つの装置としたものである。
【０２９４】
まず、本発明が適用される電源装置の構成例について、画像形成装置としてのプリンタのエンジン部に組み込んだ形で図４１〜図４３を用いて説明する。なお、本実施の形態にかかる電源装置は、プリンタ以外の複写機、ファクシミリ装置、及び複写機能、プリンタ機能、ファクシミリ機能を組み合わせた複合機などの画像形成装置、さらに電力を必要とする装置に搭載することができる。
【０２９５】
図４１は、第６の実施の形態にかかる電源装置の回路構成を示す回路図である。図４２は、第６の実施の形態にかかる電源装置の詳細な回路構成を示す詳細回路図である。なお、図４１および図４２に示す電源装置は、プリンタのエンジン部に搭載されたものとして示されている。
【０２９６】
本実施の形態にかかる電源装置６００は、フィルタ１と、全波整流回路２と、降圧回路５０と、降圧電圧検出回路１９と、キャパシタバンク９と、充電電圧検出回路１６と、定電圧生成回路１３と、充電電流検出回路１２と、降圧出力制御及び充電制御回路７と、第１切替回路５５と、第２切替回路５６とを備えている。また、電源装置６００が搭載されているプリンタのエンジン部は、エンジン制御部１０と、負荷２０と、ＡＣ定着ヒータ２９、３０と、加熱部温度検出回路３３、３４と、ＡＣ定着ヒータ制御回路３９とを備えている。
【０２９７】
ここで、フィルタ１と、全波整流回路２と、降圧回路５０と、降圧電圧検出回路１９と、キャパシタバンク９と、充電電圧検出回路１６と、定電圧生成回路１３と、充電電流検出回路１２と、降圧出力制御及び充電制御回路７と、第１切替回路５５と、第２切替回路５６の構成、機能は、第１の実施の形態とほぼ同様であるので、上述した説明を参照し、異なる部分のみを説明する。また、エンジン制御部１０と、負荷２０と、ＡＣ定着ヒータ２９、３０と、加熱部温度検出回路３３、３４と、ＡＣ定着ヒータ制御回路３９についても、第１の実施の形態と同様であるので、異なる部分のみを説明する。
【０２９８】
降圧出力制御及び充電制御回路７は、キャパシタバンク９の充電電圧検出、充電電流の検出およびバイパス回路の動作を検出し、キャパシタバンク９に定電流充電または定電力充電を行うものである。また、降圧出力制御及び充電制御回路７は、キャパシタバンク９に定電流充電及び定電力充電を行うためのＰＷＭ信号を発生させる機能と、第１切替回路５５及び第２切替回路５６を介して定電圧生成回路１３に降圧電圧を供給する機能を有している。降圧出力制御及び充電制御回路７は、ＣＰＵ７ａ、シリアルコントローラ（ＳＩＣ）７ｂ、Ａ／Ｄコンバータ７ｃ、充電電流検出回路７ｄ、ＰＷＭ信号発生回路７ｅ、ＲＯＭ、ＲＡＭ、タイマ、割り込み制御回路及び入出力ポート７ｆを備えている。なお、降圧出力制御及び充電制御回路７の動作は、第１の実施の形態と同様であるため、上述した説明を参照し、ここでの説明を省略する。
【０２９９】
次に、降圧回路５０が定電圧生成回路１３を介して負荷２０及び後処理装置２２に電力を供給する動作について説明する。降圧出力制御及び充電制御回路７は、ＣＰＵ７ａにエンジン制御部１０のＣＰＵ１０ａから負荷電力供給信号が出力されると、ＰＷＭ信号発生回路７ｅから予め設定されたＰＷＭ信号がＦＥＴ５１のゲートに出力される。降圧回路５０は、ＰＷＭ信号によって降圧電圧が生成され、第１切替回路５５、第２切替回路５６を介して、電圧が定電圧生成回路１３の入力として供給される。降圧回路５０には、固定されたデューティ比のＰＷＭ信号を出力してもよい。また、降圧電圧検出回路１９によって降圧電圧を検出し、降圧出力制御及び充電制御回路７にフィードバックして一定電圧を生成するようにしてもよい。また、この降圧する電圧値は、エンジン制御部１０のＣＰＵ１０ａから降圧出力制御及び充電制御回路７のＣＰＵ７ａに出力して決定してもよい。なお、降圧回路５０は、図３に示すような高周波トランス５０ａの一次コイル５０ｂをＦＥＴ５０ｄによりスイッチングして、２次コイル５０ｃに誘起する電圧を整流回路し、降圧電圧を生成してもよい。また、上述した降圧チョッパ回路により生成してもよい。
【０３００】
次に、第１切替回路５５及び第２切替回路５６の動作について説明する。第１切替回路５５は、リレー５５ａで構成され、第２切替回路５６は、リレー５６ａで構成される。勿論、リレーに代えてＦＥＴ、ＩＧＢＴ等を使用した開閉回路を用いてもよい。リレー５５ａ及び５６ａは、ノーマルクローズ状態（コイルが通電されない状態）で商用電源（降圧回路５０）側に接続されるよう設定されている。従って、主電源がＯＦＦである場合は、キャパシタバンク９からの放電は停止する。
【０３０１】
第１切替回路５５及び第２切替回路５６を切替えるタイミングは、降圧出力制御及び充電制御回路７のＣＰＵ７ａに接続されたシリアルコントローラ（ＳＩＣ）７ｂと、エンジン制御部１０のＣＰＵ１０ａに接続されたシリアルコントローラ（ＳＣＩ）との通信インタフェースを介して、エンジン制御部１０のＣＰＵ１０ａから出力される。ＣＰＵ１０ａから切替えるタイミングが出力されると、降圧出力制御及び充電制御回路７のＣＰＵ７ａは、入出力ポート７ｆからリレー５５またはリレー５６を切り替える信号をリレー５５、５６ドライブ回路２６に出力する。
【０３０２】
次に、ＣＰＵ１０ａが第１切替回路５５及び第２切替回路５６を切替える動作について説明する。ＣＰＵ１０ａは、待機時または省エネモード時等の電力を必要としない場合に、キャパシタバンク９に充電するため、リレー５５ａの通電をＯＮにする信号を降圧出力制御及び充電制御回路７に対してシリアルコントローラ（ＳＣＩ）１０ｄを介して送信する。次に、リレー５６ａの通電をＯＦＦにする信号を降圧出力制御及び充電制御回路７に対してシリアルコントローラ（ＳＣＩ）１０ｄを介して送信する。
【０３０３】
ＣＰＵ１０ａは、商用電源のＡＣ電力定格を超えるような場合、または画像形成装置側の急激な負荷変動によってフリッカーが発生するような場合に、キャパシタバンク９の蓄電力を使用するため、リレー５５ａの通電をＯＦＦにする信号を降圧出力制御及び充電制御回路７に出力するとともに、リレー５６ａの通電をＯＮにする信号を出力する。
【０３０４】
また、ＣＰＵ１０ａは、充電または放電以外の通常時は、リレー５５ａの通電をＯＦＦにする信号を降圧出力制御及び充電回路７に出力するとともに、リレー５６ａの通電をＯＦＦにする信号を出力する。これにより、降圧回路５０の出力は、定電圧生成回路１３の入力に接続される。
【０３０５】
ＣＰＵ１０ａは、画像形成動作が終了後、一定時間が経過すると省エネモードに入るため、ＤＣ／ＤＣコンバータ１４に対して一部の電源出力停止信号をポート２から出力する。省エネモード解除は、省エネ解除ＳＷ２４（圧版開放ＳＷ、ＡＤＦの原稿検知ＳＷ等）により、ＤＣ／ＤＣコンバータ１４が通常の動作に復帰する。
【０３０６】
次に、図４３に示す均等化回路１７について説明する。図４３は、キャパシタセルとバイパス経路の詳細な回路構成を示す詳細回路図である。図４３に示す回路図では、キャパシタセル９ａに並列に均等化回路１７ａが接続され、キャパシタセル９ａが１８個と、個々のキャパシタセル９ａに１４個の均等化回路（バランス回路）１７ａが直列に接続されている。キャパシタバンク９は、電力を貯蓄するために直列に接続された電気二重層キャパシタである。
【０３０７】
バランス回路１７ａは、キャパシタセル９ａの端子間に並列に接続される。バランス回路１７ａは、シャントレギュレータＸ１と、抵抗Ｒ１〜Ｒ５、トランジスタＱ１、ダイオードＤ１により構成される。キャパシタセル９ａの端子電圧の検出は、抵抗Ｒ１とＲ２からなる分圧回路とシャントレギュレータＸ１によって行われる。シャントレギュレータＸ１の制御端子に、抵抗Ｒ１とＲ２からなる分圧回路の分圧電圧が入力され、キャパシタセル９ａの端子電圧が所定の電圧に充電されると、シャントレギュレータＸ１は、ＯＮとなる。
【０３０８】
シャントレギュレータＸ１がＯＮとなると、トランジスタＱ１に抵抗Ｒ３を通してベース電流が流れ、トランジスタＱ１はＯＮになる。トランジスタＱ１がＯＮになると、抵抗Ｒ５によって決まる電流で、キャパシタセル９ａの充電電流が電流方向Ｉ２にバイパスされる。また、トランジスタＱ１がＯＮになると、トランジスタＱ２もＯＮになり、フォトカプラＴＬＰ１、ＴＬＰ２の発光ダイオードに抵抗Ｒ７、Ｒ８を通して電流が流れる。
【０３０９】
Bank Full端子は、他のバランス回路１７ａと直列に接続されているので、全てのキャパシタセル９ａが所定の電圧に充電され、全てのバランス回路１７ａが動作することにより、全セル満充電信号として出力される。この信号により、図４２に示す降圧出力制御及び充電制御回路７のＰＷＭ信号発生回路７ｅは、充電を停止する。
【０３１０】
バランス回路１７ａのCell Full端子は、並列に接続されており、いずれかのバランス回路１７ａに接続されたキャパシタセル９ａが所定の電圧に充電され、バランス回路１７ａが動作すると、セル満充電信号が出力される。セル満充電信号は、図４１および図４２に示す降圧出力制御及び充電制御回路７に入力され、降圧出力制御及び充電制御回路７はセル満充電信号により所定の定電流充電動作を行う。他のバランス回路１７ａは、上述したバランス回路１７ａと機能および構成は同様なので、説明は省略する。
【０３１１】
次に、以上のように構成されている電源装置６００による充電制御処理、動作モード制御処理について説明する。図４４−１〜図４４−３は、電源装置の降圧出力制御及び充電制御回路が行う降圧電圧制御及び充電制御処理手順を示すフローチャートである。この処理によってキャパシタバンク９が充電され、降圧回路５０によって商用電源の出力が降圧される。
【０３１２】
降圧出力制御及び充電制御回路７のＣＰＵ７ａは、エンジン制御部１０のＣＰＵ１０ａから充電許可信号が送信されているか否かを判断する（ステップＳ４４０１）。充電許可信号が送信されていると判断した場合は（ステップＳ４４０１：Ｙｅｓ）、ＣＰＵ７ａは充電電圧が３５Ｖに達しているか否かを判断する（ステップＳ４４０２）。具体的には、充電電圧検出回路１６の検出結果から充電電圧を確認し、満充電状態か否かを判断する。充電電圧が３５Ｖに達していると判断した場合は（ステップＳ４４０２：Ｙｅｓ）、充電する必要はないので、ＣＰＵ７ａは満充電電圧信号をエンジン制御部１０のＣＰＵ１０ａに送信し（ステップＳ４４０３）、処理は終了する。
【０３１３】
充電電圧が３５Ｖに達していないと判断した場合は（ステップＳ４４０２:Ｎｏ）、充電動作を行うために、ＣＰＵ７ａは充電動作中信号をエンジン制御部１０のＣＰＵ１０ａに送信する（ステップＳ４４０４）。次に、ＣＰＵ７ａは充電電圧が２４Ｖ以下か否かを判断する（ステップＳ４４０５）。充電電圧が２４Ｖ以下であると判断した場合は（ステップＳ４４０５：Ｙｅｓ）、ＣＰＵ７ａは蓄電部、すなわちキャパシタバンク９の充電電流を検出する（ステップＳ４４０６）。ＣＰＵ７ａは、定電流充電するため検出した充電電流に対応したＰＷＭ信号をＰＷＭ信号発生回路７ｅから降圧回路５０のＦＥＴ５１ゲートに出力する（ステップＳ４４０７）。ステップＳ４４０５に戻り、ＣＰＵ７ａは充電電圧が２４Ｖ以下か否かを判断する。充電電圧が２４Ｖ以下であると判断された場合は、上述した充電動作を繰り返す。
【０３１４】
ステップＳ４４０５において、充電電圧が２４Ｖ以下でないと判断した場合（ステップＳ４４０５：Ｎｏ）、ＣＰＵ７ａは蓄電部、すなわちキャパシタバンク９の充電電流と充電電圧の検出を行う（ステップＳ４４０８）。ＣＰＵ７ａは、定電力充電を行うため、検出した充電電流と充電電圧に対応したＰＷＭ信号をＰＷＭ信号発生回路７ｅからＦＥＴ５１ゲートに出力する（ステップＳ４４０９）。次に、ＣＰＵ７ａは、何れかの単セル満充電信号があるか否かを判断する（ステップＳ４４１０）。何れも単セル満充電信号がないと判断した場合には（ステップＳ４４１０：Ｎｏ）、ステップＳ４４０８に戻る。
【０３１５】
何れかの単セル満充電信号があると判断した場合には（ステップＳ４４１０：Ｙｅｓ）、ＣＰＵ７ａは定電流充電を実施する（ステップＳ４４１１）。ＣＰＵ７ａは、全セル満充電信号があるか否かを判断する（ステップＳ４４１２）。全セル満充電信号があると判断した場合は（ステップＳ４４１２：Ｙｅｓ）、ＣＰＵ７ａは充電動作を停止するためにＰＷＭ信号をＦＥＴ５１のゲートに出力する（ステップＳ４４１３）。ＣＰＵ７ａは、全セル満充電信号をＣＰＵ１０ａに送信し（ステップＳ４４１４）、処理は終了する。全セル満充電信号がないと判断した場合は（ステップＳ４４１２：Ｎｏ）、ステップＳ４４１１に戻り、ＣＰＵ７ａは定電流充電を行う。
【０３１６】
ステップＳ４４０１において、充電許可信号が送信されていないと判断した場合は（ステップＳ４４０１：Ｎｏ）、ＣＰＵ７ａは画像形成動作中信号があるか否か、すなわちＣＰＵ１０ａから画像形成動作中信号が出力されているか否かを判断する（ステップＳ４４１５）。画像形成動作中信号があると判断した場合には（ステップＳ４４１５：Ｙｅｓ）、降圧電圧検出回路１９によって降圧回路５０から出力された電圧を検出する（ステップＳ４４１６）。ＣＰＵ７ａは、降圧回路５０から出力された電圧が３０Ｖか否かを判断する（ステップＳ４４１７）。なお、この降圧電圧は、キャパシタバンク９の充電電圧より低くなるように予め設定されている。また、個々のキャパシタセルに満充電する場合は、キャパシタバンク９の電圧が降圧電圧の３０Ｖより高くなるセル構成を採っている。
【０３１７】
降圧回路５０から出力された電圧が３０Ｖでないと判断した場合には（ステップＳ４４１７：Ｎｏ）、降圧電圧が３０Ｖになるように、検出した降圧電圧に対応するＰＷＭ信号をＰＷＭ信号発生回路７ｅから出力する（ステップＳ４４１８）。なお、このＰＷＭ信号は、検出した降圧電圧に対応付けたＰＷＭ信号を予めテーブルに設定しておいてもよい。また、比較信号発生回路（三角波）と、予め設定されたアナログ電圧（３０Ｖを出力するための電圧）とを比較してアナログ回路によってＰＷＭ信号を生成してもよい。
【０３１８】
降圧回路５０から出力された電圧が３０Ｖであると判断した場合には（ステップＳ４４１７：Ｙｅｓ）、ステップＳ４４１６に戻る。このような動作を繰り返し、ＰＷＭ信号発生回路７ｅによって降圧電圧を３０Ｖに維持する。
【０３１９】
ステップＳ４４１５において、画像形成動作中信号がないと判断した場合には（ステップＳ４４１５：Ｎｏ）、負荷電力供給信号があるか否か、すなわちＣＰＵ１０ａから負荷電力供給信号が出力されているか否かを判断する（ステップＳ４４１９）。負荷電力供給信号がないと判断した場合には（ステップＳ４４１９：Ｎｏ）、ステップＳ４４１６に進む。負荷電力供給信号があると判断した場合には（ステップＳ４４１９：Ｙｅｓ）、蓄電部の電力使用信号があるか否か、すなわちＣＰＵ１０ａから蓄電部の電力使用信号が出力されているか否かを判断する（ステップＳ４４２０）。蓄電部の電力使用信号がないと判断した場合には（ステップＳ４４２０：Ｎｏ）、処理を終了する。
【０３２０】
蓄電部の電力使用信号があると判断した場合には（ステップＳ４４２０：Ｙｅｓ）、降圧電圧検出回路１９によって降圧回路５０から出力された電圧を検出する（ステップＳ４４２１）。ＣＰＵ７ａは、降圧回路５０から出力された電圧が２８Ｖか否かを判断する（ステップＳ４４２２）。なお、この降圧電圧は、キャパシタバンク９が放電を開始し、２８Ｖ以下になると、自動的に降圧回路５０の出力が定電圧生成回路１３の入力になるように設定された電圧である。
【０３２１】
降圧回路５０から出力された電圧が２８Ｖでないと判断した場合には（ステップＳ４４２２：Ｎｏ）、降圧電圧が２８Ｖになるように、検出した降圧電圧に対応するＰＷＭ信号をＰＷＭ信号発生回路７ｅから降圧回路５０のＦＥＴ５１ゲートに出力する（ステップＳ４４２３）。なお、このＰＷＭ信号は、検出した降圧電圧に対応付けたＰＷＭ信号をテーブルに予め設定しておいてもよい。また、比較信号発生回路（三角波）と、予め設定されたアナログ電圧（２８Ｖを出力するための電圧）とを比較してアナログ回路によってＰＷＭ信号を生成してもよい。降圧回路５０から出力された電圧が２８Ｖであると判断した場合には（ステップＳ４４２２：Ｙｅｓ）、ステップＳ４４２１に戻る。このような動作を繰り返し、ＰＷＭ信号発生回路７ｅによって降圧電圧を２８Ｖに維持する。
【０３２２】
次に、電源装置６００による動作モード制御処理、充電制御処理について説明する。図４５−１〜図４５−４は、画像形成装置のエンジン制御部が行う動作モード制御処理手順を示すフローチャートである。
【０３２３】
エンジン制御部１０のＣＰＵ１０ａは、主電源ＯＮまたは省エネモード解除によってＤＣ電源が供給されると、エンジン制御部１０のＣＰＵ１０ａ、その周辺回路及びメモリ関連の初期設定を行う（ステップＳ４５０１）。ＣＰＵ１０ａは、加熱部温度検出回路３３、３４によって定着温度が設定温度以下か否かを判断する（ステップＳ４５０２）。設定温度は、主電源ＯＮまたは省エネモード解除により、定着装置がリロード温度（例として１８０℃）になるまでの時間が予め設定された時間となる温度に設定されている。設定温度が高いほど、リロード時間が短くなる。
【０３２４】
定着温度が設定温度以下であると判断した場合は（ステップＳ４５０２：Ｙｅｓ）、ＣＰＵ１０ａは充電電圧検出回路１６の検出結果から充電電圧が３０Ｖ以上か否かを判断する（ステップＳ４５０３）。充電電圧が３０Ｖ以上であると判断した場合は（ステップＳ４５０３：Ｙｅｓ）、開閉回路制御処理１を行う（ステップＳ４５０４）。これにより、商用電源からの電力供給を停止し、キャパシタバンク９に蓄電された蓄電力を定電圧生成回路１３に供給することができる。その結果、余った電力が定着装置の加熱部に供給され、定着ヒータに最大電力を供給する（ステップＳ４５０５）。なお、通常動作時は、１００％ディーティで供給することはしない。また、定着ヒータ３０を補助ヒータとして立ち上げ時または定着温度落ち込み時のみに供給するようにしてもよい。
【０３２５】
次に、ＣＰＵ１０ａは、充電電圧検出回路１６の検出結果から充電電圧が２８Ｖ以上か否かを判断する（ステップＳ４５０６）。２８Ｖ以上であると判断した場合は（ステップＳ４５０６：Ｙｅｓ）、蓄電力が使用できると判断し、加熱部温度が予め設定された温度以上（例として１７５℃）か否かを判断する（ステップＳ４５０７）。予め設定された温度に達してないと判断した場合は（ステップＳ４５０７：Ｎｏ）、ステップＳ４５０５に戻り、引き続き定着ヒータ２９、３０にヒータ定格の最大電力を供給する。
【０３２６】
次に、加熱部温度が予め設定された温度以上であると判断した場合は（ステップＳ４５０７：Ｙｅｓ）、ステップＳ４５０２において定着温度が設定温度以下でないと判断した場合は（ステップＳ４５０２：Ｎｏ）、ステップＳ４５０３において充電電圧が３０Ｖ以上でないと判断した場合は（ステップＳ４５０３：Ｎｏ）、またはステップＳ４５０６においてキャパシタバンク９の充電電圧が２８Ｖ以上でないと判断した場合は（ステップＳ４５０６：Ｎｏ）、ＣＰＵ１０ａは開閉回路制御処理２を行う（ステップＳ４５０８）。これにより、商用電源（降圧回路５０）から負荷に電力が供給される。
【０３２７】
次に、ＣＰＵ１０ａは定着装置の定着ヒータ２９、３０に予め設定された通常時の電力供給を行う(ステップＳ４５０９)。ＣＰＵ１０ａは、加熱部がリロード温度（例えば１８０℃）か否かを判断する（ステップＳ４５１０）。リロード温度でないと判断した場合は（ステップＳ４５１０：Ｎｏ）、ステップＳ４５０９に戻り、定着ヒータ２９、３０に予め設定された通常時の電力供給が継続される。リロード温度であると判断した場合は（ステップＳ４５１０：Ｙｅｓ）、待機状態となり、予め設定された通常時の電力が定着ヒータに供給され、通常の温度制御が実施される（ステップＳ４５１１）。
【０３２８】
ＣＰＵ１０ａは、再度待機状態か否かを判断する（ステップＳ４５１２）。待機状態であると判断した場合は（ステップＳ４５１２：Ｙｅｓ）、ＣＰＵ１０ａは充電電圧が３５Ｖ未満か否かを判断する（ステップＳ４５１３）。３５Ｖ未満であると判断した場合は（ステップＳ４５１３：Ｙｅｓ）、ＣＰＵ１０ａは開閉回路制御処理３を行い（ステップＳ４５１４）、ステップＳ４５１１に戻る。これにより、キャパシタバンク９が充電される。３５Ｖ未満でないと判断した場合は（ステップＳ４５１３：Ｎｏ）、ＣＰＵ１０ａは開閉回路制御処理２を行い（ステップＳ４５１５）、ステップＳ４５１１に戻る。これにより、商用電源（降圧回路５０）から負荷に電力が供給される。
【０３２９】
ステップＳ４５１２において、待機状態でないと判断した場合は（ステップＳ４５１２：Ｎｏ）、ＣＰＵ１０ａは動作モード、画像形成動作過程毎に蓄電力を使用する電力使用テーブル１、２を参照し、蓄電力を使用する動作モードまたは動作条件を設定する（ステップＳ４５１６）。例えば、連続コピー枚数により、加熱部の温度が低下するコピー枚数設定と、最大電力を定着ヒータに供給、すなわちキャパシタバンク９の蓄電力を使用する場合に加熱部の温度が回復する時間のタイマカウントと、電力供給が必要な後処理を電力使用テーブル１、２から取得し、設定する。
【０３３０】
次に、ＣＰＵ１０ａは、コピー動作中か否かを判断する（ステップＳ４５１７）。コピー動作中であると判断した場合は（ステップＳ４５１７：Ｙｅｓ）、ＣＰＵ１０ａは電力使用テーブル１、２から取得したコピー枚数設定があるか否かを判断する（ステップＳ４５１８）。コピー枚数設定があると判断した場合には（ステップＳ４５１８：Ｙｅｓ）、ＣＰＵ１０ａは複数コピー処理を行う（ステップＳ４５１９）。詳細は後述する。
【０３３１】
次に、ＣＰＵ１０ａは、開閉回路制御処理２を行う（ステップＳ４５２０）。これにより、商用電源（降圧回路５０）から負荷に電力が供給される。負荷は、継続して画像形成動作を行い、定着ヒータに通常の電力が供給される（ステップＳ４５２１）。ＣＰＵ１０ａは、１ジョブに対応する枚数の用紙を排出したか否かを判断する（ステップＳ４５２２）。１ジョブに対応する枚数の用紙を排出していないと判断した場合には（ステップＳ４５２２：Ｎｏ）、ステップＳ４５２１に戻り、負荷は画像形成動作を継続する。１ジョブに対応する枚数の用紙を排出したと判断した場合には（ステップＳ４５２２：Ｙｅｓ）、ＣＰＵ１０ａは後処理に電力供給が必要か否かを判断する（ステップＳ４５２３）。
【０３３２】
後処理に電力供給が必要であると判断した場合には（ステップＳ４５２３：Ｙｅｓ）、ＤＣ電源の出力増加をするため、ＣＰＵ１０ａは開閉回路制御処理１を行う（ステップＳ４５２４）。これにより、キャパシタバンク９に蓄電された蓄電力が定電圧生成回路１３に供給される。電力が供給された後処理周辺機は、後処理動作を実施し(ステップＳ４５２５)、ステップＳ４５１１に戻る。例えば、ステープル処理での閉じ動作等を行う。後処理に電力供給が必要でないと判断した場合は（ステップＳ４５２３：Ｎｏ）、コピー動作は終了したので、ステップＳ４５１１に戻る。
【０３３３】
ステップＳ４５１７において、コピー動作中でないと判断した場合は（ステップＳ４５１７：Ｎｏ）、ＣＰＵ１０ａは省エネモード中か否かを判断する（ステップＳ４５２６）。省エネモード中でないと判断した場合は（ステップＳ４５２６：Ｎｏ）、ステップＳ４５１１に戻る。省エネモード中であると判断した場合は（ステップＳ４５２６：Ｙｅｓ）、ＣＰＵ１０ａは充電電圧が３５Ｖ未満か否かを判断する（ステップＳ４５２７）。充電電圧が３５Ｖ未満であると判断した場合は（ステップＳ４５２７：Ｙｅｓ）、キャパシタバンク９に充電するため、ＣＰＵ１０ａは開閉回路制御処理３を行い（ステップＳ４５２８）、ステップＳ４５２６に戻る。なお、本フローチャートには示さないが、この充電動作が終了すると、画像形成装置制御部も省エネモードに移行する。充電電圧が３５Ｖ未満でないと判断した場合は（ステップＳ４５２７：Ｎｏ）、ＣＰＵ１０ａは第１切替回路を商用電源側に切替え（ステップＳ４５２９）、第２切替回路を商用電源側に切替え（ステップＳ４５３０）、ステップＳ４５２６に戻る。
【０３３４】
プリンタのエンジン制御部１０による複数コピー制御処理について説明する。図４６は、プリンタのエンジン制御部が行う複数コピー制御処理手順を示すフローチャートである。
【０３３５】
まず、エンジン制御部１０のＣＰＵ１０ａは、開閉回路制御処理２を行う（ステップＳ４６０１）。これにより、商用電源（降圧回路５０）から負荷に電源が供給される。次に、負荷は画像形成動作を実施し、定着ヒータ２９、３０に通常の電力が供給される（ステップＳ４６０２）。ＣＰＵ１０ａは、電力使用テーブルから取得されたコピー枚数Ｎのコピーを実施したか否かを判断する（ステップＳ４６０３）。コピー枚数Ｎのコピーを実施していないと判断した場合には（ステップＳ４６０３：Ｎｏ）、ステップＳ４６０２に戻り、負荷は画像形成動作を繰り返す。コピー枚数Ｎのコピーを実施したと判断した場合には（ステップＳ４６０３：Ｙｅｓ）、ＣＰＵ１０ａは開閉回路制御処理１を行う（ステップＳ４６０４）。これにより、商用電源からの電力供給を停止し、キャパシタバンク９に蓄電された蓄電力が定電圧生成回路１３に供給される。その結果、余った電力が定着装置の加熱部に供給され、定着ヒータ２９、３０にヒータ定格の最大電力の供給が可能となり、加熱部の温度が定着画像保証温度より低下するのを防止することができる。
【０３３６】
ＣＰＵ１０ａは、定着ヒータ２９、３０に最大電力を供給した状態を継続し、画像形成動作を継続する（ステップＳ４６０５）。ＣＰＵ１０ａは、タイマカウンタがＭか否かを判断する（ステップＳ４６０６）。タイマカウンタがＭでないと判断した場合には（ステップＳ４６０６：Ｎｏ）、ステップＳ４６０５に戻る。タイマカウンタがＭであると判断した場合には（ステップＳ４６０６：Ｙｅｓ）、処理を抜ける。
【０３３７】
なお、定着装置の加熱部の温度の低下は、通紙を開始することによって定着の加圧ロータの熱が用紙に移動するために生じるものである。従ってこの加圧ローラが暖まれば、温度低下は解消される。加圧ローラが暖まるまでの時間Ｍは、電力使用テーブル２から取得され、タイマカウントとして設定されているので、その時間Ｍになるまで、定着ヒータにヒータ定格の最大電力を供給することができる。
【０３３８】
次に、エンジン制御部１０による開閉回路制御処理１について説明する。図４７は、画像形成装置のエンジン制御部が行う開閉回路制御処理１の手順を示すフローチャートである。この処理により、キャパシタバンク９から電力が供給され、定電圧生成回路１３は定電圧を出力し、負荷に電力を供給する。
【０３３９】
ＣＰＵ１０ａは、蓄電部の電力を使用する信号を降圧出力制御及び充電制御回路７のＣＰＵ７ａに送信する(ステップＳ４７０１)。ＣＰＵ１０ａは、第１切替回路を商用電源側に切替える信号を降圧出力制御及び充電制御回路７のＣＰＵ７ａに送信し（ステップＳ４７０２）、第２切替回路を蓄電部側に切替える信号を降圧出力制御及び充電制御回路７のＣＰＵ７ａに送信する（ステップＳ４７０３）。
【０３４０】
次に、エンジン制御部１０による開閉回路制御処理２について説明する。図４８は、画像形成装置のエンジン制御部が行う開閉回路制御処理２の手順を示すフローチャートである。この処理により、商用電源（降圧回路５０）から負荷に電力が供給される。
【０３４１】
ＣＰＵ１０ａは、負荷に電力を供給する信号を降圧出力制御及び充電制御回路７のＣＰＵ７ａに送信する（ステップＳ４８０１）。ＣＰＵ１０ａは、第１切替回路を商用電源側に切替える信号を降圧出力制御及び充電制御回路７のＣＰＵ７ａに送信し（ステップＳ４８０２）、第２切替回路を商用電源側に切替える信号を降圧出力制御及び充電制御回路７のＣＰＵ７ａに送信する（ステップＳ４８０３）。
【０３４２】
次に、エンジン制御部１０による開閉回路制御処理３について説明する。図４９は、画像形成装置のエンジン制御部が行う開閉回路制御処理３の手順を示すフローチャートである。この処理により、キャパシタバンク９に充電する。
【０３４３】
ＣＰＵ１０ａは、第１切替回路を蓄電部側に切替える信号を降圧出力制御及び充電制御回路７のＣＰＵ７ａに送信し（ステップＳ４９０１）、第２切替回路を商用電源側に切替える信号を降圧出力制御及び充電制御回路７のＣＰＵ７ａに送信する（ステップＳ４９０２）。ＣＰＵ１０ａは、充電許可信号を降圧出力制御及び充電制御回路７のＣＰＵ７ａに送信する（ステップＳ４９０３）。
【０３４４】
このように、本実施の形態にかかる電源装置６００は、商用電源で充電されたキャパシタバンク９の出力または商用電源の出力を定電圧生成回路１３によって定電圧が生成され、生成された定電圧を負荷に供給する構成を採るため、従来複数の回路によって実現されていた複数の機能を１つの定電圧生成回路１３によって実現することができ、プリンタのエンジン電源部の回路構成が簡易な構成とすることができる。これにより、日本国内の一般的なオフィスの商用電源を用い、電源関連の特別な工事を施すことなく、定着装置の立上り時間を短縮することができ、蓄電部を設けた電源装置の回路構成を簡略化することができる。また、蓄電部を設けた電源装置の回路構成を簡略化されたため、画像形成装置の製造コストを低減することができる。また、電源装置の回路構成が複雑な構成を採らないため、装置の品質の向上やメンテナンスの容易性の向上を図ることができる。
【０３４５】
また、商用電源を降圧し、降圧した電圧によってキャパシタバンク９に充電するため、直列に接続するキャパシタセルの個数を少なくすることができる。また、定着装置（ハロゲンヒータ）の電圧として問題がない蓄電量（ＤＣ３０Ｖ以上）を蓄電することができる。
【０３４６】
さらに、切替回路にノーマルクローズのリレーを使用することにより、主電源がＯＦＦされた状態では、降圧回路５０の出力を定電圧生成回路１３に供給可能となるので、商用電源（降圧回路５０）の出力、またはキャパシタバンク９の出力を供給する回路構成が簡単になる。
【０３４７】
また、他の実施の形態にかかる電源装置について説明する。図５０は、他の実施の形態にかかる電源装置の回路構成を示す回路図である。図５０に示す電源装置７００は、第６の実施の形態にかかる電源装置６００のリレー５５、５６のドライブ回路を、画像形成装置に設け、画像形成装置側で直接切替回路５５、５６を制御するインタフェースを備えた回路構成である。
【０３４８】
（第７の実施の形態）
第７の実施の形態について、添付図面を参照して説明する。第７の実施の形態にかかる電源装置は、第６の実施の形態と同様に、商用電源から出力された電圧を降圧して蓄電部を充電するとともに、商用電源から出力された電圧および蓄電部から出力された電圧を定電圧生成回路によって定電圧化することによって負荷に供給するものである。第６の実施の形態とは、第１切替回路に代えて第１開閉回路を用い、第２切替回路に代えて第２開閉回路および第３開閉回路を用いている点が異なる。
【０３４９】
図５１は、第７の実施の形態にかかる電源装置の回路構成を示す回路図である。図５２は、第７の実施の形態にかかる電源装置の詳細な回路構成を示す詳細回路図である。なお、図５１および図５２に示す電源装置は、プリンタのエンジン部に搭載されたものとして示されている。
【０３５０】
本実施の形態にかかる電源装置８００は、フィルタ１と、全波整流回路２と、降圧回路５０と、降圧電圧検出回路１９と、キャパシタバンク９と、充電電圧検出回路１６と、定電圧生成回路１３と、充電電流検出回路１２と、降圧出力制御及び充電制御回路７と、第１開閉回路４０と、第２開閉回路４１と、第３開閉回路４２とを備えている。また、電源装置８００が搭載されているプリンタのエンジン部は、エンジン制御部１０と、負荷２０と、ＡＣ定着ヒータ２９、３０と、加熱部温度検出回路３３、３４と、ＡＣ定着ヒータ制御回路３９とを備えている。
【０３５１】
ここで、フィルタ１と、全波整流回路２と、降圧回路５０と、降圧電圧検出回路１９と、キャパシタバンク９と、充電電圧検出回路１６と、定電圧生成回路１３と、充電電流検出回路１２と、降圧出力制御及び充電制御回路７と、第１開閉回路４０と、第２開閉回路４１と、第３開閉回路４２との構成、機能は、第６の実施の形態とほぼ同様であるので、上述した説明を参照し、異なる部分のみを説明する。また、エンジン制御部１０と、負荷２０と、ＡＣ定着ヒータ２９、３０と、加熱部温度検出回路３３、３４と、ＡＣ定着ヒータ制御回路３９についても、第６の実施の形態と同様であるので、異なる部分のみを説明する。
【０３５２】
降圧出力制御及び充電制御回路７は、キャパシタバンク９の電圧を放電する場合、すなわち第３開閉回路４２を介して定電圧生成回路１３に供給する場合は、定電圧電源回路１３が定格電圧を生成することができる入力電圧まで電圧を降下させるＰＷＭ信号をＦＥＴ５１のゲートに出力する。これにより、キャパシタバンク９が放電を開始し、定電圧生成回路１３に入力される電圧が定格電圧を生成することができる電圧まで降下すると、自動的に定電圧生成回路１３の入力が降圧回路５０側に切り替わる。
【０３５３】
第１開閉回路４０は、降圧回路５０の出力とキャパシタバンク９の接続を開閉するものであり、第２開閉回路４１は、降圧回路５０の出力と定電圧生成回路１３の入力とを接続するものである。また、第３開閉回路４２は、定電圧生成回路１３の入力とキャパシタバンク９との接続を開閉するものである。これらの回路は、第２開閉回路４１を閉じることにより、充電時にも定電圧電源回路１３に電圧を供給することができる。また、省エネモード時等の負荷に電源供給が必要としないときに充電する場合は、第２開閉回路４１を開放することによって、電力の削減が可能である。
【０３５４】
また、第２開閉回路４１及び第３開閉回路４２をリレーとした場合は、第２開閉回路４１をＯＮにする信号を出力した後、一定時間後に第３開閉回路４２を開放する信号を出力すれば、定電圧生成回路１３に継続して電源供給が可能となる。第２開閉回路４１をＯＦＦにする場合に、第３開閉回路４２をＯＮにする信号を出力した後、一定時間後に第２開閉回路４１を開放する信号を出力すればよい。
【０３５５】
エンジン制御部１０のシリアルコントローラ（ＳＣＩ）１０ｄは、第１開閉回路４０のＦＥＴ４０ａのゲートをＯＮ／ＯＦＦにする信号を降圧出力制御及び充電制御回路７に出力することにより、第１開閉回路４０の開閉を制御する。また、エンジン制御部１０のシリアルコントローラ（ＳＣＩ）１０ｄは、ＦＥＴ４１ａのゲートをＯＮ／ＯＦＦにする信号を降圧出力制御及び充電制御回路７に出力することにより、第２開閉回路４１の開閉を制御する。エンジン制御部１０のシリアルコントローラ（ＳＣＩ）１０ｄは、ＦＥＴ４２ａのゲートをＯＮ／ＯＦＦにする信号を降圧出力制御及び充電制御回路７に出力することにより、第３開閉回路４２の開閉を制御する。なお、かかる開閉回路の開閉動作は、後述する。
【０３５６】
次に、以上のように構成されている電源装置８００による充電制御処理、動作モード制御処理について説明する。かかる充電制御処理、動作モード制御処理は、第６の実施の形態とほぼ同様であるので、図４４−１〜図４６とその説明を参照する。異なる部分のみを説明する。
【０３５７】
また、図４５−１〜図４５−４に示すフローチャート中の開閉回路制御処理１は、図５３に示す開閉回路制御処理１に代え、開閉回路制御処理２は、図５４に示す開閉回路制御処理２に代え、開閉回路制御処理３は、図５５に示す開閉回路制御処理３に代える。
【０３５８】
本実施の形態におけるエンジン制御部１０による開閉回路制御処理１について説明する。図５３は、画像形成装置のエンジン制御部が行う開閉回路制御処理１の手順を示すフローチャートである。この処理により、定電圧生成回路１３はキャパシタバンク９の蓄電力を使用して定電圧を生成し、負荷へ電力を供給する。
【０３５９】
ＣＰＵ１０ａは、蓄電部の電力を使用する信号を降圧出力制御及び充電制御回路７のＣＰＵ７ａに送信する(ステップＳ５３０１)。ＣＰＵ１０ａは、第１開閉回路の開放信号を降圧出力制御及び充電制御回路７のＣＰＵ７ａに送信し（ステップＳ５３０２）、第３開閉回路の閉鎖信号を降圧出力制御及び充電制御回路７のＣＰＵ７ａに送信する（ステップＳ５３０３）。また、第２、第３開閉回路にリレーを使用した場合には、ＣＰＵ１０ａはタイマカウンタで時間Ｎをカウントする（ステップＳ５３０４）。次に、ＣＰＵ１０ａは、第２開閉回路の開放信号を降圧出力制御及び充電制御回路７のＣＰＵ７ａに送信する（ステップＳ５３０５）。
【０３６０】
本実施の形態におけるエンジン制御部１０による開閉回路制御処理２について説明する。図５４は、画像形成装置のエンジン制御部が行う開閉回路制御処理２の手順を示すフローチャートである。この処理により、定電圧生成回路１３は商用電源から出力された電圧を使用して定電圧を生成し、負荷へ電力を供給する。
【０３６１】
ＣＰＵ１０ａは、負荷電力供給信号を降圧出力制御及び充電制御回路７のＣＰＵ７ａに送信する(ステップＳ５４０１)。ＣＰＵ１０ａは、第１開閉回路の開放信号を降圧出力制御及び充電制御回路７のＣＰＵ７ａに送信し（ステップＳ５４０２）、第２開閉回路の閉鎖信号を降圧出力制御及び充電制御回路７のＣＰＵ７ａに出力する（ステップＳ５４０３）。また、第２、第３開閉回路にリレーを使用した場合には、ＣＰＵ１０ａはタイマカウンタで時間Ｎをカウントする（ステップＳ５４０４）。次に、ＣＰＵ１０ａは、第３開閉回路の開放信号を降圧出力制御及び充電制御回路７のＣＰＵ７ａに出力する（ステップＳ５４０５）。
【０３６２】
本実施の形態におけるエンジン制御部１０による開閉回路制御処理３について説明する。図５５は、画像形成装置のエンジン制御部が行う開閉回路制御処理３の手順を示すフローチャートである。この処理により、商用電源から出力された電圧を降下し、降圧電圧によって蓄電部を充電する。
【０３６３】
ＣＰＵ１０ａは、第１開閉回路の閉鎖信号を降圧出力制御及び充電制御回路７のＣＰＵ７ａに出力し（ステップＳ５５０１）、第２開閉回路の閉鎖信号を降圧出力制御及び充電制御回路７のＣＰＵ７ａに出力する（ステップＳ５５０２）。次に、ＣＰＵ１０ａは、第３開閉回路の開放信号を降圧出力制御及び充電制御回路７のＣＰＵ７ａに出力する（ステップＳ５５０３）。ＣＰＵ１０ａは、充電許可信号を降圧出力及び充電制御回路７のＣＰＵ７ａに送信する(ステップＳ５５０４)。
【０３６４】
このように、第７の実施の形態にかかる電源装置８００は、上述した効果に加え、第２開閉回路を閉じることにより、充電時も負荷に電力供給が可能になる。よって、充電時であっても、電源電圧がある程度変動しても問題がない負荷を接続することが可能である。また、省エネモード時等のように負荷に電力を供給することが不要な場合は、第２開閉回路を開放することによって電力の削減が可能になる。また、第２開閉回路を閉じた後に、第３開閉回路を開放、またはこの逆の動作を行うことによって負荷に供給する電源の遮断防止が可能となる。
【０３６５】
（第８の実施の形態）
第８の実施の形態について、添付図面を参照して説明する。第８の実施の形態にかかる電源装置は、第６の実施の形態と同様に、商用電源から出力された電圧を降圧して蓄電部を充電するとともに、商用電源から出力された電圧および蓄電部から出力された電圧を定電圧生成回路によって定電圧化することによって負荷に供給するものである。第６の実施の形態とは、第１切替回路に代えて第１開閉回路を用い、第２切替回路に代えて第２開閉回路を用いている点が異なる。
【０３６６】
図５６は、第８の実施の形態にかかる電源装置の回路構成を示す回路図である。図５７は、第８の実施の形態にかかる電源装置の詳細な回路構成を示す詳細回路図である。なお、図５６および図５７に示す電源装置は、プリンタのエンジン部に搭載されたものとして示されている。
【０３６７】
本実施の形態にかかる電源装置９００は、フィルタ１と、全波整流回路２と、降圧回路５０と、降圧電圧検出回路１９と、キャパシタバンク９と、充電電圧検出回路１６と、定電圧生成回路１３と、充電電流検出回路１２と、降圧出力制御及び充電制御回路７と、第１開閉回路４０と、第２開閉回路４３とを備えている。また、電源装置９００が搭載されているプリンタのエンジン部は、エンジン制御部１０と、負荷２０と、ＡＣ定着ヒータ２９、３０と、加熱部温度検出回路３３、３４と、ＡＣ定着ヒータ制御回路３９とを備えている。
【０３６８】
ここで、フィルタ１と、全波整流回路２と、降圧回路５０と、降圧電圧検出回路１９と、キャパシタバンク９と、充電電圧検出回路１６と、定電圧生成回路１３と、充電電流検出回路１２と、降圧出力制御及び充電制御回路７と、第１開閉回路４０と、第２開閉回路４３との構成、機能は、第６の実施の形態とほぼ同様であるので、上述した説明を参照し、異なる部分のみを説明する。また、エンジン制御部１０と、負荷２０と、ＡＣ定着ヒータ２９、３０と、加熱部温度検出回路３３、３４と、ＡＣ定着ヒータ制御回路３９についても、第６の実施の形態と同様であるので、異なる部分のみを説明する。
【０３６９】
第１開閉回路４０は、上述した実施の形態と同様に、降圧回路５０の出力とキャパシタバンク９との接続を開閉するものである。第２開閉回路４３は、降圧回路５０の出力をダイオード４４を介して定電圧生成回路１３の入力と接続し、定電圧生成回路１３の入力とキャパシタバンク９との接続を開閉するものである。これらの回路は、ダイオードを介して常時定電圧生成回路１３に電圧を供給している。よって、キャパシタバンク９から放電する時は、降圧回路５０の電圧をキャパシタバンク９の電圧より低くすれば、キャパシタバンク９から定電圧生成回路１３に電圧が供給されることはない。
【０３７０】
エンジン制御部１０のシリアルコントローラ（ＳＣＩ）１０ｄは、第１開閉回路４０のＦＥＴ４０ａのゲートをＯＮ／ＯＦＦにする信号を降圧出力制御及び充電制御回路７に出力することにより、第１開閉回路４０の開閉を制御する。また、エンジン制御部１０のシリアルコントローラ（ＳＣＩ）１０ｄは、ＦＥＴ４３ａのゲートをＯＮ／ＯＦＦにする信号を降圧出力制御及び充電制御回路７に出力することにより、第２開閉回路４３の開閉を制御する。なお、かかる開閉回路の開閉動作は、後述する。
【０３７１】
上述したように構成されている電源装置９００による動作モード制御処理、充電制御処理について説明する。図５８−１、図５８−２は、画像形成装置のエンジン制御部が行う動作モード制御処理手順を示すフローチャートである。動作モード制御処理は、第６の実施の形態で説明した図４５−１〜図４５−４に示すフローチャートと一部同様であるので、異なる部分のみ説明する。ステップＳ５８０１以前の処理は、図４５−１のステップＳ４５０１〜ステップＳ４５１０と同様であるので図４５−１での説明を参照し、ここでの説明を省略する。
【０３７２】
図４５−１のステップＳ４５１０において、エンジン制御部１０のＣＰＵ１０ａがリロード温度であると判断した場合は待機状態となり、予め設定された通常時の電力が定着ヒータに供給され、通常の温度制御が実施される（ステップＳ５８０１）。
【０３７３】
次に、ＣＰＵ１０ａは再度待機状態か否かを判断する（ステップＳ５８０２）。待機状態であると判断した場合は（ステップＳ５８０２：Ｙｅｓ）、ＣＰＵ１０ａは充電電圧が３５Ｖ未満か否かを判断する（ステップＳ５８０３）。３５Ｖ未満であると判断した場合は（ステップＳ５８０３：Ｙｅｓ）、ＣＰＵ１０ａは開閉回路制御処理３を行う（ステップＳ５８０４）。これにより、キャパシタバンク９が充電される。その後ステップＳ５８０１に戻る。３５Ｖ未満でないと判断した場合は（ステップＳ５８０３：Ｎｏ）、ＣＰＵ１０ａは開閉回路制御処理２を行う（ステップＳ５８０５）。これにより、商用電源から入力された電力が定電圧生成回路１３を介して負荷に供給される。その後ステップＳ５８０１に戻る。
【０３７４】
ステップＳ５８０２において、待機状態でないと判断した場合は（ステップＳ５８０２：Ｎｏ）、ＣＰＵ１０ａはコピー動作中か否かを判断する（ステップＳ５８０６）。コピー動作中であると判断した場合は（ステップＳ５８０６：Ｙｅｓ）、ＣＰＵ１０ａは開閉回路制御処理２を行う（ステップＳ５８０７）。これにより、商用電源から入力された電力が定電圧生成回路１３を介して負荷に供給される。負荷は、画像形成動作を行い、定着ヒータ２９、３０に通常の電力が供給される（ステップＳ５８０８）。
【０３７５】
次に、ＣＰＵ１０ａはジョブが終了しているか否かを判断する（ステップＳ５８０９）。ジョブが終了していると判断した場合は（ステップＳ５８０９：Ｙｅｓ）、後述する省エネモードの処理を実施する。ジョブが終了していないと判断した場合は（ステップＳ５８０９：Ｎｏ）、ＣＰＵ１０ａは電力使用テーブル１から使用電力が通常の電力以上となる現在の用紙サイズに対応するコピー枚数Ｎ及び蓄電力使用時間Ｍを取得する（ステップＳ５８１０）。
【０３７６】
次に、ＣＰＵ１０ａは現在のコピー枚数がＮか否かを判断する（ステップＳ５８１１）。コピー枚数Ｎでないと判断した場合は（ステップＳ５８１１：Ｎｏ）、ステップＳ５８０８に戻り、画像形成動作が継続される。現在のコピー枚数がＮであると判断した場合は（ステップＳ５８１１：Ｙｅｓ）、加熱部の温度が定着画像保証温度より低下するのを防止するため、ＣＰＵ１０ａは開閉回路制御処理１を行う（ステップＳ５８１２）。これにより、商用電源からの電力供給が停止される。さらに、キャパシタバンク９に蓄電された蓄電力が定電圧生成回路１３に供給され、余った電力を定着装置の加熱部に供給することができる。その結果、定着ヒータ２９、３０にヒータ定格の最大電力の供給が可能となる。
【０３７７】
ＣＰＵ１０ａは、定着ヒータ２９、３０に最大電力を供給した状態を継続し、コピー動作を継続する（ステップＳ５８１３）。なお、定着装置の加熱部の温度の低下は、通紙を開始することによって定着の加圧ローラの熱が用紙に移動したために生じるものである。従って、加圧ローラが暖まれば温度低下は解消される。ＣＰＵ１０ａは、加圧ローラが暖まるまでの時間である蓄電力使用時間Ｍをタイマでカウントとする(ステップＳ５８１４)。タイマカウントがＭでないと判断した場合は（ステップＳ５８１４：Ｎｏ）、ステップＳ５８１３に戻り、蓄電力使用時間Ｍが経過するまで、定着ヒータにヒータ定格の最大電力が供給される。
【０３７８】
タイマカウントがＭであると判断した場合は（ステップＳ５８１４：Ｙｅｓ）、ＣＰＵ１０ａは開閉回路制御処理２を行う（ステップＳ５８１５）。これにより、商用電源から入力された電力が負荷に供給される。負荷は、継続して画像形成動作を行い、ＣＰＵ１０ａは定着ヒータに通常の電力を供給する（ステップＳ５８１６）。ＣＰＵ１０ａは、１ジョブで排出すべき枚数の用紙を排出したか否かを判断する（ステップＳ５８１７）。１ジョブで排出すべき枚数の用紙を排出しないと判断した場合は（ステップＳ５８１７：Ｎｏ）、ステップＳ５８１６に戻り、画像形成動作を継続する。１ジョブで排出すべき枚数の用紙を排出したと判断した場合は（ステップＳ５８１７：Ｙｅｓ）、ＣＰＵ１０ａは電力使用テーブル２から電力供給が必要な後処理を取得する（ステップＳ５８１８）。
【０３７９】
次に、ＣＰＵ１０ａは、これから実施する後処理に電力供給が必要であるか否かを判断する（ステップＳ５８１９）。後処理に電力供給が必要であると判断した場合は（ステップＳ５８１９：Ｙｅｓ）、ＣＰＵ１０ａは開閉回路制御処理１を行う（ステップＳ５８２０）。これにより、キャパシタバンク９に蓄電された蓄電力が定電圧生成回路１３に供給され、ＤＣ電源の出力を増加することができる。例えば、後処理としてステープル処理の綴じ動作を行う場合などに電力供給を行う。電力を供給された後処理周辺機は、後処理動作を実施する(ステップＳ５８２１)。その後、ステップ５８０１に戻る。後処理に電力供給必要が必要でないと判断した場合は（ステップＳ５８１９：Ｎｏ）、コピー動作は終了しているので、ステップＳ５８０１に戻る。
【０３８０】
ステップＳ５８０６において、コピー動作中でないと判断した場合は（ステップＳ５８０６：Ｎｏ）、またはステップＳ５８０９において、ジョブが終了したと判断した場合は（ステップＳ５８０９：Ｙｅｓ）、省エネモードか否かを判断して処理を行う。その処理の手順は、図４５−４のステップＳ４５２６〜ステップＳ４５３０に示すフローチャートとほぼ同様であるので、図４５−４での説明を参照し、ここでの説明を省略し、異なる部分のみ説明する。
【０３８１】
ステップＳ４５２９およびステップＳ４５３０に代えて、本実施の形態では降圧出力停止信号を降圧出力制御及び充電制御回路７のＣＰＵ７ａに送信する処理を行う。
【０３８２】
また、図５８−１〜図５８−２に示すフローチャート中の開閉回路制御処理１は、図５９に示す開閉回路制御処理１に代え、開閉回路制御処理２は、図６０に示す開閉回路制御処理２に代え、開閉回路制御処理３は、図６１に示す開閉回路制御処理３に代える。
【０３８３】
本実施の形態におけるエンジン制御部１０による開閉回路制御処理１について説明する。図５９は、画像形成装置のエンジン制御部が行う開閉回路制御処理１の手順を示すフローチャートである。この処理により、定電圧生成回路１３はキャパシタバンク９の蓄電力を使用して定電圧を生成し、負荷へ電力を供給する。
【０３８４】
ＣＰＵ１０ａは、蓄電部の電力を使用する信号を降圧出力制御及び充電制御回路７のＣＰＵ７ａに送信する(ステップＳ５９０１)。ＣＰＵ１０ａは、第１開閉回路の開放信号を降圧出力制御及び充電制御回路７のＣＰＵ７ａに送信し（ステップＳ５９０２）、第２開閉回路の閉鎖信号を降圧出力制御及び充電制御回路７のＣＰＵ７ａに送信する（ステップＳ５９０３）。
【０３８５】
本実施の形態におけるエンジン制御部１０による開閉回路制御処理２について説明する。図６０は、画像形成装置のエンジン制御部が行う開閉回路制御処理２の手順を示すフローチャートである。この処理により、定電圧生成回路１３は商用電源から出力された電圧を使用して定電圧を生成し、負荷へ電力を供給する。
【０３８６】
ＣＰＵ１０ａは、負荷電力供給信号を降圧出力及び充電制御回路７のＣＰＵ７ａに送信する(ステップＳ６００１)。ＣＰＵ１０ａは、第１開閉回路の開放信号を降圧出力制御及び充電制御回路７のＣＰＵ７ａに送信し（ステップＳ６００２）、第２開閉回路の開放信号を降圧出力制御及び充電制御回路７のＣＰＵ７ａに送信する（ステップＳ６００３）。
【０３８７】
本実施の形態におけるエンジン制御部１０による開閉回路制御処理３について説明する。図６１は、画像形成装置のエンジン制御部が行う開閉回路制御処理３の手順を示すフローチャートである。この処理により、商用電源から出力された電圧を降下し、降圧電圧によって蓄電部を充電する。
【０３８８】
ＣＰＵ１０ａは、第１開閉回路の閉鎖信号を降圧出力制御及び充電制御回路７のＣＰＵ７ａに送信し（ステップＳ６１０１）、第２開閉回路の開放信号を降圧出力制御及び充電制御回路７のＣＰＵ７ａに送信する（ステップＳ６１０２）。次に、ＣＰＵ１０ａは、充電許可信号を降圧出力制御及び充電制御回路７のＣＰＵ７ａに送信する(ステップＳ６１０３)。
【０３８９】
このように、本実施の形態にかかる電源装置９００は、上述した効果に加え、第２開閉回路を閉じる時に、降圧回路の電圧をキャパシタバンク９の充電電圧より低くすることにより、開閉回路を削減している。また、放電によりキャパシタバンク９の電圧が低くなると自動的に降圧回路５０側に定電圧生成回路１３の入力が切り替わる。
【０３９０】
また、他の実施の形態にかかる電源装置について説明する。図６２は、他の実施の形態にかかる電源装置の回路構成を示す回路図である。図６３は、他の実施の形態にかかる電源装置の詳細な回路構成を示す詳細回路図である。なお、図６２および図６３に示す電源装置は、プリンタのエンジン部に搭載されたものとして示されている。
【０３９１】
図６２および図６３に示す電源装置１０００は、商用電源から出力された電圧を、充電回路を用いて蓄電部を充電するとともに、商用電源から出力された電圧および蓄電部から出力された電圧を定電圧生成回路によって定電圧化することによって負荷に供給するものである。第６の実施の形態とは、降圧回路がなく、充電及び制御回路によって蓄電部を充電し、開閉回路を制御する点が異なる。
【０３９２】
本実施の形態にかかる電源装置１０００は、従来の電源と同じように、全波整流回路２の出力を定電圧生成回路１３に供給し、全波整流回路２の出力を分岐させ、この出力を充電及び制御回路６０に接続し、キャパシタバンク９に充電している。よって、従来の電源の構成に簡単に補助蓄電機能を追加することができる。なお、定電圧生成回路１３の制御入力電圧範囲を広くすることによってキャパシタセルの使用個数を少なくすることが可能となる。
【０３９３】
また、待機時のように負荷が軽い場合には、第１開閉回路６６を閉じることによって充電時も負荷に電力を供給することが可能になる。省エネモード時等のように負荷への電力供給が不要な場合は、開閉回路を開放することによって電力の削減が可能になる。
【０３９４】
また、本実施の形態にかかる電源装置１０００は、充電及び制御回路６０に電圧変換トランスを採用することによって商用電源を充電回路に接続する開閉回路が不要になる。
【０３９５】
さらに、他の実施の形態にかかる電源装置について説明する。図６４は、他の実施の形態にかかる電源装置の回路構成を示す回路図である。図６５は、他の実施の形態にかかる電源装置の詳細な回路構成を示す詳細回路図である。なお、図６４および図６５に示す電源装置は、プリンタのエンジン部に搭載されたものとして示されている。
【０３９６】
図６４および図６５に示す電源装置１１００は、上述した電源装置１０００とほぼ同様の構成であり、第１開閉回路６６と、第２開閉回路６７とに代えて、第１開閉回路７６と、第２開閉回路７７と、第３開閉回路７８とを備える点が異なる。
【０３９７】
本実施の形態にかかる電源装置１１００は、上述した効果に加え、待機時のように負荷が軽い場合には、第１開閉回路７６と第２開閉回路７７を閉じることにより、充電時も負荷に電力を供給することが可能になる。また、省エネモード時等のように負荷に電力供給が不要な場合は、開閉回路を開放することにより、電力の削減が可能になる。
【０３９８】
また、本実施の形態にかかる電源装置１１００は、商用電源を充電及び制御回路６０に接続する開閉回路は要するが、降圧チョッパ回路を使用することによって充電回路の回路構成を簡略化することができる。
【図面の簡単な説明】
【０３９９】
【図１】第１の実施の形態にかかるプリンタのエンジン電源部の回路構成を示す回路図である。
【図２】第１の実施の形態にかかるプリンタのエンジン電源部の詳細な回路構成を示す詳細回路図である。
【図３】他の降圧回路の回路構成を示す詳細回路図である。
【図４】電力使用テーブル１のデータ構成の一例を示す説明図である。
【図５】電力使用テーブル２のデータ構成の一例を示す説明図である。
【図６−１】画像形成装置のエンジン制御部が行う動作モード制御処理手順を示すフローチャートである。
【図６−２】画像形成装置のエンジン制御部が行う動作モード制御処理手順を示すフローチャートである。
【図６−３】画像形成装置のエンジン制御部が行う動作モード制御処理手順を示すフローチャートである。
【図６−４】画像形成装置のエンジン制御部が行う動作モード制御処理手順を示すフローチャートである。
【図７】プリンタのエンジン制御部が行う複数コピー制御処理手順を示すフローチャートである。
【図８】画像形成装置のエンジン制御部が行う開閉回路制御処理１の手順を示すフローチャートである。
【図９】画像形成装置のエンジン制御部が行う開閉回路制御処理２の手順を示すフローチャートである。
【図１０】画像形成装置のエンジン制御部が行う開閉回路制御処理３の手順を示すフローチャートである。
【図１１−１】画像形成装置の降圧出力制御及び充電制御回路による降圧電圧制御及び充電制御処理手順を示すフローチャートである。
【図１１−２】画像形成装置の降圧出力制御及び充電制御回路による降圧電圧制御及び充電制御処理手順を示すフローチャートである。
【図１１−３】画像形成装置の降圧出力制御及び充電制御回路による降圧電圧制御及び充電制御処理手順を示すフローチャートである。
【図１２】キャパシタバンクを用いた場合の立上げ時及びコピー時の定着装置の温度特性を示す説明図である。
【図１３】第２の実施の形態にかかるプリンタのエンジン電源部の回路構成を示す回路図である。
【図１４】第２の実施の形態にかかるプリンタのエンジン電源部の詳細な回路構成を示す詳細回路図である。
【図１５】画像形成装置のエンジン制御部が行う開閉回路制御処理１の手順を示すフローチャートである。
【図１６】画像形成装置のエンジン制御部が行う開閉回路制御処理２の手順を示すフローチャートである。
【図１７】画像形成装置のエンジン制御部が行う開閉回路制御処理３の手順を示すフローチャートである。
【図１８】第３の実施の形態にかかるプリンタのエンジン電源部の回路構成を示す回路図である。
【図１９】第３の実施の形態にかかるプリンタのエンジン電源部の詳細な回路構成を示す詳細回路図である。
【図２０−１】画像形成装置のエンジン制御部が行う動作モード制御処理手順を示すフローチャートである。
【図２０−２】画像形成装置のエンジン制御部が行う動作モード制御処理手順を示すフローチャートである。
【図２１】画像形成装置のエンジン制御部が行う開閉回路制御処理１の手順を示すフローチャートである。
【図２２】画像形成装置のエンジン制御部が行う開閉回路制御処理２の手順を示すフローチャートである。
【図２３】画像形成装置のエンジン制御部が行う開閉回路制御処理３の手順を示すフローチャートである。
【図２４】第４の実施の形態にかかるプリンタのエンジン電源部の回路構成を示す回路図である。
【図２５】第４の実施の形態にかかるプリンタのエンジン電源部の詳細な回路構成を示す詳細回路図である。
【図２６−１】画像形成装置のエンジン制御部が行う動作モード制御処理手順を示すフローチャートである。
【図２６−２】画像形成装置のエンジン制御部が行う動作モード制御処理手順を示すフローチャートである。
【図２６−３】画像形成装置のエンジン制御部が行う動作モード制御処理手順を示すフローチャートである。
【図２６−４】画像形成装置のエンジン制御部が行う動作モード制御処理手順を示すフローチャートである。
【図２７】画像形成装置のエンジン制御部が行う開閉回路制御処理１の手順を示すフローチャートである。
【図２８】画像形成装置のエンジン制御部が行う開閉回路制御処理２の手順を示すフローチャートである。
【図２９】画像形成装置のエンジン制御部が行う開閉回路制御処理３の手順を示すフローチャートである。
【図３０−１】画像形成装置の充電制御回路が行う充電処理手順を示すフローチャートである。
【図３０−２】画像形成装置の充電制御回路が行う充電処理手順を示すフローチャートである。
【図３１】第５の実施の形態にかかるプリンタのエンジン電源部の回路構成を示す回路図である。
【図３２】第５の実施の形態にかかるプリンタのエンジン電源部の詳細な回路構成を示す詳細回路図である。
【図３３−１】画像形成装置のエンジン制御部が行う動作モード制御処理手順を示すフローチャートである。
【図３３−２】画像形成装置のエンジン制御部が行う動作モード制御処理手順を示すフローチャートである。
【図３４】画像形成装置のエンジン制御部が行う開閉回路制御処理１の手順を示すフローチャートである。
【図３５】画像形成装置のエンジン制御部が行う開閉回路制御処理２の手順を示すフローチャートである。
【図３６】画像形成装置のエンジン制御部が行う開閉回路制御処理３の手順を示すフローチャートである。
【図３７】本実施の形態にかかるプリンタの概略構成の一例を示す説明図である。
【図３８】定着装置の概略構成を示す縦断側面図である。
【図３９】後処理装置の概略構成図である。
【図４０】ステープラ部分の概略構成図である。
【図４１】第６の実施の形態にかかる電源装置の回路構成を示す回路図である。
【図４２】第６の実施の形態にかかる電源装置の詳細な回路構成を示す詳細回路図である。
【図４３】キャパシタセルとバイパス経路の詳細な回路構成を示す詳細回路図である。
【図４４−１】電源装置の降圧出力制御及び充電制御回路が行う降圧電圧制御及び充電制御処理手順を示すフローチャートである。
【図４４−２】電源装置の降圧出力制御及び充電制御回路が行う降圧電圧制御及び充電制御処理手順を示すフローチャートである。
【図４４−３】電源装置の降圧出力制御及び充電制御回路が行う降圧電圧制御及び充電制御処理手順を示すフローチャートである。
【図４５−１】画像形成装置のエンジン制御部が行う動作モード制御処理手順を示すフローチャートである。
【図４５−２】画像形成装置のエンジン制御部が行う動作モード制御処理手順を示すフローチャートである。
【図４５−３】画像形成装置のエンジン制御部が行う動作モード制御処理手順を示すフローチャートである。
【図４５−４】画像形成装置のエンジン制御部が行う動作モード制御処理手順を示すフローチャートである。
【図４６】プリンタのエンジン制御部が行う複数コピー制御処理手順を示すフローチャートである。
【図４７】画像形成装置のエンジン制御部が行う開閉回路制御処理１の手順を示すフローチャートである。
【図４８】画像形成装置のエンジン制御部が行う開閉回路制御処理２の手順を示すフローチャートである。
【図４９】画像形成装置のエンジン制御部が行う開閉回路制御処理３の手順を示すフローチャートである。
【図５０】他の実施の形態にかかる電源装置の回路構成を示す回路図である。
【図５１】第７の実施の形態にかかる電源装置の回路構成を示す回路図である。
【図５２】第７の実施の形態にかかる電源装置の詳細な回路構成を示す詳細回路図である。
【図５３】画像形成装置のエンジン制御部が行う開閉回路制御処理１の手順を示すフローチャートである。
【図５４】画像形成装置のエンジン制御部が行う開閉回路制御処理２の手順を示すフローチャートである。
【図５５】画像形成装置のエンジン制御部が行う開閉回路制御処理３の手順を示すフローチャートである。
【図５６】第８の実施の形態にかかる電源装置の回路構成を示す回路図である。
【図５７】第８の実施の形態にかかる電源装置の詳細な回路構成を示す詳細回路図である。
【図５８−１】画像形成装置のエンジン制御部が行う動作モード制御処理手順を示すフローチャートである。
【図５８−２】画像形成装置のエンジン制御部が行う動作モード制御処理手順を示すフローチャートである。
【図５９】画像形成装置のエンジン制御部が行う開閉回路制御処理１の手順を示すフローチャートである。
【図６０】画像形成装置のエンジン制御部が行う開閉回路制御処理２の手順を示すフローチャートである。
【図６１】画像形成装置のエンジン制御部が行う開閉回路制御処理３の手順を示すフローチャートである。
【図６２】他の実施の形態にかかる電源装置の回路構成を示す回路図である。
【図６３】他の実施の形態にかかる電源装置の詳細な回路構成を示す詳細回路図である。
【図６４】他の実施の形態にかかる電源装置の回路構成を示す回路図である。
【図６５】他の実施の形態にかかる電源装置の詳細な回路構成を示す詳細回路図である。
【符号の説明】
【０４００】
１  フィルタ
２  全波整流回路
７  降圧出力制御及び充電制御回路
９  蓄電部（キャパシタバンク）
１０  画像形成装置制御回路（エンジン制御部）
１２  充電電流検出回路
１３  定電圧生成回路
１６  充電電圧検出回路
１９  降圧電圧検出回路
２０  負荷
２９、３０  ＡＣ定着ヒータ
３３、３４  加熱部温度検出回路
３９  ＡＣ定着ヒータ制御回路
４０  ６６  ７６  第１開閉回路
４１  ４３  ６７  ７７  第２開閉回路
４２  ７８  第３開閉回路
４４  ダイオード
５０  降圧回路
５５  第１切替回路
５６  第２切替回路
６０  充電及び制御回路
７０  電圧検出回路
１００  ２００  ３００  ４００  ５００  プリンタのエンジン電源部
６００  ７００  ８００  ９００  １０００  １１００  電源装置
【図１】
2007272170.tif 000003
【図２】
2007272170.tif 000004
【図３】
2007272170.tif 000005
【図４】
2007272170.tif 000006
【図５】
2007272170.tif 000007
【図６−１】
2007272170.tif 000008
【図６−２】
2007272170.tif 000009
【図６−３】
2007272170.tif 000010
【図６−４】
2007272170.tif 000011
【図７】
2007272170.tif 000012
【図８】
2007272170.tif 000013
【図９】
2007272170.tif 000014
【図１０】
2007272170.tif 000015
【図１１−１】
2007272170.tif 000016
【図１１−２】
2007272170.tif 000017
【図１１−３】
2007272170.tif 000018
【図１２】
2007272170.tif 000019
【図１３】
2007272170.tif 000020
【図１４】
2007272170.tif 000021
【図１５】
2007272170.tif 000022
【図１６】
2007272170.tif 000023
【図１７】
2007272170.tif 000024
【図１８】
2007272170.tif 000025
【図１９】
2007272170.tif 000026
【図２０−１】
2007272170.tif 000027
【図２０−２】
2007272170.tif 000028
【図２１】
2007272170.tif 000029
【図２２】
2007272170.tif 000030
【図２３】
2007272170.tif 000031
【図２４】
2007272170.tif 000032
【図２５】
2007272170.tif 000033
【図２６−１】
2007272170.tif 000034
【図２６−２】
2007272170.tif 000035
【図２６−３】
2007272170.tif 000036
【図２６−４】
2007272170.tif 000037
【図２７】
2007272170.tif 000038
【図２８】
2007272170.tif 000039
【図２９】
2007272170.tif 000040
【図３０−１】
2007272170.tif 000041
【図３０−２】
2007272170.tif 000042
【図３１】
2007272170.tif 000043
【図３２】
2007272170.tif 000044
【図３３−１】
2007272170.tif 000045
【図３３−２】
2007272170.tif 000046
【図３４】
2007272170.tif 000047
【図３５】
2007272170.tif 000048
【図３６】
2007272170.tif 000049
【図３７】
2007272170.tif 000050
【図３８】
2007272170.tif 000051
【図３９】
2007272170.tif 000052
【図４０】
2007272170.tif 000053
【図４１】
2007272170.tif 000054
【図４２】
2007272170.tif 000055
【図４３】
2007272170.tif 000056
【図４４−１】
2007272170.tif 000057
【図４４−２】
2007272170.tif 000058
【図４４−３】
2007272170.tif 000059
【図４５−１】
2007272170.tif 000060
【図４５−２】
2007272170.tif 000061
【図４５−３】
2007272170.tif 000062
【図４５−４】
2007272170.tif 000063
【図４６】
2007272170.tif 000064
【図４７】
2007272170.tif 000065
【図４８】
2007272170.tif 000066
【図４９】
2007272170.tif 000067
【図５０】
2007272170.tif 000068
【図５１】
2007272170.tif 000069
【図５２】
2007272170.tif 000070
【図５３】
2007272170.tif 000071
【図５４】
2007272170.tif 000072
【図５５】
2007272170.tif 000073
【図５６】
2007272170.tif 000074
【図５７】
2007272170.tif 000075
【図５８−１】
2007272170.tif 000076
【図５８−２】
2007272170.tif 000077
【図５９】
2007272170.tif 000078
【図６０】
2007272170.tif 000079
【図６１】
2007272170.tif 000080
【図６２】
2007272170.tif 000081
【図６３】
2007272170.tif 000082
【図６４】
2007272170.tif 000083
【図６５】
2007272170.tif 000084